(57)【特許請求の範囲】
【請求項１】
ダウンリンク制御チャネルを伝送する方法であって、Ｎ番目のタイムスロットおよび（Ｎ＋１）番目のタイムスロットを含む１つの通常伝送時間間隔，Ｎ−ＴＴＩは、Ｎ番目のタイムスロット、および第（Ｎ＋１）番目のタイムスロットにそれぞれ対応する第１の短縮された時間伝送時間間隔，Ｓ−ＴＴＩ、および第２のＳ−ＴＴＩに分割され、前記方法が、
基地局によって、前記Ｎ番目のタイムスロットの制御エリアにおいて前記Ｎ番目のタイムスロットの物理制御チャネルを使用して前記（Ｎ＋１）番目のタイムスロットの制御エリア指示情報をユーザ機器に送信することであって、前記第１のＳ−ＴＴＩに対応する前記Ｎ番目のタイムスロットの前記制御エリアが、Ｎ−ＴＴＩの制御エリアであり、前記制御エリア指示情報が、周波数領域制御指示情報および時間領域制御指示情報を含み、前記周波数領域制御指示情報が、前記（Ｎ＋１）番目のタイムスロット中の前記（Ｎ＋１）番目のタイムスロットの制御エリアによって占められる周波数領域リソースブロックエリアを示すために使用され、前記（Ｎ＋１）番目のタイムスロットの前記制御エリアが、Ｎ−ＴＴＩのデータエリアに位置し、前記時間領域制御指示情報が、前記（Ｎ＋１）番目のタイムスロット中の前記（Ｎ＋１）番目のタイムスロットの前記制御エリアによって占められる時間領域時間単位エリアを示すために使用される、送信することと、
前記基地局によって、前記（Ｎ＋１）番目のタイムスロットの前記制御エリアにおいて、前記（Ｎ＋１）番目のタイムスロットの物理制御チャネルを前記ユーザ機器に送信することであって、前記ユーザ機器が前記（Ｎ＋１）番目のタイムスロットの前記物理制御チャネルに従って前記（Ｎ＋１）番目のタイムスロットの物理データチャネルまたは（Ｎ＋１＋ｋ）番目のタイムスロットの物理データチャネルを決定し、ｋ≧４である、送信することと
を含むことを特徴とする方法。
【請求項２】
前記Ｎ番目のタイムスロットの前記物理制御チャネルが、前記Ｎ番目のタイムスロットの物理ダウンリンク制御チャネルＰＤＣＣＨであり、
前記基地局によって、前記Ｎ番目のタイムスロットの制御エリアにおいて前記Ｎ番目のタイムスロットの物理制御チャネルを使用して前記（Ｎ＋１）番目のタイムスロットの制御エリア指示情報をユーザ機器に前記送信することが、
前記基地局よって、前記Ｎ番目のタイムスロットの前記制御エリアで前記Ｎ番目のタイムスロットの前記ＰＤＣＣＨ中で搬送されるダウンリンク制御インジケータＤＣＩを使用して、前記周波数領域制御指示情報および前記時間領域制御指示情報を前記ユーザ機器に送信することを含むことを特徴とする請求項１に記載の方法。
【請求項３】
前記周波数領域制御指示情報が、前記（Ｎ＋１）番目のタイムスロット中の前記（Ｎ＋１）番目のタイムスロットの前記制御エリアによって占められる前記周波数領域リソースブロックエリアの周波数領域リソースブロック開始位置と、前記（Ｎ＋１）番目のタイムスロット中の前記（Ｎ＋１）番目のタイムスロットの前記制御エリアによって占められる前記周波数領域リソースブロックエリアの長さとを含み、
リソースブロックＲＢまたはリソースブロックグループＲＢＧが、前記周波数領域リソースブロックエリアの前記長さの単位として使用されることを特徴とする請求項１または２に記載の方法。
【請求項４】
前記基地局によって、前記Ｎ番目のタイムスロットの前記制御エリアで前記Ｎ番目のタイムスロットの前記ＰＤＣＣＨ中で搬送されるダウンリンク制御インジケータＤＣＩを使用して前記周波数領域制御指示情報を前記ユーザ機器に前記送信することが、
前記基地局によって、前記ユーザ機器に割り当てられたセル無線ネットワーク一時識別子Ｃ−ＲＮＴＩを使用して、かつ前記Ｎ番目のタイムスロットの前記制御エリアで前記Ｎ番目のタイムスロットの前記ＰＤＣＣＨ中で搬送される前記ＤＣＩを使用して、前記周波数領域制御指示情報を前記ユーザ機器に送信することを含むことを特徴とする請求項２または３に記載の方法。
【請求項５】
前記基地局によって、前記ユーザ機器に割り当てられたセル無線ネットワーク一時識別子Ｃ−ＲＮＴＩを使用して、かつ前記Ｎ番目のタイムスロットの前記制御エリアで前記Ｎ番目のタイムスロットの前記ＰＤＣＣＨ中で搬送される前記ＤＣＩを使用して、前記周波数領域制御指示情報を前記ユーザ機器に前記送信することが、
前記基地局によって、様々なユーザ機器に割り当てられる１つの共通な共通Ｃ−ＲＮＴＩを使用し、かつ前記Ｎ番目のタイムスロットの前記制御エリアで伝送され、前記制御エリアで前記Ｎ番目のタイムスロットの前記ＰＤＣＣＨ中で搬送される前記ＤＣＩを使用して、前記周波数領域制御指示情報を前記ユーザ機器に送信することを含むことを特徴とする請求項４に記載の方法。
【請求項６】
ダウンリンク制御チャネルを伝送する方法であって、Ｎ番目のタイムスロットおよび（Ｎ＋１）番目のタイムスロットを含む１つの通常伝送時間間隔，Ｎ−ＴＴＩは、Ｎ番目のタイムスロット、および第（Ｎ＋１）番目のタイムスロットにそれぞれ対応する第１の短縮された時間伝送時間間隔，Ｓ−ＴＴＩ、および第２のＳ−ＴＴＩに分割され、前記方法が、
ユーザ機器によって、前記Ｎ番目のタイムスロットの制御エリアにおいて前記Ｎ番目のタイムスロットの物理制御チャネルを使用して前記（Ｎ＋１）番目のタイムスロットの制御エリア指示情報を受信することであって、前記第１のＳ−ＴＴＩに対応する前記Ｎ番目のタイムスロットの前記制御エリアが、Ｎ−ＴＴＩの制御エリアであり、前記制御エリア指示情報が、周波数領域制御指示情報および時間領域制御指示情報を含み、前記周波数領域制御指示情報が、前記（Ｎ＋１）番目のタイムスロット中の前記（Ｎ＋１）番目のタイムスロットの制御エリアによって占められる周波数領域リソースブロックエリアを示すために使用され、前記（Ｎ＋１）番目のタイムスロットの前記制御エリアが、Ｎ−ＴＴＩのデータエリアに位置し、前記時間領域制御指示情報が、前記（Ｎ＋１）番目のタイムスロット中の前記（Ｎ＋１）番目のタイムスロットの前記制御エリアによって占められる時間領域時間単位エリアを示すために使用される、受信することと、
前記ユーザ機器によって、前記（Ｎ＋１）番目のタイムスロットの前記制御エリア指示情報に従って前記（Ｎ＋１）番目のタイムスロットの前記制御エリアを決定することと、
前記ユーザ機器によって、前記（Ｎ＋１）番目のタイムスロットの前記制御エリアにおいて、前記（Ｎ＋１）番目のタイムスロットの物理制御チャネルを受信することであって、前記（Ｎ＋１）番目のタイムスロットの前記物理制御チャネルに従って前記（Ｎ＋１）番目のタイムスロットの物理データチャネルまたは（Ｎ＋１＋ｋ）番目のタイムスロットの物理データチャネルを決定し、ｋ≧４である、受信することと
を含むことを特徴とする方法。
【請求項７】
前記Ｎ番目のタイムスロットの前記物理制御チャネルが、前記Ｎ番目のタイムスロットの物理ダウンリンク制御チャネルＰＤＣＣＨであり、
前記ユーザ機器によって、前記Ｎ番目のタイムスロットの制御エリアにおいて前記Ｎ番目のタイムスロットの物理制御チャネルを使用して前記（Ｎ＋１）番目のタイムスロットの制御エリア指示情報を前記受信することが、
前記ユーザ機器によって、前記Ｎ番目のタイムスロットの前記制御エリアで前記Ｎ番目のタイムスロットの前記ＰＤＣＣＨ中で搬送されるダウンリンク制御インジケータＤＣＩを使用して、前記周波数領域制御指示情報および前記時間領域制御指示情報を受信することを含むことを特徴とする請求項６に記載の方法。
【請求項８】
前記周波数領域制御指示情報が、前記（Ｎ＋１）番目のタイムスロット中の前記（Ｎ＋１）番目のタイムスロットの前記制御エリアによって占められる前記周波数領域リソースブロックエリアの周波数領域リソースブロック開始位置と、前記（Ｎ＋１）番目のタイムスロット中の前記（Ｎ＋１）番目のタイムスロットの前記制御エリアによって占められる前記周波数領域リソースブロックエリアの長さとを含み、
リソースブロックＲＢまたはリソースブロックグループＲＢＧが、前記周波数領域リソースブロックエリアの前記長さの単位として使用されることを特徴とする請求項６または７に記載の方法。
【請求項９】
前記ユーザ機器が前記Ｎ番目のタイムスロットの前記制御エリアで前記Ｎ番目のタイムスロットの前記ＰＤＣＣＨ中で搬送されるＤＣＩを使用して前記周波数領域制御指示情報を前記受信することが、
前記ユーザ機器が、共通の共通セル無線ネットワーク一時識別子Ｃ−ＲＮＴＩを使用して、かつ前記Ｎ番目のタイムスロットの前記制御エリアで前記Ｎ番目のタイムスロットの前記ＰＤＣＣＨ中で搬送される前記ＤＣＩを使用して、前記周波数領域制御指示情報を受信することを含むことを特徴とする請求項７または８に記載の方法。
【請求項１０】
基地局であって、Ｎ番目のタイムスロットおよび（Ｎ＋１）番目のタイムスロットを含む１つの通常伝送時間間隔，Ｎ−ＴＴＩは、Ｎ番目のタイムスロット、および第（Ｎ＋１）番目のタイムスロットにそれぞれ対応する第１の短縮された時間伝送時間間隔，Ｓ−ＴＴＩ、および第２のＳ−ＴＴＩに分割され、前記基地局が、
前記Ｎ番目のタイムスロットの制御エリアにおいて前記Ｎ番目のタイムスロットの物理制御チャネルを使用して前記（Ｎ＋１）番目のタイムスロットの制御エリア指示情報をユーザ機器に送信するように構成された第１の送信ユニットであって、前記第１のＳ−ＴＴＩに対応する前記Ｎ番目のタイムスロットの前記制御エリアが、Ｎ−ＴＴＩの制御エリアであり、前記制御エリア指示情報が、周波数領域制御指示情報および時間領域制御指示情報を含み、前記周波数領域制御指示情報が、前記（Ｎ＋１）番目のタイムスロット中の前記（Ｎ＋１）番目のタイムスロットの制御エリアによって占められる周波数領域リソースブロックエリアを示すために使用され、前記（Ｎ＋１）番目のタイムスロットの前記制御エリアが、Ｎ−ＴＴＩのデータエリアに位置し、前記時間領域制御指示情報が、前記（Ｎ＋１）番目のタイムスロット中の前記（Ｎ＋１）番目のタイムスロットの前記制御エリアによって占められる時間領域時間単位エリアを示すために使用される、第１の送信ユニットと、
前記第１の送信ユニットによって送信される前記（Ｎ＋１）番目のタイムスロットの前記制御エリア指示情報によって示される前記（Ｎ＋１）番目のタイムスロットの前記制御エリアにおいて、前記（Ｎ＋１）番目のタイムスロットの物理制御チャネルを前記ユーザ機器に送信して、前記ユーザ機器が前記（Ｎ＋１）番目のタイムスロットの前記物理制御チャネルに従って前記（Ｎ＋１）番目のタイムスロットの物理データチャネルまたは（Ｎ＋１＋ｋ）番目のタイムスロットの物理データチャネルを決定するようにさらに構成され、ｋ≧４である第２の送信ユニットと
を含むことを特徴とする基地局。
【請求項１１】
前記Ｎ番目のタイムスロットの前記物理制御チャネルが、前記Ｎ番目のタイムスロットの物理ダウンリンク制御チャネルＰＤＣＣＨであり、
前記第１の送信ユニットが、前記Ｎ番目のタイムスロットの前記制御エリアで前記Ｎ番目のタイムスロットの前記ＰＤＣＣＨ中で搬送されるダウンリンク制御インジケータＤＣＩを使用して、前記周波数領域制御指示情報および前記時間領域制御指示情報を前記ユーザ機器に送信するように特に構成されることを特徴とする請求項１０に記載の基地局。
【請求項１２】
前記周波数領域制御指示情報が、前記（Ｎ＋１）番目のタイムスロット中の前記（Ｎ＋１）番目のタイムスロットの前記制御エリアによって占められる前記周波数領域リソースブロックエリアの周波数領域リソースブロック開始位置と、前記（Ｎ＋１）番目のタイムスロット中の前記（Ｎ＋１）番目のタイムスロットの前記制御エリアによって占められる前記周波数領域リソースブロックエリアの長さとを含み、
リソースブロックＲＢまたはリソースブロックグループＲＢＧが、前記周波数領域リソースブロックエリアの前記長さの単位として使用されることを特徴とする請求項１０または１１に記載の基地局。
【請求項１３】
前記第１の送信ユニットが、前記ユーザ機器に割り当てられたセル無線ネットワーク一時識別子Ｃ−ＲＮＴＩを使用して、かつ前記Ｎ番目のタイムスロットの前記制御エリアで前記Ｎ番目のタイムスロットの前記ＰＤＣＣＨ中で搬送される前記ＤＣＩを使用して、前記周波数領域制御指示情報を前記ユーザ機器に送信するように特に構成されることを特徴とする請求項１１または１２に記載の基地局。
【請求項１４】
前記第１の送信ユニットが、様々なユーザ機器に割り当てられる１つの共通な共通Ｃ−ＲＮＴＩを使用し、かつ前記Ｎ番目のタイムスロットの前記制御エリアで伝送され、前記制御エリアで前記Ｎ番目のタイムスロットの前記ＰＤＣＣＨ中で搬送される前記ＤＣＩを使用して、前記周波数領域制御指示情報を前記ユーザ機器に送信するように特に構成されることを特徴とする請求項１３に記載の基地局。
【請求項１５】
ユーザ機器であって、Ｎ番目のタイムスロットおよび（Ｎ＋１）番目のタイムスロットを含む１つの通常伝送時間間隔，Ｎ−ＴＴＩは、Ｎ番目のタイムスロット、および第（Ｎ＋１）番目のタイムスロットにそれぞれ対応する第１の短縮された時間伝送時間間隔，Ｓ−ＴＴＩ、および第２のＳ−ＴＴＩに分割され、前記ユーザ機器が、
前記Ｎ番目のタイムスロットの制御エリアにおいて前記Ｎ番目のタイムスロットの物理制御チャネルを使用して前記（Ｎ＋１）番目のタイムスロットの制御エリア指示情報を受信するように構成された第１の受信ユニットであって、前記第１のＳ−ＴＴＩに対応する前記Ｎ番目のタイムスロットの前記制御エリアが、Ｎ−ＴＴＩの制御エリアであり、前記制御エリア指示情報が、周波数領域制御指示情報および時間領域制御指示情報を含み、前記周波数領域制御指示情報が、前記（Ｎ＋１）番目のタイムスロット中の前記（Ｎ＋１）番目のタイムスロットの制御エリアによって占められる周波数領域リソースブロックエリアを示すために使用され、前記（Ｎ＋１）番目のタイムスロットの前記制御エリアが、Ｎ−ＴＴＩのデータエリアに位置し、前記時間領域制御指示情報が、前記（Ｎ＋１）番目のタイムスロット中の前記（Ｎ＋１）番目のタイムスロットの制御エリアによって占められる時間領域時間単位エリアを示すために使用される、第１の受信ユニットと、
前記第１の受信ユニットによって受信される前記（Ｎ＋１）番目のタイムスロットの前記制御エリア指示情報に従って前記（Ｎ＋１）番目のタイムスロットの前記制御エリアを決定するように構成された決定ユニットと、
前記決定ユニットによって決定される前記（Ｎ＋１）番目のタイムスロットの前記制御エリアにおいて、前記（Ｎ＋１）番目のタイムスロットの物理制御チャネルを受信して、前記（Ｎ＋１）番目のタイムスロットの前記物理制御チャネルに従って前記（Ｎ＋１）番目のタイムスロットの物理データチャネルまたは（Ｎ＋１＋ｋ）番目のタイムスロットの物理データチャネルを決定するように構成され、ｋ≧４である第２の受信ユニットと
を含むことを特徴とするユーザ機器。
【請求項１６】
前記Ｎ番目のタイムスロットの前記物理制御チャネルが、前記Ｎ番目のタイムスロットの物理ダウンリンク制御チャネルＰＤＣＣＨであり、
前記第１の受信ユニットが、前記Ｎ番目のタイムスロットの前記制御エリアで前記Ｎ番目のタイムスロットの前記ＰＤＣＣＨ中で搬送されるダウンリンク制御インジケータＤＣＩを使用して、前記周波数領域制御指示情報および前記時間領域制御指示情報を受信するように特に構成されることを特徴とする請求項１５に記載のユーザ機器。
【請求項１７】
前記周波数領域制御指示情報が、前記（Ｎ＋１）番目のタイムスロット中の前記（Ｎ＋１）番目のタイムスロットの前記制御エリアによって占められる前記周波数領域リソースブロックエリアの周波数領域リソースブロック開始位置と、前記（Ｎ＋１）番目のタイムスロット中の前記（Ｎ＋１）番目のタイムスロットの前記制御エリアによって占められる前記周波数領域リソースブロックエリアの長さとを含み、
リソースブロックＲＢまたはリソースブロックグループＲＢＧが、前記周波数領域リソースブロックエリアの長さの単位として使用されることを特徴とする請求項１５または１６に記載のユーザ機器。
【請求項１８】
前記第１の受信ユニットが、共通の共通セル無線ネットワーク一時識別子Ｃ−ＲＮＴＩを使用して、かつ前記Ｎ番目のタイムスロットの前記制御エリアで前記Ｎ番目のタイムスロットの前記ＰＤＣＣＨ中で搬送される前記ＤＣＩを使用して、前記周波数領域制御指示情報を受信するように特に構成されることを特徴とする請求項１６または１７に記載のユーザ機器。
【発明の詳細な説明】
【技術分野】
【０００１】
本発明は、通信技術の分野に関し、特に、ダウンリンク制御チャネルを伝送する方法およびデバイスに関する。
【背景技術】
【０００２】
ロングタームエボリューション（Ｌｏｎｇ  Ｔｅｒｍ  Ｅｖｏｌｕｔｉｏｎ、ＬＴＥ）標準では、一般に、１つの伝送時間間隔（Ｔｒａｎｓｍｉｓｓｉｏｎ  Ｔｉｍｅ  Ｉｎｔｅｒｖａｌ、ＴＴＩ）の時間長は１ｍｓである、すなわち１つのサブフレーム（ｓｕｂｆｒａｍｅ、ＳＦ）のサイズは１ＴＴＩ＝１ｍｓ＝１ＳＦであると考えられている。１つのＳＦは、２つのタイムスロット（Ｓｌｏｔ）を含む。図１に示されるように、ＬＴＥ通信システムにおいてダウンリンク伝送に使用されるサブフレームでは、１つのＴＴＩが、物理ダウンリンク制御チャネルを伝送するために使用される制御エリアと、物理ダウンリンクデータチャネルを伝送するために使用されるデータエリアとに分割されることがある。物理ダウンリンク制御チャネルは、物理ダウンリンクデータチャネルの制御情報を搬送するために使用される。
【０００３】
データの伝送ラウンドトリップタイム（Ｒｏｕｎｄ−Ｔｒｉｐ  Ｔｉｍｅ、ＲＴＴ）およびデータの伝送遅延を短縮するために、業界は、ＴＴＩ＝０．５ｍｓおよび１ＴＴＩ＝１ｍｓがデータ伝送を実行するのに適合していると設定される解決策を提案している。すなわち、図２に示されるように、１つの元の通常ＴＴＩ（略記はＮ−ＴＴＩ）が、１つのＳＦ内の２つのタイムスロット（タイムスロット０およびタイムスロット１）にそれぞれ対応する２つの短縮されたＴＴＩ（略記はＳ−ＴＴＩ）に分割される。データのＲＴＴは、伝送器がデータを送信したときに開始し、伝送器が再度データを受信機に送信する次の瞬間に終了する時間であり、この時間の開始後、この時間中に、伝送器は、受信機の確認指示を受信する。
【０００４】
図２に示されるように、Ｎ−ＴＴＩは、制御エリア（網掛け部分）とデータエリア（非網掛け部分）とに分割されることがある。ＴＴＩ＝０．５ｍｓおよび１ＴＴＩ＝１ｍｓがデータ伝送を実行するのに適合している前述の解決策では、タイムスロット０に対応するＳ−ＴＴＩ（Ｓ−ＴＴＩ０）が、Ｎ−ＴＴＩの制御エリアに重複しているので、Ｎ−ＴＴＩの制御エリアがＳ−ＴＴＩ０に再使用されることがあり、Ｓ−ＴＴＩ０の制御エリアとしてＳ−ＴＴＩ０でＰＤＣＣＨを伝送するために使用される。ただし、存在する問題は、タイムスロット１に対応するＳ−ＴＴＩ（Ｓ−ＴＴＩ１）がＮ−ＴＴＩのデータエリアに位置し、この部分は、元々はＮ−ＴＴＩで物理ダウンリンクデータチャネルを伝送するために使用されるが、Ｎ−ＴＴＩの制御エリアは、Ｓ−ＴＴＩ−１に再使用され得ないということである。この場合には、ユーザ機器は、そのユーザ機器がどの制御エリアからＳ−ＴＴＩ−１の物理制御チャネルを受信するかが分からない。Ｓ−ＴＴＩ−１の制御エリアが決定され得ないので、ＴＴＩ−１の物理制御チャネルは、Ｓ−ＴＴＩ−１の制御エリアを使用して伝送され得ず、その結果、Ｓ−ＴＴＩ−１の物理データチャネルが伝送され得ない。
【発明の概要】
【０００５】
本発明の実施形態は、ダウンリンク制御チャネルを伝送する方法およびデバイスを提供する。ユーザ機器のＴＴＩが１ｍｓから０．５ｍｓに設定された後で、基地局は、そのＳ−ＴＴＩが０．５ｍｓであるユーザ機器に対してＳ−ＴＴＩ−１の制御エリアを示して、Ｓ−ＴＴＩ−１の物理制御チャネルがＳ−ＴＴＩ−１の制御エリアを使用して伝送されることがあるようにして、Ｓ−ＴＴＩ−１の物理データチャネルを伝送するようにすることがある。さらに、（Ｎ＋１）番目のタイムスロットの制御エリアが（Ｎ＋１）番目のタイムスロットの別の周波数領域リソースブロックで１ｍｓＮ−ＴＴＩＴＴＩを使用して伝送される物理データチャネルに対して影響を及ぼすことが回避されることがある。
【０００６】
本発明の実施形態の第１の態様は、ダウンリンク制御チャネルを伝送する方法であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応する方法を提供し、この方法は、
基地局が、Ｎ番目のタイムスロットの制御エリアにおいてＮ番目のタイムスロットの物理制御チャネルを使用して（Ｎ＋１）番目のタイムスロットの制御エリア指示情報をユーザ機器に送信することであり、制御エリア指示情報が、周波数領域制御指示情報および時間領域制御指示情報を含み、周波数領域制御指示情報が、（Ｎ＋１）番目のタイムスロット中の（Ｎ＋１）番目のタイムスロットの制御エリアによって占められる周波数領域リソースブロックエリアを示すために使用され、時間領域制御指示情報が、（Ｎ＋１）番目のタイムスロット中の（Ｎ＋１）番目のタイムスロットの制御エリアによって占められる時間領域時間単位エリアを示すために使用される、送信することと、
基地局が、（Ｎ＋１）番目のタイムスロットの制御エリアにおいて、（Ｎ＋１）番目のタイムスロットの物理制御チャネルをユーザ機器に送信して、ユーザ機器が（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにすることであり、ｋ≧４である、送信することとを含む。
【０００７】
第１の態様に関連して、第１の可能な実施方法では、Ｎ番目のタイムスロットの物理制御チャネルは、Ｎ番目のタイムスロットの物理ダウンリンク制御チャネルＰＤＣＣＨであり、
基地局がＮ番目のタイムスロットの制御エリアにおいてＮ番目のタイムスロットの物理制御チャネルを使用して（Ｎ＋１）番目のタイムスロットの制御エリア指示情報をユーザ機器に送信することは、
基地局が、Ｎ番目のタイムスロットの制御エリアでＮ番目のタイムスロットのＰＤＣＣＨ中で搬送されるダウンリンク制御インジケータＤＣＩを使用して、周波数領域制御指示情報および時間領域制御指示情報をユーザ機器に送信することを含む。
【０００８】
第１の態様に関連して、第２の可能な実施方法では、Ｎ番目のタイムスロットの物理制御チャネルは、Ｎ番目のタイムスロットのＰＤＣＣＨおよびＮ番目のタイムスロットの物理制御フォーマットインジケータチャネルＰＣＦＩＣＨを含み、
基地局がＮ番目のタイムスロットの制御エリアにおいてＮ番目のタイムスロットの物理制御チャネルを使用して（Ｎ＋１）番目のタイムスロットの制御エリア指示情報をユーザ機器に送信することは、
基地局が、Ｎ番目のタイムスロットの制御エリアでＮ番目のタイムスロットのＰＤＣＣＨ中で搬送されるＤＣＩを使用して周波数領域制御指示情報をユーザ機器に送信することと、
基地局が、Ｎ番目のタイムスロットの制御エリアでＮ番目のタイムスロットのＰＣＦＩＣＨ中で搬送される制御フォーマットインジケータＣＦＩを使用して時間領域制御指示情報をユーザ機器に送信することであり、Ｎ番目のタイムスロットのＰＣＦＩＣＨ中で搬送されるＣＦＩが、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる時間領域時間単位エリアが、Ｎ番目のタイムスロット中のＮ番目のタイムスロットの制御エリアによって占められる時間領域時間単位エリアと同じである、送信することとを含む。
【０００９】
第１の態様に関連して、第３の可能な実施方法では、Ｎ番目のタイムスロットの物理制御チャネルは、Ｎ番目のタイムスロットのＰＤＣＣＨおよびＮ番目のタイムスロットのＰＣＦＩＣＨを含み、
基地局がＮ番目のタイムスロットの制御エリアにおいてＮ番目のタイムスロットの物理制御チャネルを使用して（Ｎ＋１）番目のタイムスロットの制御エリア指示情報をユーザ機器に送信することは、
基地局が、Ｎ番目のタイムスロットの制御エリアでＮ番目のタイムスロットのＰＤＣＣＨ中で搬送されるＤＣＩを使用して周波数領域制御指示情報をユーザ機器に通知することと、
基地局が、Ｎ番目のタイムスロットの制御エリアでＮ番目のタイムスロットのＰＤＣＣＨ中で搬送されるＤＣＩおよびＮ番目のタイムスロットのＰＣＦＩＣＨ中で搬送されるＣＦＩを使用して時間領域制御指示情報をユーザ機器に送信し、ここで、Ｎ番目のタイムスロットのＰＣＦＩＣＨ中で搬送されるＣＦＩが、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる参照時間領域時間単位エリアが、Ｎ番目のタイムスロット中のＮ番目のタイムスロットの制御エリアによって占められる時間領域時間単位エリアと同じであり、Ｎ番目のタイムスロットのＰＤＣＣＨ中で搬送されるＤＣＩが、（Ｎ＋１）番目のタイムスロットの制御エリアの時間単位エリアオフセット指示情報を含み、ユーザ機器が、（Ｎ＋１）番目のタイムスロットの制御エリアの時間単位エリアオフセット指示情報および（Ｎ＋１）番目のタイムスロット中の（Ｎ＋１）番目のタイムスロットの制御エリアによって占められる参照時間領域時間単位エリアに従って（Ｎ＋１）番目のタイムスロットの制御エリアの時間領域時間単位エリアを決定するようにする、送信することとを含む。
【００１０】
第１の態様または上記の任意の可能な実施方法に関連して、第４の可能な実施方法では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含み、
リソースブロックＲＢまたはリソースブロックグループＲＢＧは、周波数領域リソースブロックエリアの長さの単位として使用される。
【００１１】
第１の可能な実施方法から第３の可能な実施方法のうちの任意の可能な実施方法に関連して、第５の可能な実施方法では、基地局がＮ番目のタイムスロットの制御エリアでＮ番目のタイムスロットのＰＤＣＣＨ中で搬送されるダウンリンク制御インジケータＤＣＩを使用して周波数領域制御指示情報をユーザ機器に送信することは、
基地局が、ユーザ機器に割り当てられたセル無線ネットワーク一時識別子Ｃ−ＲＮＴＩを使用して、かつＮ番目のタイムスロットの制御エリアでＮ番目のタイムスロットのＰＤＣＣＨ中で搬送されるＤＣＩを使用して、周波数領域制御指示情報をユーザ機器に送信することを含む。
【００１２】
第５の可能な実施方法に関連して、第６の可能な実施方法では、基地局がユーザ機器に割り当てられたセル無線ネットワーク一時識別子Ｃ−ＲＮＴＩを使用して、かつＮ番目のタイムスロットの制御エリアでＮ番目のタイムスロットのＰＤＣＣＨ中で搬送されるＤＣＩを使用して、周波数領域制御指示情報をユーザ機器に送信することは、
基地局が、様々なユーザ機器に割り当てられる１つの共通な共通Ｃ−ＲＮＴＩを使用し、かつＮ番目のタイムスロットの制御エリアで伝送され、制御エリアでＮ番目のタイムスロットのＰＤＣＣＨ中で搬送されるＤＣＩを使用して、周波数領域制御指示情報をユーザ機器に送信することを含む。
【００１３】
本発明の実施形態の第２の態様は、ダウンリンク制御チャネルを伝送する方法であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応する方法を提供し、この方法は、
ユーザ機器が、Ｎ番目のタイムスロットの制御エリアにおいてＮ番目のタイムスロットの物理制御チャネルを使用して（Ｎ＋１）番目のタイムスロットの制御エリア指示情報を受信することであり、制御エリア指示情報が、周波数領域制御指示情報および時間領域制御指示情報を含み、周波数領域制御指示情報が、（Ｎ＋１）番目のタイムスロット中の（Ｎ＋１）番目のタイムスロットの制御エリアによって占められる周波数領域リソースブロックエリアを示すために使用され、時間領域制御指示情報が、（Ｎ＋１）番目のタイムスロット中の（Ｎ＋１）番目のタイムスロットの制御エリアによって占められる時間領域時間単位エリアを示すために使用される、受信することと、
ユーザ機器が、（Ｎ＋１）番目のタイムスロットの制御エリア指示情報に従って（Ｎ＋１）番目のタイムスロットの制御エリアを決定することと、
ユーザ機器が、（Ｎ＋１）番目のタイムスロットの制御エリアにおいて、（Ｎ＋１）番目のタイムスロットの物理制御チャネルを受信して、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定することであり、ｋ≧４である、受信することとを含む。
【００１４】
第２の態様に関連して、第１の可能な実施方法では、Ｎ番目のタイムスロットの物理制御チャネルは、Ｎ番目のタイムスロットの物理ダウンリンク制御チャネルＰＤＣＣＨであり、
ユーザ機器がＮ番目のタイムスロットの制御エリアにおいてＮ番目のタイムスロットの物理制御チャネルを使用して（Ｎ＋１）番目のタイムスロットの制御エリア指示情報を受信することは、
ユーザ機器が、Ｎ番目のタイムスロットの制御エリアでＮ番目のタイムスロットのＰＤＣＣＨ中で搬送されるダウンリンク制御インジケータＤＣＩを使用して、周波数領域制御指示情報および時間領域制御指示情報を受信することを含む。
【００１５】
第２の態様に関連して、第２の可能な実施方法では、Ｎ番目のタイムスロットの物理制御チャネルは、Ｎ番目のタイムスロットのＰＤＣＣＨおよびＮ番目のタイムスロットの物理制御フォーマットインジケータチャネルＰＣＦＩＣＨを含み、
ユーザ機器がＮ番目のタイムスロットの制御エリアにおいてＮ番目のタイムスロットの物理制御チャネルを使用して（Ｎ＋１）番目のタイムスロットの制御エリア指示情報を受信することは、
ユーザ機器が、Ｎ番目のタイムスロットの制御エリアでＮ番目のタイムスロットのＰＤＣＣＨ中で搬送されるＤＣＩを使用して周波数領域制御指示情報を受信することと、
ユーザ機器が、Ｎ番目のタイムスロットの制御エリアでＮ番目のタイムスロットのＰＣＦＩＣＨ中で搬送される制御フォーマットインジケータＣＦＩを使用して時間領域制御指示情報を受信することであり、Ｎ番目のタイムスロットのＰＣＦＩＣＨ中で搬送されるＣＦＩが、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる時間領域時間単位エリアが、Ｎ番目のタイムスロット中のＮ番目のタイムスロットの制御エリアによって占められる時間領域時間単位エリアと同じである、受信することとを含む。
【００１６】
第２の態様に関連して、第３の可能な実施方法では、Ｎ番目のタイムスロットの物理制御チャネルは、Ｎ番目のタイムスロットのＰＤＣＣＨおよびＮ番目のタイムスロットのＰＣＦＩＣＨを含み、
ユーザ機器がＮ番目のタイムスロットの制御エリアにおいてＮ番目のタイムスロットの物理制御チャネルを使用して（Ｎ＋１）番目のタイムスロットの制御エリア指示情報を受信することは、
ユーザ機器が、Ｎ番目のタイムスロットの制御エリアでＮ番目のタイムスロットのＰＤＣＣＨ中で搬送されるＤＣＩを使用して周波数領域制御指示情報を受信することと、
ユーザ機器が、Ｎ番目のタイムスロットの制御エリアでＮ番目のタイムスロットのＰＤＣＣＨ中で搬送されるＤＣＩおよびＮ番目のタイムスロットのＰＣＦＩＣＨ中で搬送されるＣＦＩを使用して時間領域制御指示情報を受信することとを含み、Ｎ番目のタイムスロットのＰＣＦＩＣＨ中で搬送されるＣＦＩは、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる参照時間領域時間単位エリアは、Ｎ番目のタイムスロット中のＮ番目のタイムスロットの制御エリアによって占められる時間領域時間単位エリアと同じであり、Ｎ番目のタイムスロットのＰＤＣＣＨ中で搬送されるＤＣＩは、（Ｎ＋１）番目のタイムスロットの制御エリアの時間単位エリアオフセット指示情報を含む。
【００１７】
第２の態様または上記の任意の可能な実施方法に関連して、第４の可能な実施方法では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含み、
リソースブロックＲＢまたはリソースブロックグループＲＢＧは、周波数領域リソースブロックエリアの長さの単位として使用される。
【００１８】
第１の可能な実施方法から第３の可能な実施方法に関連して、第５の可能な実施方法では、ユーザ機器がＮ番目のタイムスロットの制御エリアでＮ番目のタイムスロットのＰＤＣＣＨ中で搬送されるＤＣＩを使用して周波数領域制御指示情報を受信することは、
ユーザ機器が、共通の共通セル無線ネットワーク一時識別子Ｃ−ＲＮＴＩを使用して、かつＮ番目のタイムスロットの制御エリアでＮ番目のタイムスロットのＰＤＣＣＨ中で搬送されるＤＣＩを使用して、周波数領域制御指示情報を受信することを含む。
【００１９】
本発明の実施形態の第３の態様は、ダウンリンク制御チャネルを伝送する方法であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応する方法を提供し、この方法は、
基地局が、（Ｎ＋１）番目のタイムスロットの２次物理制御フォーマットインジケータチャネルＳ−ＰＣＦＩＣＨをユーザ機器に送信して、ユーザ機器が（Ｎ＋１）番目のタイムスロットのＳ−ＰＣＦＩＣＨおよび（Ｎ＋１）番目のタイムスロットのＳ−ＰＣＦＩＣＨのリソース要素位置情報に従って（Ｎ＋１）番目のタイムスロットの制御エリア指示情報を決定するようにすることであり、制御エリア指示情報が、周波数領域制御指示情報および時間領域制御指示情報を含み、周波数領域制御指示情報が、（Ｎ＋１）番目のタイムスロット中の（Ｎ＋１）番目のタイムスロットの制御エリアによって占められる周波数領域リソースブロックエリアを示すために使用され、時間領域制御指示情報が、（Ｎ＋１）番目のタイムスロット中の（Ｎ＋１）番目のタイムスロットの制御エリアによって占められる時間領域時間単位エリアを示すために使用され、リソース要素位置情報が、予め規定される、または上位レイヤシグナリングを使用して基地局からユーザ機器に送信される、送信することと、
基地局が、（Ｎ＋１）番目のタイムスロットの制御エリアにおいて、（Ｎ＋１）番目のタイムスロットの物理制御チャネルをユーザ機器に送信して、ユーザ機器が（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにすることであり、ｋ≧４である、送信することとを含む。
【００２０】
第３の態様に関連して、第１の可能な実施方法では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含み、
リソースブロックＲＢまたはリソースブロックグループＲＢＧは、周波数領域リソースブロックエリアの長さの単位として使用される。
【００２１】
第３の態様または第１の可能な実施方法に関連して、第２の可能な実施方法では、基地局が（Ｎ＋１）番目のタイムスロットの２次物理制御フォーマットインジケータチャネルＳ−ＰＣＦＩＣＨをユーザ機器に送信して、ユーザ機器が（Ｎ＋１）番目のタイムスロットのＳ−ＰＣＦＩＣＨおよび（Ｎ＋１）番目のタイムスロットのＳ−ＰＣＦＩＣＨのリソース要素位置情報に従って（Ｎ＋１）番目のタイムスロットの制御エリア指示情報を決定するようにすることは、
基地局が、リソース要素位置情報によって示されるリソース要素位置で（Ｎ＋１）番目のタイムスロットのＳ−ＰＣＦＩＣＨをユーザ機器に送信することであり、（Ｎ＋１）番目のタイムスロットのＳ−ＰＣＦＩＣＨが時間領域制御指示情報を搬送する、送信することを含み、
リソース要素位置情報は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と、（Ｎ＋１）番目のタイムスロット中の（Ｎ＋１）番目のタイムスロットのＳ−ＰＣＦＩＣＨによって占められる周波数領域リソースブロックエリアの長さとを含み、
（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じであり、（Ｎ＋１）番目のタイムスロット中の（Ｎ＋１）番目のタイムスロットの制御エリアによって占められる周波数領域リソースブロックエリアの長さは、Ｌに（Ｎ＋１）番目のタイムスロットのＳ−ＰＣＦＩＣＨが位置する（Ｎ＋１）番目のタイムスロット中の周波数領域リソースブロックエリアの長さを加えたものに等しく、Ｌは０以上の整数である。
【００２２】
第１の可能な実施方法に関連して、第３の可能な実施方法では、基地局が（Ｎ＋１）番目のタイムスロットの２次物理制御フォーマットインジケータチャネルＳ−ＰＣＦＩＣＨをユーザ機器に送信して、ユーザ機器が（Ｎ＋１）番目のタイムスロットのＳ−ＰＣＦＩＣＨおよび（Ｎ＋１）番目のタイムスロットのＳ−ＰＣＦＩＣＨのリソース要素位置情報に従って（Ｎ＋１）番目のタイムスロットの制御エリア指示情報を決定するようにすることは、
基地局が、リソース要素位置情報によって示されるリソース要素位置で（Ｎ＋１）番目のタイムスロットのＳ−ＰＣＦＩＣＨをユーザ機器に送信することであり、（Ｎ＋１）番目のタイムスロットのＳ−ＰＣＦＩＣＨが周波数領域リソース長情報および時間領域制御指示情報を搬送する、送信することを含み、
周波数領域リソース長情報は、（Ｎ＋１）番目のタイムスロット中の（Ｎ＋１）番目のタイムスロットの制御エリアによって占められる周波数領域リソースブロックエリアの長さを示すために使用され、リソース要素位置情報は、（Ｎ＋１）番目のタイムスロット中の（Ｎ＋１）番目のタイムスロットのＳ−ＰＣＦＩＣＨの周波数領域リソースブロック開始位置を含み、（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じである。
【００２３】
本発明の実施形態の第４の態様は、ダウンリンク制御チャネルを伝送する方法であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応する方法を提供し、この方法は、
ユーザ機器が、上位レイヤシグナリングまたは予め規定された方法を使用して（Ｎ＋１）番目のタイムスロットの２次物理制御フォーマットインジケータチャネルＳ−ＰＣＦＩＣＨのリソース要素位置情報を決定することと、
ユーザ機器が、（Ｎ＋１）番目のタイムスロットのＳ−ＰＣＦＩＣＨのリソース要素位置情報によって示されるリソース要素位置で、（Ｎ＋１）番目のタイムスロットのＳ−ＰＣＦＩＣＨを受信することと、
ユーザ機器が、（Ｎ＋１）番目のタイムスロットのＳ−ＰＣＦＩＣＨのリソース要素位置情報および（Ｎ＋１）番目のタイムスロットのＳ−ＰＣＦＩＣＨに従って（Ｎ＋１）番目のタイムスロットの制御エリア指示情報を決定することであり、制御エリア指示情報が、周波数領域制御指示情報および時間領域制御指示情報を含み、周波数領域制御指示情報が、（Ｎ＋１）番目のタイムスロット中の（Ｎ＋１）番目のタイムスロットの制御エリアによって占められる周波数領域リソースブロックエリアを示すために使用され、時間領域制御指示情報が、（Ｎ＋１）番目のタイムスロット中の（Ｎ＋１）番目のタイムスロットの制御エリアによって占められる時間領域時間単位エリアを示すために使用される、決定することと、
ユーザ機器が、（Ｎ＋１）番目のタイムスロットの制御エリア指示情報に従って（Ｎ＋１）番目のタイムスロットの制御エリアを決定することと、
ユーザ機器が、（Ｎ＋１）番目のタイムスロットの制御エリアにおいて、（Ｎ＋１）番目のタイムスロットの物理制御チャネルを受信して、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定することであり、ｋ≧４である、受信することとを含む。
【００２４】
第４の態様に関連して、第１の可能な実施方法では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含み、
リソースブロックＲＢまたはリソースブロックグループＲＢＧは、周波数領域リソースブロックエリアの長さの単位として使用される。
【００２５】
第４の態様または第１の可能な実施方法に関連して、第２の可能な実施方法では、ユーザ機器が（Ｎ＋１）番目のタイムスロットのＳ−ＰＣＦＩＣＨのリソース要素位置情報および（Ｎ＋１）番目のタイムスロットのＳ−ＰＣＦＩＣＨに従って（Ｎ＋１）番目のタイムスロットの制御エリア指示情報を決定することは、
ユーザ機器が、リソース要素位置情報に従って周波数領域制御指示情報を決定することであり、リソース要素位置情報が、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と、（Ｎ＋１）番目のタイムスロット中の（Ｎ＋１）番目のタイムスロットのＳ−ＰＣＦＩＣＨによって占められる周波数領域リソースブロックエリアの長さとを含み、（Ｎ＋１）番目のタイムスロット中の（Ｎ＋１）番目のタイムスロットの制御エリアによって占められる周波数領域リソースブロックエリアの周波数領域リソースブロック開始位置が、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じであり、（Ｎ＋１）番目のタイムスロット中の（Ｎ＋１）番目のタイムスロットの制御エリアによって占められる周波数領域リソースブロックエリアの長さが、Ｌに（Ｎ＋１）番目のタイムスロットのＳ−ＰＣＦＩＣＨが位置する（Ｎ＋１）番目のタイムスロット中の周波数領域リソースブロックエリアの長さを加えたものに等しく、Ｌが０以上の整数である、決定することと、
ユーザ機器が、（Ｎ＋１）番目のタイムスロットのＳ−ＰＣＦＩＣＨ中で搬送される２次制御フォーマットインジケータ情報Ｓ−ＣＦＩに従って時間領域制御指示情報を決定することとを含む。
【００２６】
第１の可能な実施方法に関連して、第３の可能な実施方法では、ユーザ機器が（Ｎ＋１）番目のタイムスロットのＳ−ＰＣＦＩＣＨのリソース要素位置情報および（Ｎ＋１）番目のタイムスロットのＳ−ＰＣＦＩＣＨに従って（Ｎ＋１）番目のタイムスロットの制御エリア指示情報を決定することは、
ユーザ機器が、リソース要素位置情報に従って、（Ｎ＋１）番目のタイムスロット中の（Ｎ＋１）番目のタイムスロットの制御エリアによって占められる周波数領域リソースブロックエリアの周波数領域リソースブロック開始位置を決定することであり、リソース要素位置情報が、（Ｎ＋１）番目のタイムスロット中の（Ｎ＋１）番目のタイムスロットのＳ−ＰＣＦＩＣＨの周波数領域リソースブロック開始位置を含み、（Ｎ＋１）番目のタイムスロット中の（Ｎ＋１）番目のタイムスロットの制御エリアによって占められる周波数領域リソースブロックエリアの周波数領域リソースブロック開始位置が、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じである、決定することと、
ユーザ機器が、（Ｎ＋１）番目のタイムスロットのＳ−ＰＣＦＩＣＨ中で搬送されるＳ−ＣＦＩに従って、（Ｎ＋１）番目のタイムスロット中の（Ｎ＋１）番目のタイムスロットの制御エリアによって占められる周波数領域リソースブロックエリアの長さおよび時間領域制御指示情報を決定することとを含む。
【００２７】
本発明の実施形態の第５の態様は、ダウンリンク制御チャネルを伝送する方法であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応する方法を提供し、この方法は、
基地局が、Ｎ番目のタイムスロットの制御エリアにおいて上位レイヤシグナリング、または上位レイヤシグナリングおよびＮ番目のタイムスロットの物理制御チャネルを使用して、（Ｎ＋１）番目のタイムスロットの制御エリア指示情報をユーザ機器に送信することであり、制御エリア指示情報が、周波数領域制御指示情報および時間領域制御指示情報を含み、周波数領域制御指示情報が、（Ｎ＋１）番目のタイムスロット中の（Ｎ＋１）番目のタイムスロットの制御エリアによって占められる周波数領域リソースブロックエリアを示すために使用され、時間領域制御指示情報が、（Ｎ＋１）番目のタイムスロット中の（Ｎ＋１）番目のタイムスロットの制御エリアによって占められる時間領域時間単位エリアを示すために使用され、（Ｎ＋１）番目のタイムスロットの制御エリアが、（Ｎ＋１）番目のタイムスロットの物理制御チャネルを伝送するために使用される、送信することと、
基地局が、（Ｎ＋１）番目のタイムスロットの制御エリアにおいて、（Ｎ＋１）番目のタイムスロットの物理制御チャネルをユーザ機器に送信して、ユーザ機器が（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにすることであり、ｋ≧４である、送信することとを含み、
上位レイヤシグナリングは、無線リソース制御ＲＲＣ構成シグナリング、または媒体アクセス制御ＭＡＣレイヤ構成シグナリングである。
【００２８】
本発明の実施形態の第６の態様は、ダウンリンク制御チャネルを伝送する方法であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応する方法を提供し、この方法は、
ユーザ機器が、Ｎ番目のタイムスロットの制御エリアにおいて上位レイヤシグナリング、または上位レイヤシグナリングおよびＮ番目のタイムスロットの物理制御チャネルを使用して基地局から送信される（Ｎ＋１）番目のタイムスロットの制御エリア指示情報を受信することであり、制御エリア指示情報が、周波数領域制御指示情報および時間領域制御指示情報を含み、周波数領域制御指示情報が、（Ｎ＋１）番目のタイムスロット中の（Ｎ＋１）番目のタイムスロットの制御エリアによって占められる周波数領域リソースブロックエリアを示すために使用され、時間領域制御指示情報が、（Ｎ＋１）番目のタイムスロット中の（Ｎ＋１）番目のタイムスロットの制御エリアによって占められる時間領域時間単位エリアを示すために使用され、（Ｎ＋１）番目のタイムスロットの制御エリアが、（Ｎ＋１）番目のタイムスロットの物理制御チャネルを伝送するために使用される、受信することと、
ユーザ機器が、（Ｎ＋１）番目のタイムスロットの制御エリア指示情報に従って（Ｎ＋１）番目のタイムスロットの制御エリアを決定することと、
ユーザ機器が、（Ｎ＋１）番目のタイムスロットの制御エリアにおいて、（Ｎ＋１）番目のタイムスロットの物理制御チャネルを受信して、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定することであり、ｋ≧４である、受信することとを含み、
上位レイヤシグナリングは、無線リソース制御ＲＲＣ構成シグナリング、または媒体アクセス制御ＭＡＣレイヤ構成シグナリングである。
【００２９】
本発明の実施形態の第７の態様は、基地局であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応する基地局を提供し、この基地局は、
Ｎ番目のタイムスロットの制御エリアにおいてＮ番目のタイムスロットの物理制御チャネルを使用して（Ｎ＋１）番目のタイムスロットの制御エリア指示情報をユーザ機器に送信するように構成された第１の送信ユニットであり、制御エリア指示情報が、周波数領域制御指示情報および時間領域制御指示情報を含み、周波数領域制御指示情報が、（Ｎ＋１）番目のタイムスロット中の（Ｎ＋１）番目のタイムスロットの制御エリアによって占められる周波数領域リソースブロックエリアを示すために使用され、時間領域制御指示情報が、（Ｎ＋１）番目のタイムスロット中の（Ｎ＋１）番目のタイムスロットの制御エリアによって占められる時間領域時間単位エリアを示すために使用される第１の送信ユニットと、
第１の送信ユニットによって送信される（Ｎ＋１）番目のタイムスロットの制御エリア指示情報によって示される（Ｎ＋１）番目のタイムスロットの制御エリアにおいて、（Ｎ＋１）番目のタイムスロットの物理制御チャネルをユーザ機器に送信して、ユーザ機器が（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにさらに構成された第２の送信ユニットであり、ｋ≧４である第２の送信ユニットとを含む。
【００３０】
第７の態様に関連して、第１の可能な実施方法では、Ｎ番目のタイムスロットの物理制御チャネルは、Ｎ番目のタイムスロットの物理ダウンリンク制御チャネルＰＤＣＣＨであり、
第１の送信ユニットは、Ｎ番目のタイムスロットの制御エリアでＮ番目のタイムスロットのＰＤＣＣＨ中で搬送されるダウンリンク制御インジケータＤＣＩを使用して、周波数領域制御指示情報および時間領域制御指示情報をユーザ機器に送信するように特に構成される。
【００３１】
第７の態様に関連して、第２の可能な実施方法では、Ｎ番目のタイムスロットの物理制御チャネルは、Ｎ番目のタイムスロットのＰＤＣＣＨおよびＮ番目のタイムスロットの物理制御フォーマットインジケータチャネルＰＣＦＩＣＨを含み、
第１の送信ユニットは、
Ｎ番目のタイムスロットの制御エリアでＮ番目のタイムスロットのＰＤＣＣＨ中で搬送されるＤＣＩを使用して周波数領域制御指示情報をユーザ機器に送信し、
Ｎ番目のタイムスロットの制御エリアでＮ番目のタイムスロットのＰＣＦＩＣＨ中で搬送される制御フォーマットインジケータＣＦＩを使用して時間領域制御指示情報をユーザ機器に送信するように特に構成され、Ｎ番目のタイムスロットのＰＣＦＩＣＨ中で搬送されるＣＦＩは、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる時間領域時間単位エリアは、Ｎ番目のタイムスロット中のＮ番目のタイムスロットの制御エリアによって占められる時間領域時間単位エリアと同じである。
【００３２】
第７の態様に関連して、第３の可能な実施方法では、Ｎ番目のタイムスロットの物理制御チャネルは、Ｎ番目のタイムスロットのＰＤＣＣＨおよびＮ番目のタイムスロットのＰＣＦＩＣＨを含み、
第１の送信ユニットは、
Ｎ番目のタイムスロットの制御エリアでＮ番目のタイムスロットのＰＤＣＣＨ中で搬送されるＤＣＩを使用して周波数領域制御指示情報をユーザ機器に通知し、
Ｎ番目のタイムスロットの制御エリアでＮ番目のタイムスロットのＰＤＣＣＨ中で搬送されるＤＣＩおよびＮ番目のタイムスロットのＰＣＦＩＣＨ中で搬送されるＣＦＩを使用して時間領域制御指示情報をユーザ機器に送信し、ここで、Ｎ番目のタイムスロットのＰＣＦＩＣＨ中で搬送されるＣＦＩが、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる参照時間領域時間単位エリアが、Ｎ番目のタイムスロット中のＮ番目のタイムスロットの制御エリアによって占められる時間領域時間単位エリアと同じであり、Ｎ番目のタイムスロットのＰＤＣＣＨ中で搬送されるＤＣＩが、（Ｎ＋１）番目のタイムスロットの制御エリアの時間単位エリアオフセット指示情報を含み、ユーザ機器が、（Ｎ＋１）番目のタイムスロットの制御エリアの時間単位エリアオフセット指示情報および（Ｎ＋１）番目のタイムスロット中の（Ｎ＋１）番目のタイムスロットの制御エリアによって占められる参照時間領域時間単位エリアに従って（Ｎ＋１）番目のタイムスロットの制御エリアの時間領域時間単位エリアを決定するように特に構成される。
【００３３】
第７の態様または上記の任意の可能な実施方法に関連して、第４の可能な実施方法では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含み、
リソースブロックＲＢまたはリソースブロックグループＲＢＧは、周波数領域リソースブロックエリアの長さの単位として使用される。
【００３４】
第１の可能な実施方法から第３の可能な実施方法のうちの任意の可能な実施方法に関連して、第５の可能な実施方法では、第１の送信ユニットは、ユーザ機器に割り当てられたセル無線ネットワーク一時識別子Ｃ−ＲＮＴＩを使用して、かつＮ番目のタイムスロットの制御エリアでＮ番目のタイムスロットのＰＤＣＣＨ中で搬送されるＤＣＩを使用して、周波数領域制御指示情報をユーザ機器に送信するように特に構成される。
【００３５】
第５の可能な実施方法に関連して、第６の可能な実施方法では、第１の送信ユニットは、様々なユーザ機器に割り当てられる１つの共通な共通Ｃ−ＲＮＴＩを使用し、かつＮ番目のタイムスロットの制御エリアで伝送され、制御エリアでＮ番目のタイムスロットのＰＤＣＣＨ中で搬送されるＤＣＩを使用して、周波数領域制御指示情報をユーザ機器に送信するように特に構成される。
【００３６】
本発明の実施形態の第８の態様は、ユーザ機器であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応するユーザ機器を提供し、このユーザ機器は、
Ｎ番目のタイムスロットの制御エリアにおいてＮ番目のタイムスロットの物理制御チャネルを使用して（Ｎ＋１）番目のタイムスロットの制御エリア指示情報を受信するように構成された第１の受信ユニットであり、制御エリア指示情報が、周波数領域制御指示情報および時間領域制御指示情報を含み、周波数領域制御指示情報が、（Ｎ＋１）番目のタイムスロット中の（Ｎ＋１）番目のタイムスロットの制御エリアによって占められる周波数領域リソースブロックエリアを示すために使用され、時間領域制御指示情報が、（Ｎ＋１）番目のタイムスロット中の（Ｎ＋１）番目のタイムスロットの制御エリアによって占められる時間領域時間単位エリアを示すために使用される第１の受信ユニットと、
第１の受信ユニットによって受信される（Ｎ＋１）番目のタイムスロットの制御エリア指示情報に従って（Ｎ＋１）番目のタイムスロットの制御エリアを決定するように構成された決定ユニットと、
決定ユニットによって決定される（Ｎ＋１）番目のタイムスロットの制御エリアにおいて、（Ｎ＋１）番目のタイムスロットの物理制御チャネルを受信して、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するように構成された第２の受信ユニットであり、ｋ≧４である第２の受信ユニットとを含む。
【００３７】
第８の態様に関連して、第１の可能な実施方法では、Ｎ番目のタイムスロットの物理制御チャネルは、Ｎ番目のタイムスロットの物理ダウンリンク制御チャネルＰＤＣＣＨであり、
第１の受信ユニットは、Ｎ番目のタイムスロットの制御エリアでＮ番目のタイムスロットのＰＤＣＣＨ中で搬送されるダウンリンク制御インジケータＤＣＩを使用して、周波数領域制御指示情報および時間領域制御指示情報を受信するように特に構成される。
【００３８】
第８の態様に関連して、第２の可能な実施方法では、Ｎ番目のタイムスロットの物理制御チャネルは、Ｎ番目のタイムスロットのＰＤＣＣＨおよびＮ番目のタイムスロットの物理制御フォーマットインジケータチャネルＰＣＦＩＣＨを含み、
第１の受信ユニットは、
Ｎ番目のタイムスロットの制御エリアでＮ番目のタイムスロットのＰＤＣＣＨ中で搬送されるＤＣＩを使用して周波数領域制御指示情報を受信し、
Ｎ番目のタイムスロットの制御エリアでＮ番目のタイムスロットのＰＣＦＩＣＨ中で搬送される制御フォーマットインジケータＣＦＩを使用して時間領域制御指示情報を受信するように特に構成され、Ｎ番目のタイムスロットのＰＣＦＩＣＨ中で搬送されるＣＦＩは、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる時間領域時間単位エリアは、Ｎ番目のタイムスロット中のＮ番目のタイムスロットの制御エリアによって占められる時間領域時間単位エリアと同じである。
【００３９】
第８の態様に関連して、第３の可能な実施方法では、Ｎ番目のタイムスロットの物理制御チャネルは、Ｎ番目のタイムスロットのＰＤＣＣＨおよびＮ番目のタイムスロットのＰＣＦＩＣＨを含み、
第１の受信ユニットは、
Ｎ番目のタイムスロットの制御エリアでＮ番目のタイムスロットのＰＤＣＣＨ中で搬送されるＤＣＩを使用して周波数領域制御指示情報を受信し、
Ｎ番目のタイムスロットの制御エリアでＮ番目のタイムスロットのＰＤＣＣＨ中で搬送されるＤＣＩおよびＮ番目のタイムスロットのＰＣＦＩＣＨ中で搬送されるＣＦＩを使用して時間領域制御指示情報を受信するように特に構成され、
Ｎ番目のタイムスロットのＰＣＦＩＣＨ中で搬送されるＣＦＩは、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる参照時間領域時間単位エリアは、Ｎ番目のタイムスロット中のＮ番目のタイムスロットの制御エリアによって占められる時間領域時間単位エリアと同じであり、Ｎ番目のタイムスロットのＰＤＣＣＨ中で搬送されるＤＣＩは、（Ｎ＋１）番目のタイムスロットの制御エリアの時間単位エリアオフセット指示情報を含む。
【００４０】
第８の態様または上記の任意の可能な実施方法に関連して、第４の可能な実施方法では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含み、
リソースブロックＲＢまたはリソースブロックグループＲＢＧは、周波数領域リソースブロックエリアの長さの単位として使用される。
【００４１】
第１の可能な実施方法から第３の可能な実施方法に関連して、第５の可能な実施方法では、第１の受信ユニットは、共通の共通セル無線ネットワーク一時識別子Ｃ−ＲＮＴＩを使用して、かつＮ番目のタイムスロットの制御エリアでＮ番目のタイムスロットのＰＤＣＣＨ中で搬送されるＤＣＩを使用して、周波数領域制御指示情報を受信するように特に構成される。
【００４２】
本発明の実施形態の第９の態様は、基地局であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応する基地局を提供し、この基地局は、
（Ｎ＋１）番目のタイムスロットの２次物理制御フォーマットインジケータチャネルＳ−ＰＣＦＩＣＨをユーザ機器に送信して、ユーザ機器が（Ｎ＋１）番目のタイムスロットのＳ−ＰＣＦＩＣＨおよび（Ｎ＋１）番目のタイムスロットのＳ−ＰＣＦＩＣＨのリソース要素位置情報に従って（Ｎ＋１）番目のタイムスロットの制御エリア指示情報を決定するように構成された第１の送信ユニットであり、制御エリア指示情報が、周波数領域制御指示情報および時間領域制御指示情報を含み、周波数領域制御指示情報が、（Ｎ＋１）番目のタイムスロット中の（Ｎ＋１）番目のタイムスロットの制御エリアによって占められる周波数領域リソースブロックエリアを示すために使用され、時間領域制御指示情報が、（Ｎ＋１）番目のタイムスロット中の（Ｎ＋１）番目のタイムスロットの制御エリアによって占められる時間領域時間単位エリアを示すために使用され、リソース要素位置情報が、予め規定される、または上位レイヤシグナリングを使用して基地局からユーザ機器に送信される第１の送信ユニットと、
第１の送信ユニットによって送信される制御エリア指示情報によって示される（Ｎ＋１）番目のタイムスロットの制御エリアにおいて、（Ｎ＋１）番目のタイムスロットの物理制御チャネルをユーザ機器に送信して、ユーザ機器が（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するように構成された第２の送信ユニットであり、ｋ≧４である第２の送信ユニットとを含む。
【００４３】
第９の態様に関連して、第１の可能な実施方法では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含み、
リソースブロックＲＢまたはリソースブロックグループＲＢＧは、周波数領域リソースブロックエリアの長さの単位として使用される。
【００４４】
第９の態様または第１の可能な実施方法に関連して、第２の可能な実施方法では、第１の送信ユニットは、リソース要素位置情報によって示されるリソース要素位置で（Ｎ＋１）番目のタイムスロットのＳ−ＰＣＦＩＣＨをユーザ機器に送信するように特に構成され、（Ｎ＋１）番目のタイムスロットのＳ−ＰＣＦＩＣＨは、時間領域制御指示情報を搬送し、
リソース要素位置情報は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と、（Ｎ＋１）番目のタイムスロット中の（Ｎ＋１）番目のタイムスロットのＳ−ＰＣＦＩＣＨによって占められる周波数領域リソースブロックエリアの長さとを含み、
（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じであり、（Ｎ＋１）番目のタイムスロット中の（Ｎ＋１）番目のタイムスロットの制御エリアによって占められる周波数領域リソースブロックエリアの長さは、Ｌに（Ｎ＋１）番目のタイムスロットのＳ−ＰＣＦＩＣＨが位置する（Ｎ＋１）番目のタイムスロット中の周波数領域リソースブロックエリアの長さを加えたものに等しく、Ｌは０以上の整数である。
【００４５】
第１の可能な実施方法に関連して、第３の可能な実施方法では、第１の送信ユニットは、リソース要素位置情報によって示されるリソース要素位置で（Ｎ＋１）番目のタイムスロットのＳ−ＰＣＦＩＣＨをユーザ機器に送信するように特に構成され、（Ｎ＋１）番目のタイムスロットのＳ−ＰＣＦＩＣＨは、周波数領域リソース長情報および時間領域制御指示情報を搬送し、
周波数領域リソース長情報は、（Ｎ＋１）番目のタイムスロット中の（Ｎ＋１）番目のタイムスロットの制御エリアによって占められる周波数領域リソースブロックエリアの長さを示すために使用され、リソース要素位置情報は、（Ｎ＋１）番目のタイムスロット中の（Ｎ＋１）番目のタイムスロットのＳ−ＰＣＦＩＣＨの周波数領域リソースブロック開始位置を含み、（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じである。
【００４６】
本発明の実施形態の第１０の態様は、ユーザ機器であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応するユーザ機器を提供し、このユーザ機器は、
上位レイヤシグナリングまたは予め規定された方法を使用して（Ｎ＋１）番目のタイムスロットの２次物理制御フォーマットインジケータチャネルＳ−ＰＣＦＩＣＨのリソース要素位置情報を決定するように構成された第１の決定ユニットと、
第１の決定ユニットによって決定される（Ｎ＋１）番目のタイムスロットのＳ−ＰＣＦＩＣＨのリソース要素位置情報によって示されるリソース要素位置で、（Ｎ＋１）番目のタイムスロットのＳ−ＰＣＦＩＣＨチャネルを受信するように構成された第１の受信ユニットと、
第１の決定ユニットによって決定される（Ｎ＋１）番目のタイムスロットのＳ−ＰＣＦＩＣＨのリソース要素位置情報および第１の受信ユニットによって受信される（Ｎ＋１）番目のタイムスロットのＳ−ＰＣＦＩＣＨに従って（Ｎ＋１）番目のタイムスロットの制御エリア指示情報を決定するように構成された第２の決定ユニットであり、制御エリア指示情報が、周波数領域制御指示情報および時間領域制御指示情報を含み、周波数領域制御指示情報が、（Ｎ＋１）番目のタイムスロット中の（Ｎ＋１）番目のタイムスロットの制御エリアによって占められる周波数領域リソースブロックエリアを示すために使用され、時間領域制御指示情報が、（Ｎ＋１）番目のタイムスロット中の（Ｎ＋１）番目のタイムスロットの制御エリアによって占められる時間領域時間単位エリアを示すために使用される第２の決定ユニットと、
第２の決定ユニットによって決定される（Ｎ＋１）番目のタイムスロットの制御エリア指示情報に従って（Ｎ＋１）番目のタイムスロットの制御エリアを決定するように構成された第３の決定ユニットと、
第３の決定ユニットによって決定される（Ｎ＋１）番目のタイムスロットの制御エリアにおいて、（Ｎ＋１）番目のタイムスロットの物理制御チャネルを受信して、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するように構成された第２の受信ユニットであり、ｋ≧４である第２の受信ユニットとを含む。
【００４７】
第１０の態様に関連して、第１の可能な実施方法では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含み、
リソースブロックＲＢまたはリソースブロックグループＲＢＧは、周波数領域リソースブロックエリアの長さの単位として使用される。
【００４８】
第１０の態様または第１の可能な実施方法に関連して、第２の可能な実施方法では、第２の決定ユニットは、
リソース要素位置情報に従って周波数領域制御指示情報を決定し、ここで、リソース要素位置情報が、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と、（Ｎ＋１）番目のタイムスロット中の（Ｎ＋１）番目のタイムスロットのＳ−ＰＣＦＩＣＨによって占められる周波数領域リソースブロックエリアの長さとを含み、（Ｎ＋１）番目のタイムスロット中の（Ｎ＋１）番目のタイムスロットの制御エリアによって占められる周波数領域リソースブロックエリアの周波数領域リソースブロック開始位置が、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じであり、（Ｎ＋１）番目のタイムスロット中の（Ｎ＋１）番目のタイムスロットの制御エリアによって占められる周波数領域リソースブロックエリアの長さが、Ｌに（Ｎ＋１）番目のタイムスロットのＳ−ＰＣＦＩＣＨが位置する（Ｎ＋１）番目のタイムスロット中の周波数領域リソースブロックエリアの長さを加えたものに等しく、Ｌが０以上の整数であり、
（Ｎ＋１）番目のタイムスロットのＳ−ＰＣＦＩＣＨ中で搬送される２次制御フォーマットインジケータ情報Ｓ−ＣＦＩに従って時間領域制御指示情報を決定するように特に構成される。
【００４９】
第１の可能な実施方法に関連して、第３の可能な実施方法では、第２の決定ユニットは、
リソース要素位置情報に従って、（Ｎ＋１）番目のタイムスロット中の（Ｎ＋１）番目のタイムスロットの制御エリアによって占められる周波数領域リソースブロックエリアの周波数領域リソースブロック開始位置を決定し、ここで、リソース要素位置情報が、（Ｎ＋１）番目のタイムスロット中の（Ｎ＋１）番目のタイムスロットのＳ−ＰＣＦＩＣＨの周波数領域リソースブロック開始位置を含み、（Ｎ＋１）番目のタイムスロット中の（Ｎ＋１）番目のタイムスロットの制御エリアによって占められる周波数領域リソースブロックエリアの周波数領域リソースブロック開始位置が、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じであり、
（Ｎ＋１）番目のタイムスロットのＳ−ＰＣＦＩＣＨ中で搬送されるＳ−ＣＦＩに従って、（Ｎ＋１）番目のタイムスロット中の（Ｎ＋１）番目のタイムスロットの制御エリアによって占められる周波数領域リソースブロックエリアの長さおよび時間領域制御指示情報を決定するように特に構成される。
【００５０】
本発明の実施形態の第１１の態様は、基地局であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応する基地局を提供し、この基地局は、
Ｎ番目のタイムスロットの制御エリアにおいて上位レイヤシグナリング、または上位レイヤシグナリングおよびＮ番目のタイムスロットの物理制御チャネルを使用して、（Ｎ＋１）番目のタイムスロットの制御エリア指示情報をユーザ機器に送信するように構成された第１の送信ユニットであり、制御エリア指示情報が、周波数領域制御指示情報および時間領域制御指示情報を含み、周波数領域制御指示情報が、（Ｎ＋１）番目のタイムスロット中の（Ｎ＋１）番目のタイムスロットの制御エリアによって占められる周波数領域リソースブロックエリアを示すために使用され、時間領域制御指示情報が、（Ｎ＋１）番目のタイムスロット中の（Ｎ＋１）番目のタイムスロットの制御エリアによって占められる時間領域時間単位エリアを示すために使用され、（Ｎ＋１）番目のタイムスロットの制御エリアが、（Ｎ＋１）番目のタイムスロットの物理制御チャネルを伝送するために使用される第１の送信ユニットと、
第１の送信ユニットによって送信される制御エリア指示情報によって示される（Ｎ＋１）番目のタイムスロットの制御エリアにおいて、（Ｎ＋１）番目のタイムスロットの物理制御チャネルをユーザ機器に送信して、ユーザ機器が（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するように構成された第２の送信ユニットであり、ｋ≧４である第２の送信ユニットとを含み、
上位レイヤシグナリングは、無線リソース制御ＲＲＣ構成シグナリング、または媒体アクセス制御ＭＡＣレイヤ構成シグナリングである。
【００５１】
本発明の実施形態の第１２の態様は、ユーザ機器であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応するユーザ機器を提供し、このユーザ機器は、
Ｎ番目のタイムスロットの制御エリアにおいて上位レイヤシグナリング、または上位レイヤシグナリングおよびＮ番目のタイムスロットの物理制御チャネルを使用して基地局から送信される（Ｎ＋１）番目のタイムスロットの制御エリア指示情報を受信するように構成された第１の受信ユニットであり、制御エリア指示情報が、周波数領域制御指示情報および時間領域制御指示情報を含み、周波数領域制御指示情報が、（Ｎ＋１）番目のタイムスロット中の（Ｎ＋１）番目のタイムスロットの制御エリアによって占められる周波数領域リソースブロックエリアを示すために使用され、時間領域制御指示情報が、（Ｎ＋１）番目のタイムスロット中の（Ｎ＋１）番目のタイムスロットの制御エリアによって占められる時間領域時間単位エリアを示すために使用され、（Ｎ＋１）番目のタイムスロットの制御エリアが、（Ｎ＋１）番目のタイムスロットの物理制御チャネルを伝送するために使用される第１の受信ユニットと、
第１の受信ユニットによって受信される（Ｎ＋１）番目のタイムスロットの制御エリア指示情報に従って（Ｎ＋１）番目のタイムスロットの制御エリアを決定するように構成された決定ユニットと、
決定ユニットによって決定される（Ｎ＋１）番目のタイムスロットの制御エリアにおいて、（Ｎ＋１）番目のタイムスロットの物理制御チャネルを受信して、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するように構成された第２の受信ユニットであり、ｋ≧４である第２の受信ユニットとを含み、
上位レイヤシグナリングは、無線リソース制御ＲＲＣ構成シグナリング、または媒体アクセス制御ＭＡＣレイヤ構成シグナリングである。
【００５２】
本発明の実施形態の第１３の態様は、基地局であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応する基地局を提供し、この基地局は、
プログラムコードのグループを記憶するように構成されたメモリであり、このメモリが、基地局のコンピュータ記憶媒体であり、コンピュータ記憶媒体が、不揮発性記憶媒体を含むメモリと、
メモリに記憶されたプログラムコードに従って以下の動作を実行するように構成された伝送器とを含む。
Ｎ番目のタイムスロットの制御エリアにおいてＮ番目のタイムスロットの物理制御チャネルを使用して（Ｎ＋１）番目のタイムスロットの制御エリア指示情報をユーザ機器に送信する。ここで、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用される。
（Ｎ＋１）番目のタイムスロットの制御エリアにおいて、（Ｎ＋１）番目のタイムスロットの物理制御チャネルをユーザ機器に送信して、ユーザ機器が（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにする。ここで、ｋ≧４である。
【００５３】
第１３の態様に関連して、第１の可能な実施方法では、Ｎ番目のタイムスロットの物理制御チャネルは、Ｎ番目のタイムスロットの物理ダウンリンク制御チャネルＰＤＣＣＨであり、
伝送器は、Ｎ番目のタイムスロットの制御エリアでＮ番目のタイムスロットのＰＤＣＣＨ中で搬送されるダウンリンク制御インジケータＤＣＩを使用して、周波数領域制御指示情報および時間領域制御指示情報をユーザ機器に送信するように特に構成される。
【００５４】
第１３の態様に関連して、第２の可能な実施方法では、Ｎ番目のタイムスロットの物理制御チャネルは、Ｎ番目のタイムスロットのＰＤＣＣＨおよびＮ番目のタイムスロットの物理制御フォーマットインジケータチャネルＰＣＦＩＣＨを含み、
伝送器は、
Ｎ番目のタイムスロットの制御エリアでＮ番目のタイムスロットのＰＤＣＣＨ中で搬送されるＤＣＩを使用して周波数領域制御指示情報をユーザ機器に送信し、
Ｎ番目のタイムスロットの制御エリアでＮ番目のタイムスロットのＰＣＦＩＣＨ中で搬送される制御フォーマットインジケータＣＦＩを使用して時間領域制御指示情報をユーザ機器に送信するように特に構成され、Ｎ番目のタイムスロットのＰＣＦＩＣＨ中で搬送されるＣＦＩは、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる時間領域時間単位エリアは、Ｎ番目のタイムスロット中のＮ番目のタイムスロットの制御エリアによって占められる時間領域時間単位エリアと同じである。
【００５５】
第１３の態様に関連して、第３の可能な実施方法では、Ｎ番目のタイムスロットの物理制御チャネルは、Ｎ番目のタイムスロットのＰＤＣＣＨおよびＮ番目のタイムスロットのＰＣＦＩＣＨを含み、
伝送器は、
Ｎ番目のタイムスロットの制御エリアでＮ番目のタイムスロットのＰＤＣＣＨ中で搬送されるＤＣＩを使用して周波数領域制御指示情報をユーザ機器に通知し、
Ｎ番目のタイムスロットの制御エリアでＮ番目のタイムスロットのＰＤＣＣＨ中で搬送されるＤＣＩおよびＮ番目のタイムスロットのＰＣＦＩＣＨ中で搬送されるＣＦＩを使用して時間領域制御指示情報をユーザ機器に送信し、ここで、Ｎ番目のタイムスロットのＰＣＦＩＣＨ中で搬送されるＣＦＩが、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる参照時間領域時間単位エリアが、Ｎ番目のタイムスロット中のＮ番目のタイムスロットの制御エリアによって占められる時間領域時間単位エリアと同じであり、Ｎ番目のタイムスロットのＰＤＣＣＨ中で搬送されるＤＣＩが、（Ｎ＋１）番目のタイムスロットの制御エリアの時間単位エリアオフセット指示情報を含み、ユーザ機器が、（Ｎ＋１）番目のタイムスロットの制御エリアの時間単位エリアオフセット指示情報および（Ｎ＋１）番目のタイムスロット中の（Ｎ＋１）番目のタイムスロットの制御エリアによって占められる参照時間領域時間単位エリアに従って（Ｎ＋１）番目のタイムスロットの制御エリアの時間領域時間単位エリアを決定するように特に構成される。
【００５６】
第１３の態様または上記の任意の可能な実施方法に関連して、第４の可能な実施方法では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含み、
リソースブロックＲＢまたはリソースブロックグループＲＢＧは、周波数領域リソースブロックエリアの長さの単位として使用される。
【００５７】
第１の可能な実施方法から第３の可能な実施方法のうちの任意の可能な実施方法に関連して、第５の可能な実施方法では、伝送器は、ユーザ機器に割り当てられたセル無線ネットワーク一時識別子Ｃ−ＲＮＴＩを使用して、かつＮ番目のタイムスロットの制御エリアでＮ番目のタイムスロットのＰＤＣＣＨ中で搬送されるＤＣＩを使用して、周波数領域制御指示情報をユーザ機器に送信するように特に構成される。
【００５８】
第５の可能な実施方法に関連して、第６の可能な実施方法では、伝送器は、様々なユーザ機器に割り当てられる１つの共通な共通Ｃ−ＲＮＴＩを使用し、かつＮ番目のタイムスロットの制御エリアで伝送され、制御エリアでＮ番目のタイムスロットのＰＤＣＣＨ中で搬送されるＤＣＩを使用して、周波数領域制御指示情報をユーザ機器に送信するように特に構成される。
【００５９】
本発明の実施形態の第１４の態様は、ユーザ機器であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応するユーザ機器を提供し、このユーザ機器は、
Ｎ番目のタイムスロットの制御エリアにおいてＮ番目のタイムスロットの物理制御チャネルを使用して（Ｎ＋１）番目のタイムスロットの制御エリア指示情報を受信するように構成された受信機であり、制御エリア指示情報が、周波数領域制御指示情報および時間領域制御指示情報を含み、周波数領域制御指示情報が、（Ｎ＋１）番目のタイムスロット中の（Ｎ＋１）番目のタイムスロットの制御エリアによって占められる周波数領域リソースブロックエリアを示すために使用され、時間領域制御指示情報が、（Ｎ＋１）番目のタイムスロット中の（Ｎ＋１）番目のタイムスロットの制御エリアによって占められる時間領域時間単位エリアを示すために使用される受信機と、
受信機によって受信される（Ｎ＋１）番目のタイムスロットの制御エリア指示情報に従って（Ｎ＋１）番目のタイムスロットの制御エリアを決定するように構成されたプロセッサとを含み、
受信機は、プロセッサによって決定される（Ｎ＋１）番目のタイムスロットの制御エリアにおいて、（Ｎ＋１）番目のタイムスロットの物理制御チャネルを受信して、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにさらに構成され、ここで、ｋ≧４である。
【００６０】
第１４の態様に関連して、第１の可能な実施方法では、Ｎ番目のタイムスロットの物理制御チャネルは、Ｎ番目のタイムスロットの物理ダウンリンク制御チャネルＰＤＣＣＨであり、
受信機は、Ｎ番目のタイムスロットの制御エリアでＮ番目のタイムスロットのＰＤＣＣＨ中で搬送されるダウンリンク制御インジケータＤＣＩを使用して、周波数領域制御指示情報および時間領域制御指示情報を受信するようにさらに構成される。
【００６１】
第１４の態様に関連して、第２の可能な実施方法では、Ｎ番目のタイムスロットの物理制御チャネルは、Ｎ番目のタイムスロットのＰＤＣＣＨおよびＮ番目のタイムスロットの物理制御フォーマットインジケータチャネルＰＣＦＩＣＨを含み、
受信機は、Ｎ番目のタイムスロットの制御エリアでＮ番目のタイムスロットのＰＤＣＣＨ中で搬送されるＤＣＩを使用して周波数領域制御指示情報を受信し、Ｎ番目のタイムスロットの制御エリアでＮ番目のタイムスロットのＰＣＦＩＣＨ中で搬送される制御フォーマットインジケータＣＦＩを使用して時間領域制御指示情報を受信するようにさらに構成され、
Ｎ番目のタイムスロットのＰＣＦＩＣＨ中で搬送されるＣＦＩは、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる時間領域時間単位エリアは、Ｎ番目のタイムスロット中のＮ番目のタイムスロットの制御エリアによって占められる時間領域時間単位エリアと同じである。
【００６２】
第１４の態様に関連して、第３の可能な実施方法では、Ｎ番目のタイムスロットの物理制御チャネルは、Ｎ番目のタイムスロットのＰＤＣＣＨおよびＮ番目のタイムスロットのＰＣＦＩＣＨを含み、
受信機は、Ｎ番目のタイムスロットの制御エリアでＮ番目のタイムスロットのＰＤＣＣＨ中で搬送されるＤＣＩを使用して周波数領域制御指示情報を受信し、Ｎ番目のタイムスロットの制御エリアでＮ番目のタイムスロットのＰＤＣＣＨ中で搬送されるＤＣＩおよびＮ番目のタイムスロットのＰＣＦＩＣＨ中で搬送されるＣＦＩを使用して時間領域制御指示情報を受信するようにさらに構成され、Ｎ番目のタイムスロットのＰＣＦＩＣＨ中で搬送されるＣＦＩは、Ｎ番目のタイムスロット中のＮ番目のタイムスロットの制御エリアによって占められる時間領域時間単位エリアを示す指示情報を含み、
プロセッサは、受信機によって受信される時間領域制御指示情報に従って（Ｎ＋１）番目のタイムスロットの制御エリアの時間領域時間単位エリアを決定するようにさらに構成され、（Ｎ＋１）番目のタイムスロット中の（Ｎ＋１）番目のタイムスロットの制御エリアによって占められる参照時間領域時間単位エリアは、Ｎ番目のタイムスロット中のＮ番目のタイムスロットの制御エリアによって占められる時間領域時間単位エリアと同じであり、Ｎ番目のタイムスロットのＰＤＣＣＨ中で搬送されるＤＣＩは、（Ｎ＋１）番目のタイムスロットの制御エリアの時間単位エリアオフセット指示情報を含む。
【００６３】
第１の可能な実施方法から第３の可能な実施方法のうちの任意の可能な実施方法に関連して、第４の可能な実施方法では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含み、
リソースブロックＲＢまたはリソースブロックグループＲＢＧは、周波数領域リソースブロックエリアの長さの単位として使用される。
【００６４】
上記の任意の可能な実施方法に関連して、第５の可能な実施方法では、受信機は、共通の共通セル無線ネットワーク一時識別子Ｃ−ＲＮＴＩを使用して、かつＮ番目のタイムスロットの制御エリアでＮ番目のタイムスロットのＰＤＣＣＨ中で搬送されるＤＣＩを使用して、周波数領域制御指示情報を受信するようにさらに構成される。
【００６５】
本発明の実施形態の第１５の態様は、基地局であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応する基地局を提供し、この基地局は、
プログラムコードのグループを記憶するように構成されたメモリであり、このメモリが、基地局のコンピュータ記憶媒体であり、コンピュータ記憶媒体が、不揮発性記憶媒体を含むメモリと、
メモリに記憶されたプログラムコードに従って以下の動作を実行するように構成された伝送器とを含む。
（Ｎ＋１）番目のタイムスロットの２次物理制御フォーマットインジケータチャネルＳ−ＰＣＦＩＣＨをユーザ機器に送信して、ユーザ機器が（Ｎ＋１）番目のタイムスロットのＳ−ＰＣＦＩＣＨおよび（Ｎ＋１）番目のタイムスロットのＳ−ＰＣＦＩＣＨのリソース要素位置情報に従って（Ｎ＋１）番目のタイムスロットの制御エリア指示情報を決定するようにする。ここで、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用され、リソース要素位置情報は、予め規定される、または上位レイヤシグナリングを使用して基地局からユーザ機器に送信される。
（Ｎ＋１）番目のタイムスロットの制御エリアにおいて、（Ｎ＋１）番目のタイムスロットの物理制御チャネルをユーザ機器に送信して、ユーザ機器が（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにする。ここで、ｋ≧４である。
【００６６】
第１５の態様に関連して、第１の可能な実施方法では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含み、
リソースブロックＲＢまたはリソースブロックグループＲＢＧは、周波数領域リソースブロックエリアの長さの単位として使用される。
【００６７】
第１５の態様または第１の可能な実施方法に関連して、第２の可能な実施方法では、伝送器は、リソース要素位置情報によって示されるリソース要素位置で（Ｎ＋１）番目のタイムスロットのＳ−ＰＣＦＩＣＨをユーザ機器に送信するようにさらに構成され、（Ｎ＋１）番目のタイムスロットのＳ−ＰＣＦＩＣＨは、時間領域制御指示情報を搬送し、
リソース要素位置情報は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と、（Ｎ＋１）番目のタイムスロット中の（Ｎ＋１）番目のタイムスロットのＳ−ＰＣＦＩＣＨによって占められる周波数領域リソースブロックエリアの長さとを含み、
（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じであり、（Ｎ＋１）番目のタイムスロット中の（Ｎ＋１）番目のタイムスロットの制御エリアによって占められる周波数領域リソースブロックエリアの長さは、Ｌに（Ｎ＋１）番目のタイムスロットのＳ−ＰＣＦＩＣＨが位置する（Ｎ＋１）番目のタイムスロット中の周波数領域リソースブロックエリアの長さを加えたものに等しく、Ｌは０以上の整数である。
【００６８】
第１５の態様または第１の可能な実施方法に関連して、第３の可能な実施方法では、伝送器は、リソース要素位置情報によって示されるリソース要素位置で（Ｎ＋１）番目のタイムスロットのＳ−ＰＣＦＩＣＨをユーザ機器に送信するようにさらに構成され、（Ｎ＋１）番目のタイムスロットのＳ−ＰＣＦＩＣＨは、周波数領域リソース長情報および時間領域制御指示情報を搬送し、
周波数領域リソース長情報は、（Ｎ＋１）番目のタイムスロット中の（Ｎ＋１）番目のタイムスロットの制御エリアによって占められる周波数領域リソースブロックエリアの長さを示すために使用され、リソース要素位置情報は、（Ｎ＋１）番目のタイムスロット中の（Ｎ＋１）番目のタイムスロットのＳ−ＰＣＦＩＣＨの周波数領域リソースブロック開始位置を含み、（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じである。
【００６９】
本発明の実施形態の第１６の態様は、ユーザ機器であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応するユーザ機器を提供し、このユーザ機器は、
上位レイヤシグナリングまたは予め規定された方法を使用して（Ｎ＋１）番目のタイムスロットの２次物理制御フォーマットインジケータチャネルＳ−ＰＣＦＩＣＨのリソース要素位置情報を決定するように構成されたプロセッサと、
プロセッサによって決定される（Ｎ＋１）番目のタイムスロットのＳ−ＰＣＦＩＣＨのリソース要素位置情報および（Ｎ＋１）番目のタイムスロットのＳ−ＰＣＦＩＣＨに従って、（Ｎ＋１）番目のタイムスロットの制御エリア指示情報を決定するように構成された受信機とを含み、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用され、
プロセッサは、受信機によって受信される（Ｎ＋１）番目のタイムスロットの制御エリア指示情報に従って（Ｎ＋１）番目のタイムスロットの制御エリアを決定するようにさらに構成され、
受信機は、プロセッサによって決定される（Ｎ＋１）番目のタイムスロットの制御エリアにおいて、（Ｎ＋１）番目のタイムスロットの物理制御チャネルを受信して、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにさらに構成され、ここで、ｋ≧４である。
【００７０】
第１６の態様に関連して、第１の可能な実施方法では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含み、
リソースブロックＲＢまたはリソースブロックグループＲＢＧは、周波数領域リソースブロックエリアの長さの単位として使用される。
【００７１】
第１６の態様または第１の可能な実施方法に関連して、第２の可能な実施方法では、プロセッサは、
リソース要素位置情報に従って周波数領域制御指示情報を決定し、ここで、リソース要素位置情報が、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と、（Ｎ＋１）番目のタイムスロット中の（Ｎ＋１）番目のタイムスロットのＳ−ＰＣＦＩＣＨによって占められる周波数領域リソースブロックエリアの長さとを含み、（Ｎ＋１）番目のタイムスロット中の（Ｎ＋１）番目のタイムスロットの制御エリアによって占められる周波数領域リソースブロックエリアの周波数領域リソースブロック開始位置が、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じであり、（Ｎ＋１）番目のタイムスロット中の（Ｎ＋１）番目のタイムスロットの制御エリアによって占められる周波数領域リソースブロックエリアの長さが、Ｌに（Ｎ＋１）番目のタイムスロットのＳ−ＰＣＦＩＣＨが位置する（Ｎ＋１）番目のタイムスロット中の周波数領域リソースブロックエリアの長さを加えたものに等しく、Ｌが０以上の整数であり、
（Ｎ＋１）番目のタイムスロットのＳ−ＰＣＦＩＣＨ中で搬送される２次制御フォーマットインジケータ情報Ｓ−ＣＦＩに従って時間領域制御指示情報を決定するようにさらに構成される。
【００７２】
第１６の態様または第１の可能な実施方法に関連して、第３の可能な実施方法では、プロセッサは、
リソース要素位置情報に従って、（Ｎ＋１）番目のタイムスロット中の（Ｎ＋１）番目のタイムスロットの制御エリアによって占められる周波数領域リソースブロックエリアの周波数領域リソースブロック開始位置を決定し、ここで、リソース要素位置情報が、（Ｎ＋１）番目のタイムスロット中の（Ｎ＋１）番目のタイムスロットのＳ−ＰＣＦＩＣＨの周波数領域リソースブロック開始位置を含み、（Ｎ＋１）番目のタイムスロット中の（Ｎ＋１）番目のタイムスロットの制御エリアによって占められる周波数領域リソースブロックエリアの周波数領域リソースブロック開始位置が、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じであり、
（Ｎ＋１）番目のタイムスロットのＳ−ＰＣＦＩＣＨ中で搬送されるＳ−ＣＦＩに従って、（Ｎ＋１）番目のタイムスロット中の（Ｎ＋１）番目のタイムスロットの制御エリアによって占められる周波数領域リソースブロックエリアの長さおよび時間領域制御指示情報を決定するようにさらに構成される。
【００７３】
本発明の実施形態の第１７の態様は、基地局であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応する基地局を提供し、この基地局は、
プログラムコードのグループを記憶するように構成されたメモリであり、このメモリが、基地局のコンピュータ記憶媒体であり、コンピュータ記憶媒体が、不揮発性記憶媒体を含むメモリと、
メモリに記憶されたプログラムコードに従って以下の動作を実行するように構成された伝送器とを含む。
Ｎ番目のタイムスロットの制御エリアにおいて上位レイヤシグナリング、または上位レイヤシグナリングおよびＮ番目のタイムスロットの物理制御チャネルを使用して、（Ｎ＋１）番目のタイムスロットの制御エリア指示情報をユーザ機器に送信する。ここで、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用され、（Ｎ＋１）番目のタイムスロットの制御エリアは、（Ｎ＋１）番目のタイムスロットの物理制御チャネルを伝送するために使用される。
（Ｎ＋１）番目のタイムスロットの制御エリアにおいて、（Ｎ＋１）番目のタイムスロットの物理制御チャネルをユーザ機器に送信して、ユーザ機器が（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにする。ここで、ｋ≧４である。
上位レイヤシグナリングは、無線リソース制御ＲＲＣ構成シグナリング、または媒体アクセス制御ＭＡＣレイヤ構成シグナリングである。
【００７４】
本発明の実施形態の第１８の態様は、ユーザ機器であって、サブフレームが、Ｎ番目のタイムスロットおよび（Ｎ＋１）番目のタイムスロットを含み、Ｎ番目のタイムスロットが第１の伝送時間間隔ＴＴＩに対応し、（Ｎ＋１）番目のタイムスロットが第２のＴＴＩに対応するユーザ機器を提供し、このユーザ機器は、
Ｎ番目のタイムスロットの制御エリアにおいて上位レイヤシグナリング、または上位レイヤシグナリングおよびＮ番目のタイムスロットの物理制御チャネルを使用して基地局から送信される（Ｎ＋１）番目のタイムスロットの制御エリア指示情報を受信するように構成された受信機であり、制御エリア指示情報が、周波数領域制御指示情報および時間領域制御指示情報を含み、周波数領域制御指示情報が、（Ｎ＋１）番目のタイムスロット中の（Ｎ＋１）番目のタイムスロットの制御エリアによって占められる周波数領域リソースブロックエリアを示すために使用され、時間領域制御指示情報が、（Ｎ＋１）番目のタイムスロット中の（Ｎ＋１）番目のタイムスロットの制御エリアによって占められる時間領域時間単位エリアを示すために使用され、（Ｎ＋１）番目のタイムスロットの制御エリアが、（Ｎ＋１）番目のタイムスロットの物理制御チャネルを伝送するために使用される受信機と、
受信機によって受信される（Ｎ＋１）番目のタイムスロットの制御エリア指示情報に従って（Ｎ＋１）番目のタイムスロットの制御エリアを決定するように構成されたプロセッサとを含み、
受信機は、プロセッサによって決定される（Ｎ＋１）番目のタイムスロットの制御エリアにおいて、（Ｎ＋１）番目のタイムスロットの物理制御チャネルを受信して、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにさらに構成され、ここで、ｋ≧４であり、
上位レイヤシグナリングは、無線リソース制御ＲＲＣ構成シグナリング、または媒体アクセス制御ＭＡＣレイヤ構成シグナリングである。
【００７５】
本発明の本実施形態で提供されるダウンリンク制御チャネルを伝送する方法およびデバイスでは、従来技術と比較して、この解決策では、基地局は、Ｎ番目のタイムスロットの制御エリアにおいてＮ番目のタイムスロットの物理制御チャネルを使用して、（Ｎ＋１）番目のタイムスロットの制御エリア指示情報をユーザ機器に送信することがあり、ここで、（Ｎ＋１）番目のタイムスロットの制御エリア指示情報は、（Ｎ＋１）番目のタイムスロット中の（Ｎ＋１）番目のタイムスロットの制御エリアによって占められる時間領域リソースおよび周波数領域リソースを示すために使用される、すなわち、Ｎ番目のタイムスロットの制御エリアは、（Ｎ＋１）番目のタイムスロット中の（Ｎ＋１）番目のタイムスロットの制御エリアによって占められる時間領域リソースおよび周波数領域リソースをユーザ機器に対して示すために使用され、基地局は、次いで、（Ｎ＋１）番目のタイムスロットの制御エリア指示情報によって示される制御エリアにおいて、（Ｎ＋１）番目のタイムスロットの物理制御チャネルをユーザ機器に送信することがある。ユーザ機器は、次いで、Ｎ番目のタイムスロットの制御エリアから、（Ｎ＋１）番目のタイムスロット中の（Ｎ＋１）番目のタイムスロットの制御エリアによって占められる時間領域リソースおよび周波数領域リソースを決定し、決定された時間領域リソースおよび周波数領域リソース上で（Ｎ＋１）番目のタイムスロットの物理制御チャネルを受信することがある。すなわち、基地局は、（Ｎ＋１）番目のタイムスロット（Ｓ−ＴＴＩ−１に対応するタイムスロット）の制御エリアをユーザ機器に対して示して、（Ｎ＋１）番目のタイムスロットの制御エリアを使用して（Ｎ＋１）番目のタイムスロットの物理制御チャネルが伝送されて、（Ｎ＋１）番目のタイムスロットの物理データチャネルを伝送するようにすることがある。
【００７６】
さらに、この解決策では、Ｎ番目のタイムスロット（第１のＴＴＩに対応するタイムスロット、すなわちＳ−ＴＴＩ−０に対応するタイムスロット）の制御エリアは、Ｎ−ＴＴＩの制御エリアである、すなわち、Ｎ−ＴＴＩの制御エリアが、依然として第１のＴＴＩのために再使用される。すなわち、この解決策では、基地局は、Ｎ−ＴＴＩの制御エリアを使用して、（Ｎ＋１）番目のタイムスロット（第２のＴＴＩに対応するタイムスロット、すなわち、Ｓ−ＴＴＩ−１の制御エリアに対応するタイムスロット）をユーザ機器に対して示すことがある。すなわち、この解決策により、１ｍｓＮ−ＴＴＩと０．５ｍｓＳ−ＴＴＩの間の互換性が実施され得、（Ｎ＋１）番目のタイムスロットの制御エリアの伝送が１ｍｓＮ−ＴＴＩの物理データチャネルの伝送に影響を及ぼすことが回避され得る。
【図面の簡単な説明】
【００７７】
本発明の実施形態または従来技術の技術的解決策をより明快に説明するために、以下、実施形態または従来技術を説明するために必要な添付の図面について簡単に説明する。以下の説明における添付の図面は、単に本発明のいくつかの実施形態を示しているに過ぎず、当業者なら、創造的努力なしにこれらの添付の図面から他の図面をさらに導出することがあることは明らかである。
【図１】伝送時間間隔ＴＴＩの領域の区分の概略構造図である。
【図２】背景技術に提供される伝送時間間隔ＴＴＩの概略構造図である。
【図３ａ】本発明の実施形態による伝送時間間隔ＴＴＩの概略構造図である。
【図３ｂ】本発明の実施形態による別の伝送時間間隔ＴＴＩの概略構造図である。
【図４】本発明の実施形態によるダウンリンク制御チャネルを伝送する方法のフローチャートである。
【図５】本発明の実施形態によるダウンリンク制御チャネルを伝送する方法のフローチャートである。
【図６】本発明の実施形態によるダウンリンク制御チャネルを伝送する方法のフローチャートである。
【図７】本発明の実施形態によるダウンリンク制御チャネルを伝送する方法のフローチャートである。
【図８】本発明の実施形態によるダウンリンク制御チャネルを伝送する方法のフローチャートである。
【図９】本発明の実施形態によるダウンリンク制御チャネルを伝送する方法のフローチャートである。
【図１０ａ】本発明の実施形態による伝送時間間隔ＴＴＩの概略構造図である。
【図１０ｂ】本発明の実施形態による伝送時間間隔ＴＴＩの概略構造図である。
【図１１】本発明の実施形態によるダウンリンク制御チャネルを伝送する方法のフローチャートである。
【図１２】本発明の実施形態によるダウンリンク制御チャネルを伝送する方法のフローチャートである。
【図１３】本発明の実施形態によるダウンリンク制御チャネルを伝送する方法のフローチャートである。
【図１４】本発明の実施形態によるダウンリンク制御チャネルを伝送する方法のフローチャートである。
【図１５】本発明の実施形態によるダウンリンク制御チャネルを伝送する方法のフローチャートである。
【図１６】本発明の実施形態による伝送時間間隔ＴＴＩの概略構造図である。
【図１７】本発明の実施形態によるダウンリンク制御チャネルを伝送する方法のフローチャートである。
【図１８】本発明の実施形態によるダウンリンク制御チャネルを伝送する方法のフローチャートである。
【図１９】本発明の実施形態による基地局の概略構造構成図である。
【図２０】本発明の実施形態による基地局の概略構造構成図である。
【図２１】本発明の実施形態によるユーザ機器の概略構造構成図である。
【図２２】本発明の実施形態によるユーザ機器の概略構造構成図である。
【図２３】本発明の実施形態による基地局の概略構造構成図である。
【図２４】本発明の実施形態による基地局の概略構造構成図である。
【図２５】本発明の実施形態によるユーザ機器の概略構造構成図である。
【図２６】本発明の実施形態によるユーザ機器の概略構造構成図である。
【図２７】本発明の実施形態による基地局の概略構造構成図である。
【図２８】本発明の実施形態による基地局の概略構造構成図である。
【図２９】本発明の実施形態によるユーザ機器の概略構造構成図である。
【図３０】本発明の実施形態によるユーザ機器の概略構造構成図である。
【発明を実施するための形態】
【００７８】
以下、本発明の実施形態における技術的解決策を、本発明の実施形態における添付の図面を参照して明快に説明する。説明される実施形態は、本発明の実施形態のうちの一部に過ぎず、全てというわけではないことは明らかである。本発明のこれらの実施形態に基づいて創造的努力なしに当業者によって獲得される全てのその他の実施形態は、本発明の保護範囲に入るものとする。
【００７９】
本明細書に記載される様々な技術は、ロングタームエボリューション（ＬＴＥ、Ｌｏｎｇ  Ｔｅｒｍ  Ｅｖｏｌｕｔｉｏｎ）システムおよびこのタイプの別の通信システムで使用されることがある。
【００８０】
本明細書には、様々な態様が、端末および／または基地局および／または基地局制御装置に関連して記載されている。
【００８１】
ユーザ機器は、ワイヤレス端末または有線端末であることがある。ワイヤレス端末とは、音声および／もしくはデータ接続性をユーザに提供するデバイス、無線接続機能を有する手持ち型デバイス、または無線モデムに接続された別の処理デバイスを指すことがある。ワイヤレス端末は、無線アクセスネットワーク（ＲＡＮ、Ｒａｄｉｏ  Ａｃｃｅｓｓ  Ｎｅｔｗｏｒｋなど）を通して１または複数のコアネットワークと通信することがある。ワイヤレス端末は、携帯電話（「セルラ」電話とも呼ばれる）などの移動端末であることがあり、移動端末を備えたコンピュータは、例えば、音声および／またはデータを無線アクセスネットワークと交換する、携帯型、ポケットサイズ、手持ち型、コンピュータ内蔵型、または車両搭載型の移動装置であることがある。例えば、ワイヤレス端末は、パーソナル通信サービス（ＰＣＳ、Ｐｅｒｓｏｎａｌ  Ｃｏｍｍｕｎｉｃａｔｉｏｎ  Ｓｅｒｖｉｃｅ）電話、コードレス電話機、セッション開始プロトコル（ＳＩＰ）電話、ワイヤレスローカルループ（ＷＬＬ、Ｗｉｒｅｌｅｓｓ  Ｌｏｃａｌ  Ｌｏｏｐ）局、または携帯情報端末（ＰＤＡ、Ｐｅｒｓｏｎａｌ  Ｄｉｇｉｔａｌ  Ａｓｓｉｓｔａｎｔ）などのデバイスであることがある。ワイヤレス端末は、また、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、移動端末（Ｍｏｂｉｌｅ）、遠隔局（Ｒｅｍｏｔｅ  Ｓｔａｔｉｏｎ）、アクセスポイント（Ａｃｃｅｓｓ  Ｐｏｉｎｔ）、遠隔端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）と呼ばれることもある。
【００８２】
基地局（例えばアクセスポイント）とは、アクセスネットワークにおいてエアインタフェースで１または複数のセクタを介してワイヤレス端末と通信しているデバイスを指すことがある。基地局は、受信された無線通信フレームおよびＩＰパケットを相互に変換し、ワイヤレス端末とアクセスネットワークの他の部分との間のルータとして働くように構成され得る。アクセスネットワークの他の部分は、インターネットプロトコル（ＩＰ）ネットワークを含むことがある。基地局は、エアインタフェースの属性管理を調整することがある。例えば、基地局は、ＬＴＥでは進化型ノードＢ（ノードＢ、またはｅＮＢ、またはｅノードＢ、進化型ノードＢ）であることがあるが、本発明はこれに限定されない。
【００８３】
図３ａまたは図３ｂに示されるように、本発明の実施形態では、１つの元の通常伝送時間間隔（Ｔｒａｎｓｍｉｓｓｉｏｎ  Ｔｉｍｅ  Ｉｎｔｅｒｖａｌ、ＴＴＩ）（略記はＮ−ＴＴＩ、Ｎ−ＴＴＩ＝１ｍｓ）は、２つの短縮されたＴＴＩ（略記はＳ−ＴＴＩ、Ｓ−ＴＴＩ＝０．５ｍｓ、第１のＴＴＩおよび第２のＴＴＩ）に分割される。１つのサブフレーム（ＳｕｂＦｒａｍｅ、ＳＦ）は、２つのタイムスロット（Ｔｉｍｅｓｌｏｔ）、すなわちＮ番目のタイムスロットおよび（Ｎ＋１）番目のタイムスロットを含む。第１のＴＴＩは、Ｎ番目のタイムスロットに対応し、第２のＴＴＩは、（Ｎ＋１）番目のタイムスロットに対応する。すなわち、第１のＴＴＩおよび第２のＴＴＩは、それぞれ、同じＳＦに属するＳ−ＴＴＩである。第１のＴＴＩ＝０．５ｍｓであり、第２のＴＴＩ＝０．５ｍｓである。
【００８４】
本発明の実施形態は、ダウンリンク制御チャネルを伝送する方法を提供する。このダウンリンク制御チャネルを伝送する方法では、図３ａまたは図３ｂに示されるように、サブフレームは、Ｎ番目のタイムスロットおよび（Ｎ＋１）番目のタイムスロットを含み、Ｎ番目のタイムスロットは、第１のＴＴＩに対応し、（Ｎ＋１）番目のタイムスロットは、第２のＴＴＩに対応する。図４に示されるように、このダウンリンク制御チャネルを伝送する方法は、以下のステップを含む。
【００８５】
Ｓ１０１：基地局が、Ｎ番目のタイムスロットの制御エリアにおいてＮ番目のタイムスロットの物理制御チャネルを使用して、（Ｎ＋１）番目のタイムスロットの制御エリア指示情報をユーザ機器に送信する。ここで、制御エリア指示情報は、周波数領域制御指示情報および時間領域制御指示情報を含む。
【００８６】
周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用される。（Ｎ＋１）番目のタイムスロットの制御エリアは、（Ｎ＋１）番目のタイムスロットの物理制御チャネルを伝送するために使用される。例えば、Ｎ番目のタイムスロットの物理制御チャネルは、Ｎ番目のタイムスロットの物理ダウンリンク制御チャネル（Ｐｈｙｓｉｃａｌ  ｄｏｗｎｌｉｎｋ  Ｃｏｎｔｒｏｌ  Ｃｈａｎｎｅｌ、ＰＤＣＣＨ）であるか、またはＮ番目のタイムスロットの物理制御チャネルは、Ｎ番目のタイムスロットのＰＤＣＣＨおよびＮ番目のタイムスロットの物理制御フォーマットインジケータチャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、ＰＣＦＩＣＨ）を含む。
【００８７】
本実施形態では、Ｎは、０以上の正の整数であることに留意されたい。１つのサブフレームは、２つのタイムスロットを含む、すなわち、Ｎ番目のタイムスロットおよび（Ｎ＋１）番目のタイムスロットは、同じサブフレーム内の２つのタイムスロットである。「ｎｓ  ｍｏｄ  ２」演算は、各タイムスロットのタイムスロット番号ｎｓに対して実行されることがある。このようにして、各サブフレームの２つのタイムスロットは、それぞれタイムスロット０およびタイムスロット１に設定されることがある。例えば、Ｎ番目のタイムスロットのタイムスロット番号ｎｓ＝Ｎであり、（Ｎ＋１）番目のタイムスロットのタイムスロット番号ｎｓ＝Ｎ＋１である。「ｎｓ  ｍｏｄ  ２＝Ｎ  ｍｏｄ  ２＝０」演算の後で、Ｎ番目のタイムスロットは、タイムスロット０として決定されることがあり、「ｎｓ  ｍｏｄ  ２＝（Ｎ＋１）  ｍｏｄ  ２  ＝１」演算の後で、Ｎ番目のタイムスロットは、タイムスロット１として決定されることがあるものと仮定する。
【００８８】
本実施形態では、Ｎ番目のタイムスロット（すなわち第１のＴＴＩに対応するタイムスロット）の制御エリアは、従来技術の１ｍｓＴＴＩ（すなわちＮ−ＴＴＩ）の制御エリアであることに留意されたい。周波数領域リソースブロックエリアでは、１ｍｓＴＴＩの制御エリアは、現在のキャリアの全てのＲＢを占める。１ｍｓＴＴＩの制御エリアの時間領域時間単位エリアは、１ｍｓＴＴＩの制御エリアのＰＣＦＩＣＨチャネルに従って示され、３つの単一キャリア周波数分割多重アクセス（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ、ＳＣ−ＦＤＭＡ）シンボルに対して１つのＳＣ−ＦＤＭＡシンボルとなることがある。
【００８９】
Ｓ１０２：基地局が、（Ｎ＋１）番目のタイムスロットの制御エリアにおいて、（Ｎ＋１）番目のタイムスロットの物理制御チャネルをユーザ機器に送信して、ユーザ機器が、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにする。ここで、ｋ≧４である。
【００９０】
本発明の本実施形態では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さ（サイズ）とを含む。リソースブロック（Ｒｅｓｏｕｒｃｅ  Ｂｌｏｃｋ、ＲＢ）またはリソースブロックグループ（Ｒｅｓｏｕｒｃｅ  Ｂｌｏｃｋ  Ｇｒｏｕｐ、ＲＢＧ）は、周波数領域リソースブロックエリアの長さの単位として使用される。周波数領域リソースブロック開始位置は、ＲＢの指数またはＲＢＧの指数である。
【００９１】
本発明の本実施形態では、時間領域制御指示情報は、（Ｎ＋１）番目のタイムスロット中の（Ｎ＋１）番目のタイムスロットの制御エリアによって占められる時間領域時間単位エリアを示すために使用される。時間領域時間単位エリアは、単一キャリア周波数分割多重アクセスＳＣ−ＦＤＭＡシンボルが単位として使用される持続時間、またはそれより短い時間を占めるシンボルが単位として使用される持続時間であることがある。
【００９２】
例えば、（Ｎ＋１）番目のタイムスロットの物理制御チャネルは、（Ｎ＋１）番目のタイムスロットのＰＤＣＣＨであることがあり、または、（Ｎ＋１）番目のタイムスロットの物理制御チャネルは、（Ｎ＋１）番目のタイムスロットの物理ＨＡＲＱインジケータチャネル（物理ハイブリッドＡＲＱインジケータチャネル、Ｐｈｙｓｉｃａｌ  Ｈｙｂｒｉｄ  ＡＲＱ  Ｉｎｄｉｃａｔｏｒ  Ｃｈａｎｎｅｌ、ＰＨＩＣＨ）であることがあり、または、（Ｎ＋１）番目のタイムスロットの物理制御チャネルは、（Ｎ＋１）番目のタイムスロットのＰＤＣＣＨおよび（Ｎ＋１）番目のタイムスロットのＰＨＩＣＨを含むことがある。ＨＡＲＱ（Ｈｙｂｒｉｄ  Ａｕｔｏｍａｔｉｃ  Ｒｅｐｅａｔ  ｒｅＱｕｅｓｔ、中国語：ハイブリッド自動再送要求）。
【００９３】
例えば、（Ｎ＋１）番目のタイムスロットの物理データチャネルは、（Ｎ＋１）番目のタイムスロットの物理ダウンリンク共有チャネル（Ｐｈｙｓｉｃａｌ  ｄｏｗｎｌｉｎｋ  Ｓｈａｒｅｄ  Ｃｈａｎｎｅｌ、ＰＤＳＣＨ）であることがあり、または、（Ｎ＋１）番目のタイムスロットの物理データチャネルは、物理アップリンク共有チャネル（Ｐｈｙｓｉｃａｌ  ｕｐｌｉｎｋ  Ｓｈａｒｅｄ  Ｃｈａｎｎｅｌ、ＰＵＳＣＨ）であることがあり、または、（Ｎ＋１）番目のタイムスロットの物理データチャネルは、（Ｎ＋１）番目のタイムスロットのＰＤＳＣＨおよび（Ｎ＋１）番目のタイムスロットのＰＵＳＣＨを含むことがある。（Ｎ＋１）番目のタイムスロットのＰＤＣＣＨは、（Ｎ＋１）番目のタイムスロットのＰＤＳＣＨを復調するために使用される制御情報を搬送する、または第２のタイムスロットのＰＵＳＣＨを示すために使用される再送指示ＨＡＲＱ情報を搬送する。（Ｎ＋１）番目のタイムスロットのＰＨＩＣＨは、（Ｎ＋１）番目のタイムスロットのＰＵＳＣＨを示すために使用される再送指示ＨＡＲＱ情報を搬送するために使用される。
【００９４】
同様に、（Ｎ＋１＋ｋ）番目のタイムスロットの物理データチャネルは、（Ｎ＋１＋ｋ）番目のタイムスロットのＰＤＳＣＨであることがあり、または、（Ｎ＋１＋ｋ）番目のタイムスロットの物理データチャネルは、（Ｎ＋１＋ｋ）番目のタイムスロットのＰＵＳＣＨであることがあり、または、（Ｎ＋１＋ｋ）番目のタイムスロットの物理データチャネルは、（Ｎ＋１＋ｋ）番目のタイムスロットのＰＤＳＣＨおよび（Ｎ＋１＋ｋ）番目のタイムスロットのＰＵＳＣＨを含むことがあり、ここで、ｋは、４以上の整数である。
【００９５】
図３ａに示されるように、（Ｎ＋１）番目のタイムスロットのＰＤＣＣＨは、（Ｎ＋１＋ｋ）番目のタイムスロットのＰＤＳＣＨを示すために使用される制御情報を搬送することがあり、または、（Ｎ＋１）番目のタイムスロットのＰＤＣＣＨは、（Ｎ＋１＋ｋ）番目のタイムスロットのＰＵＳＣＨを示すために使用される再送指示ＨＡＲＱ情報を搬送することがある。図３ｂに示されるように、（Ｎ＋１＋ｋ）番目のタイムスロットのＰＨＩＣＨは、（Ｎ＋１＋ｋ）番目のタイムスロットのＰＵＳＣＨを示すために使用される再送指示ＨＡＲＱ情報を搬送するために使用されることがある。例えば、図３ａまたは図３ｂに示されるように、（Ｎ＋１＋ｋ）番目のタイムスロットは、（Ｎ＋１）番目のタイムスロットが位置するＮ−ＴＴＩの次のＮ−ＴＴＩから開始するｋ番目のＳ−ＴＴＩであり、ここで、ｋは、４以上の整数である。
【００９６】
本発明の本実施形態によるダウンリンク制御チャネルを伝送する方法では、従来技術と比較して、この解決策では、基地局は、Ｎ番目のタイムスロットの制御エリアにおいてＮ番目のタイムスロットの物理制御チャネルを使用して、（Ｎ＋１）番目のタイムスロットの制御エリア指示情報をユーザ機器に送信することがあり、ここで、（Ｎ＋１）番目のタイムスロットの制御エリア指示情報は、（Ｎ＋１）番目のタイムスロット中の（Ｎ＋１）番目のタイムスロットの制御エリアによって占められる時間領域リソースおよび周波数領域リソースを示すために使用される、すなわち、Ｎ番目のタイムスロットの制御エリアは、（Ｎ＋１）番目のタイムスロット中の（Ｎ＋１）番目のタイムスロットの制御エリアによって占められる時間領域リソースおよび周波数領域リソースをユーザ機器に対して示すために使用され、基地局は、次いで、（Ｎ＋１）番目のタイムスロットの制御エリア指示情報によって示される制御エリアにおいて、（Ｎ＋１）番目のタイムスロットの物理制御チャネルをユーザ機器に送信することがある。すなわち、基地局は、（Ｎ＋１）番目のタイムスロット（Ｓ−ＴＴＩ−１に対応するタイムスロット）の制御エリアをユーザ機器に対して示すことがあり、さらに、（Ｎ＋１）番目のタイムスロットの制御エリアを使用して（Ｎ＋１）番目のタイムスロットの物理制御チャネルをユーザ機器に送信して、（Ｎ＋１）番目のタイムスロットの物理データチャネルが伝送され得るようにすることがある。
【００９７】
本発明の実施形態は、ダウンリンク制御チャネルを伝送する方法を提供する。このダウンリンク制御チャネルを伝送する方法では、図３ａまたは図３ｂに示されるように、サブフレームは、Ｎ番目のタイムスロットおよび（Ｎ＋１）番目のタイムスロットを含み、Ｎ番目のタイムスロットは、第１のＴＴＩに対応し、（Ｎ＋１）番目のタイムスロットは、第２のＴＴＩに対応する。図５に示されるように、このダウンリンク制御チャネルを伝送する方法は、以下のステップを含む。
【００９８】
Ｓ２０１：ユーザ機器が、Ｎ番目のタイムスロットの制御エリアにおいてＮ番目のタイムスロットの物理制御チャネルを使用して（Ｎ＋１）番目のタイムスロットの制御エリア指示情報を受信する。ここで、制御エリア指示情報は、周波数領域制御指示情報および時間領域制御指示情報を含む。
【００９９】
Ｓ２０２：ユーザ機器が、（Ｎ＋１）番目のタイムスロットの制御エリア指示情報に従って（Ｎ＋１）番目のタイムスロットの制御エリアを決定する。
【０１００】
（Ｎ＋１）番目のタイムスロットの制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用される。したがって、ユーザ機器は、周波数領域制御指示情報および時間領域制御指示情報を示す指示に従って、（Ｎ＋１）番目のタイムスロットの制御エリアを決定することがある。
【０１０１】
Ｓ２０３：ユーザ機器が、（Ｎ＋１）番目のタイムスロットの制御エリアにおいて（Ｎ＋１）番目のタイムスロットの物理制御チャネルを受信して、（Ｎ＋１）番目のタイムスロットの物理制御チャネルに従って、（Ｎ＋１）番目のタイムスロットの物理データチャネルまたは（Ｎ＋１＋ｋ）番目のタイムスロットの物理データチャネルを決定する。ここで、ｋ≧４である。
【０１０２】
本実施形態のＮ番目のタイムスロットの物理制御チャネル、（Ｎ＋１）番目のタイムスロットの物理制御チャネル、（Ｎ＋１）番目のタイムスロットの物理データチャネル、および（Ｎ＋１＋ｋ）番目のタイムスロット（ｋ≧４）の物理データチャネルの詳細な内容については、本発明の別の実施形態の関連する記述を参照してよく、本実施形態のここでは詳細について説明しないことに留意されたい。
【０１０３】
本発明の本実施形態のＮ番目のタイムスロット、（Ｎ＋１）番目のタイムスロット、およびＮの詳細な説明については、本発明の別の実施形態の関連する内容を参照してよく、本実施形態のここでは詳細について説明しないことに留意されたい。
【０１０４】
本実施形態の（Ｎ＋１）番目のタイムスロットの周波数領域リソースブロックエリアおよび時間領域時間単位エリアの詳細な内容については、本発明の別の実施形態の関連する記述を参照してよく、本実施形態のここでは詳細について説明しないことに留意されたい。
【０１０５】
本発明の本実施形態によるダウンリンク制御チャネルを伝送する方法では、従来技術と比較して、この解決策では、ユーザ機器は、Ｎ番目のタイムスロットの制御エリアから、（Ｎ＋１）番目のタイムスロット中の（Ｎ＋１）番目のタイムスロットの制御エリアにおいて占められる時間領域リソースおよび周波数領域リソースを決定し、決定された時間領域リソースおよび周波数領域リソース上で、（Ｎ＋１）番目のタイムスロットの物理制御チャネルを受信することがある。すなわち、ユーザ機器は、基地局の指示に従って（Ｎ＋１）番目のタイムスロット（Ｓ−ＴＴＩ−１に対応するタイムスロット）の制御エリアを決定することがあり、基地局から（Ｎ＋１）番目のタイムスロットの制御エリアを使用して送信される（Ｎ＋１）番目のタイムスロットの物理制御チャネルを受信して、（Ｎ＋１）番目のタイムスロットの物理データチャネルが伝送され得るようにすることがある。
【０１０６】
本発明の実施形態は、ダウンリンク制御チャネルを伝送する方法を提供する。このダウンリンク制御チャネルを伝送する方法では、図３ａまたは図３ｂに示されるように、サブフレームは、Ｎ番目のタイムスロットおよび（Ｎ＋１）番目のタイムスロットを含み、Ｎ番目のタイムスロットは、第１のＴＴＩに対応し、（Ｎ＋１）番目のタイムスロットは、第２のＴＴＩに対応する。図６に示されるように、このダウンリンク制御チャネルを伝送する方法は、以下のステップを含む。
【０１０７】
Ｓ３０１：基地局が、Ｎ番目のタイムスロットの制御エリアにおいてＮ番目のタイムスロットの物理制御チャネルを使用して（Ｎ＋１）番目のタイムスロットの制御エリア指示情報をユーザ機器に送信する。
【０１０８】
Ｓ３０２：ユーザ機器が、Ｎ番目のタイムスロットの制御エリアにおいてＮ番目のタイムスロットの物理制御チャネルを使用して（Ｎ＋１）番目のタイムスロットの制御エリア指示情報を受信する。
【０１０９】
Ｓ３０３：ユーザ機器が、（Ｎ＋１）番目のタイムスロットの制御エリア指示情報に従って（Ｎ＋１）番目のタイムスロットの制御エリアを決定する。
【０１１０】
Ｓ３０４：基地局が、（Ｎ＋１）番目のタイムスロットの制御エリアにおいて、（Ｎ＋１）番目のタイムスロットの物理制御チャネルをユーザ機器に送信する。
【０１１１】
Ｓ３０５：ユーザ機器が、（Ｎ＋１）番目のタイムスロットの制御エリアにおいて、（Ｎ＋１）番目のタイムスロットの物理制御チャネルを受信して、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定する。ここで、ｋ≧４である。
【０１１２】
任意選択で、本実施形態の第１の適用シナリオでは、Ｎ番目のタイムスロットの物理制御チャネルは、Ｎ番目のタイムスロットのＰＤＣＣＨであることがある。
【０１１３】
第１の適用シナリオでは、図７に示されるように、Ｓ３０１がＳ３０１ａで置換されることがあり、Ｓ３０２がＳ３０２ａで置換されることがある。
【０１１４】
Ｓ３０１ａ：基地局が、Ｎ番目のタイムスロットの制御エリアにおいて、Ｎ番目のタイムスロットのＰＤＣＣＨ中で搬送されるダウンリンク制御インジケータＤＣＩを使用して、周波数領域制御指示情報および時間領域制御指示情報をユーザ機器に送信する。
【０１１５】
周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置、および（Ｎ＋１）番目のタイムスロット中の（Ｎ＋１）番目のタイムスロットの制御エリアによって占められる周波数領域リソースブロックエリアの長さを含む。ここで、ＲＢまたはＲＢＧは、周波数領域リソースブロックエリアの長さの単位として使用される。
【０１１６】
例えば、ＲＢが周波数領域リソースブロックエリアの長さの単位として使用されるものと仮定する。図１０ａに示されるように、図１０ａの周波数領域中の１つのセルがＲＢとして使用されて、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置が太字のセルで表されるＲＢであることがあることを示す。（Ｎ＋１）番目のタイムスロット中の（Ｎ＋１）番目のタイムスロットの制御エリアによって占められる周波数領域リソースブロックエリアの長さは、６個のＲＢ（すなわち６個のセル）であることがある。（Ｎ＋１）番目のタイムスロット中の（Ｎ＋１）番目のタイムスロットの制御エリアによって占められる時間領域時間単位エリアは、図１０ａに示される時間領域中の３つのセルによって表される３つのＳＣ−ＦＤＭＡシンボルからなる時間領域時間である。
【０１１７】
Ｓ３０２ａ：ユーザ機器が、Ｎ番目のタイムスロットの制御エリアにおいて、Ｎ番目のタイムスロットのＰＤＣＣＨ中で搬送されるダウンリンク制御インジケータ（Ｄｏｗｎｌｉｎｋ  Ｃｏｎｔｒｏｌ  Ｉｎｄｉｃａｔｏｒ、ＤＣＩ）を使用して、周波数領域制御指示情報および時間領域制御指示情報を受信する。
【０１１８】
第１の適用シナリオでは、基地局は、Ｎ番目のタイムスロットの制御エリアにおいて、Ｎ番目のタイムスロットのＰＤＣＣＨ中で搬送されるＤＣＩを使用して、周波数領域制御指示情報および時間領域制御指示情報をユーザ機器に送信することがあることに留意されたい。
【０１１９】
任意選択で、本実施形態の第２の適用シナリオでは、Ｎ番目のタイムスロットの物理制御チャネルは、Ｎ番目のタイムスロットのＰＤＣＣＨおよびＮ番目のタイムスロットの物理制御フォーマットインジケータチャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、ＰＣＦＩＣＨ）を含むことがある。
【０１２０】
第２の適用シナリオでは、図８に示されるように、Ｓ３０１がＳ３０１ｂおよびＳ３０１ｃを含むことがあり、Ｓ３０２がＳ３０２ｂおよびＳ３０２ｃを含むことがある。
【０１２１】
Ｓ３０１ｂ：基地局が、Ｎ番目のタイムスロットの制御エリアにおいて、Ｎ番目のタイムスロットのＰＤＣＣＨ中で搬送されるＤＣＩを使用してユーザ機器に周波数領域制御指示情報を送信する。
【０１２２】
Ｓ３０１ｃ：基地局が、Ｎ番目のタイムスロットの制御エリアにおいて、Ｎ番目のタイムスロットのＰＣＦＩＣＨ中で搬送される制御フォーマットインジケータＣＦＩを使用してユーザ機器に時間領域制御指示情報を送信する。
【０１２３】
Ｎ番目のタイムスロットのＰＣＦＩＣＨ中で搬送されるＣＦＩは、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる時間領域時間単位エリアは、Ｎ番目のタイムスロット中のＮ番目のタイムスロットの制御エリアによって占められる時間領域時間単位エリアと同じである。
【０１２４】
例えば、Ｎ番目のタイムスロット中のＮ番目のタイムスロットの制御エリアによって占められる時間領域時間単位エリアは、図１０ａに示される時間領域中の３つのセルによって表されるＳＣ−ＦＤＭＡシンボル指標０からＳＣ−ＦＤＭＡシンボル指標２までの時間領域時間である。この場合には、（Ｎ＋１）番目のタイムスロット中の（Ｎ＋１）番目のタイムスロットの制御エリアによって占められる時間領域時間単位エリアもまた、図１０ａに示される時間領域中の３つのセルによって表されるＳＣ−ＦＤＭＡシンボル指標０からＳＣ−ＦＤＭＡシンボル指標２までの時間領域時間でもある。
【０１２５】
Ｓ３０２ｂ：ユーザ機器が、Ｎ番目のタイムスロットの制御エリアにおいて、Ｎ番目のタイムスロットのＰＤＣＣＨ中で搬送されるＤＣＩを使用して、周波数領域制御指示情報を受信する。
【０１２６】
Ｓ３０２ｃ：ユーザ機器が、Ｎ番目のタイムスロットの制御エリアにおいて、Ｎ番目のタイムスロットのＰＣＦＩＣＨ中で搬送される制御フォーマットインジケータ（Ｃｏｎｔｒｏｌ  Ｆｏｒｍａｔ  Ｉｎｄｉｃａｔｏｒ、ＣＦＩ）を使用して、時間領域制御指示情報を受信する。
【０１２７】
第２の適用シナリオでは、基地局は、Ｎ番目のタイムスロットの制御エリアにおいて、Ｎ番目のタイムスロットのＰＤＣＣＨ中で搬送されるＤＣＩを使用してユーザ機器に周波数領域制御指示情報を送信し、Ｎ番目のタイムスロットの制御エリアにおいて、Ｎ番目のタイムスロットのＰＣＦＩＣＨ中で搬送されるＣＦＩを使用してユーザ機器に時間領域制御指示情報を送信することがあることに留意されたい。
【０１２８】
任意選択で、本実施形態の第３の適用シナリオでは、Ｎ番目のタイムスロットの物理制御チャネルは、Ｎ番目のタイムスロットのＰＤＣＣＨおよびＮ番目のタイムスロットのＰＣＦＩＣＨを含むことがある。
【０１２９】
第３の適用シナリオでは、図９に示されるように、Ｓ３０１がＳ３０１ｂおよびＳ３０１ｄを含むことがあり、Ｓ３０２がＳ３０２ｂおよびＳ３０２ｄを含むことがある。
【０１３０】
Ｓ３０１ｂ：基地局が、Ｎ番目のタイムスロットの制御エリアにおいて、Ｎ番目のタイムスロットのＰＤＣＣＨ中で搬送されるＤＣＩを使用してユーザ機器に周波数領域制御指示情報を送信する。
【０１３１】
Ｓ３０１ｄ：基地局が、Ｎ番目のタイムスロットの制御エリアにおいて、Ｎ番目のタイムスロットのＰＤＣＣＨ中で搬送されるＤＣＩ、およびＮ番目のタイムスロットのＰＣＦＩＣＨ中で搬送されるＣＦＩを使用して、ユーザ機器に時間領域制御指示情報を送信する。
【０１３２】
Ｎ番目のタイムスロットのＰＣＦＩＣＨで搬送されるＣＦＩは、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる参照時間領域時間単位エリアは、Ｎ番目のタイムスロット中のＮ番目のタイムスロットの制御エリアによって占められる時間領域時間単位エリアと同じである。
【０１３３】
図１０ｂに示される時間領域中の１つのセルが、時間領域時間単位エリアの単位時間として使用されるものと仮定されていることに留意されたい。（Ｎ＋１）番目のタイムスロット中の（Ｎ＋１）番目のタイムスロットの制御エリアによって占められる時間領域時間単位エリアは、Ｎ番目のタイムスロット中のＮ番目のタイムスロットの制御エリアによって占められる時間領域時間単位エリアに基づいて１または複数のセルだけ変動することがある、すなわち、（Ｎ＋１）番目のタイムスロット中の（Ｎ＋１）番目のタイムスロットの制御エリアによって占められる参照時間領域時間単位エリアは、Ｎ番目のタイムスロット中のＮ番目のタイムスロットの制御エリアによって占められる時間領域時間単位エリアと同じである。したがって、（Ｎ＋１）番目のタイムスロット中の（Ｎ＋１）番目のタイムスロットの制御エリアによって占められる時間領域時間単位エリアは、（Ｎ＋１）番目のタイムスロット中の（Ｎ＋１）番目のタイムスロットの制御エリアによって占められる参照時間領域時間単位エリア中で１または複数のセルだけ変動することがある。ここで、（Ｎ＋１）番目のタイムスロットの制御エリアによって占められる時間領域時間単位エリアの開始位置は、この（Ｎ＋１）番目のタイムスロットの最初のシンボルである。
【０１３４】
例えば、図１０ｂに示されるように、Ｎ番目のタイムスロット中のＮ番目のタイムスロットの制御エリアによって占められる時間領域時間単位エリアは、図１０ａに示される時間領域中の３つのセルによって表されるＳＣ−ＦＤＭＡシンボル指標０からＳＣ−ＦＤＭＡシンボル指標２までの時間領域時間であり、すなわち、（Ｎ＋１）番目のタイムスロット中の（Ｎ＋１）番目のタイムスロットの制御エリアによって占められる参照時間領域時間単位エリアは、図１０ａに示される時間領域中の３つのセルによって表されるＳＣ−ＦＤＭＡシンボル指標０からＳＣ−ＦＤＭＡシンボル指標２までの時間領域時間である。（Ｎ＋１）番目のタイムスロット中の（Ｎ＋１）番目のタイムスロットの制御エリアによって占められる時間領域時間単位エリアは、（Ｎ＋１）番目のタイムスロット中の（Ｎ＋１）番目のタイムスロットの制御エリアによって占められる参照時間領域時間単位エリアより１または複数少ないセルを有することも、または（Ｎ＋１）番目のタイムスロット中の（Ｎ＋１）番目のタイムスロットの制御エリアによって占められる参照時間領域時間単位エリアより１または複数多いセルを有することもある。図１０ｂに示されるように、（Ｎ＋１）番目のタイムスロット中の（Ｎ＋１）番目のタイムスロットの制御エリアによって占められる時間領域時間単位エリアは、（Ｎ＋１）番目のタイムスロット中の（Ｎ＋１）番目のタイムスロットの制御エリアによって占められる参照時間領域時間単位エリアより１つ少ないセルを有する、すなわち、（Ｎ＋１）番目のタイムスロット中の（Ｎ＋１）番目のタイムスロットの制御エリアによって占められる時間領域時間単位エリアは、図１０ｂに示される時間領域中の２つのセルによって表されるＳＣ−ＦＤＭＡシンボル指標０からＳＣ−ＦＤＭＡ指標１までの時間領域時間である。
【０１３５】
Ｎ番目のタイムスロットのＰＤＣＣＨ中で搬送されるＤＣＩは、（Ｎ＋１）番目のタイムスロットの制御エリアの時間単位エリアオフセット指示情報を含む。（Ｎ＋１）番目のタイムスロットの制御エリアの時間単位エリアオフセット指示情報は、１ビットまたは複数ビットを有する指示情報であることがある。１ビット情報は、例として使用されている。１ビットを有する（Ｎ＋１）番目のタイムスロットの制御エリアの時間単位エリアオフセット指示情報が０であるときには、時間単位エリアオフセット指示情報は、（Ｎ＋１）番目のタイムスロット中の（Ｎ＋１）番目のタイムスロットの制御エリアによって占められる時間領域時間単位エリアが、（Ｎ＋１）番目のタイムスロット中の（Ｎ＋１）番目のタイムスロットの制御エリアによって占められる参照時間領域時間単位エリアより１つ少ないセルを有することを示すために使用される、または、１ビットを有する（Ｎ＋１）番目のタイムスロットの制御エリアの時間単位エリアオフセット指示情報が１であるときには、時間単位エリアオフセット指示情報は、（Ｎ＋１）番目のタイムスロット中の（Ｎ＋１）番目のタイムスロットの制御エリアによって占められる時間領域時間単位エリアが、（Ｎ＋１）番目のタイムスロット中の（Ｎ＋１）番目のタイムスロットの制御エリアによって占められる参照時間領域時間単位エリアより１つ多いセルを有することを示すために使用される。
【０１３６】
例として、以下で、（Ｎ＋１）番目のタイムスロットの制御エリアの時間単位エリアオフセット指示情報（略記はオフセット指示情報）として、２ビット情報および３ビット情報を例として使用して、「（Ｎ＋１）番目のタイムスロット中の（Ｎ＋１）番目のタイムスロットの制御エリアによって占められる時間領域時間単位エリア」と「（Ｎ＋１）番目のタイムスロット中の（Ｎ＋１）番目のタイムスロットの制御エリアによって占められる参照時間領域時間単位エリア」の間の関係を説明する。
【０１３７】
オフセット指示情報が２ビット情報であるときには、オフセット指示情報は、００、０１、１０、または１１のうちのいずれか１つであり得る。以下に、オフセット指示情報がそれぞれ００、０１、１０、または１１であるときに示される、「（Ｎ＋１）番目のタイムスロット中の（Ｎ＋１）番目のタイムスロットの制御エリアによって占められる時間領域時間単位エリア」と「（Ｎ＋１）番目のタイムスロット中の（Ｎ＋１）番目のタイムスロットの制御エリアによって占められる参照時間領域時間単位エリア」の間の関係を、表の形態で与える（表１）。
【０１３８】
【表１】
0006542898.tif 000002
【０１３９】
オフセット指示情報が３ビット情報であるときには、オフセット指示情報は、０００、００１、０１０、０１１、１００、１０１、１１０、または１１１のうちのいずれか１つであり得る。以下に、オフセット指示情報がそれぞれ０００、００１、０１０、０１１、１００、１０１、１１０、または１１１であるときに示される、「（Ｎ＋１）番目のタイムスロット中の（Ｎ＋１）番目のタイムスロットの制御エリアによって占められる時間領域時間単位エリア」と「（Ｎ＋１）番目のタイムスロット中の（Ｎ＋１）番目のタイムスロットの制御エリアによって占められる参照時間領域時間単位エリア」の間の関係を、表の形態で与える（表２）。
【０１４０】
【表２】
0006542898.tif 000003
【０１４１】
Ｓ３０２ｂ：ユーザ機器が、Ｎ番目のタイムスロットの制御エリアにおいて、Ｎ番目のタイムスロットのＰＤＣＣＨ中で搬送されるＤＣＩを使用して周波数領域制御指示情報を受信する。
【０１４２】
Ｓ３０２ｄ：ユーザ機器が、Ｎ番目のタイムスロットの制御エリアにおいて、Ｎ番目のタイムスロットのＰＤＣＣＨ中で搬送されるＤＣＩおよびＮ番目のタイムスロットのＰＣＦＩＣＨ中で搬送されるＣＦＩを使用して時間領域制御指示情報を受信する。
【０１４３】
（Ｎ＋１）番目のタイムスロット中の（Ｎ＋１）番目のタイムスロットの制御エリアによって占められる参照時間領域時間単位エリアは、Ｎ番目のタイムスロット中のＮ番目のタイムスロットの制御エリアによって占められる時間領域時間単位エリアと同じであるので、ユーザ機器がＮ番目のタイムスロットのＰＣＦＩＣＨ中で搬送されるＣＦＩを使用してＮ番目のタイムスロット中のＮ番目のタイムスロットの制御エリアによって占められる時間領域時間単位エリアについての指示情報を受信した後、（Ｎ＋１）番目のタイムスロット中の（Ｎ＋１）番目のタイムスロットの制御エリアによって占められる参照時間領域時間単位エリア（図１０ｂに示される時間領域中の３つのセルによって表される時間領域時間）が決定されることがある。ユーザ機器は、Ｎ番目のタイムスロットの制御エリアにおいて、Ｎ番目のタイムスロットのＰＤＣＣＨ中で搬送されるＤＣＩを使用して、（Ｎ＋１）番目のタイムスロットの制御エリアの時間単位エリアオフセット指示情報（「０」であると仮定される）を受信する。ユーザ機器は、（Ｎ＋１）番目のタイムスロット中の（Ｎ＋１）番目のタイムスロットの制御エリアによって占められる参照時間領域時間単位エリアおよび（Ｎ＋１）番目のタイムスロットの制御エリアの時間単位エリアオフセット指示情報に従って、（Ｎ＋１）番目のタイムスロット中の（Ｎ＋１）番目のタイムスロットの制御エリアによって占められる時間領域時間単位エリア（図１０ｂに示される時間領域中の２つのセルによって表される時間領域時間）を決定することがある。
【０１４４】
前述の３つの適用シナリオでは、基地局は、ユーザ機器に割り当てられたセル無線ネットワーク一時識別子（Ｃｅｌｌ−Ｒａｄｉｏ  Ｎｅｔｗｏｒｋ  Ｔｅｍｐｏｒａｒｙ  Ｉｄｅｎｔｉｆｉｅｒ、Ｃ−ＲＮＴＩ）を使用し、Ｎ番目のタイムスロットの制御エリアにおいて、Ｎ番目のタイムスロットのＰＤＣＣＨ中で搬送されるＤＣＩを使用してユーザ機器に周波数領域制御指示情報を送信することがある。
【０１４５】
それに対応して、ユーザ機器は、基地局によってユーザ機器に割り当てられたＣ−ＲＮＴＩを使用して、Ｎ番目のタイムスロットの制御エリアから、基地局からユーザ機器に送信されるＮ番目のタイムスロットのＰＤＣＣＨを検出して、Ｎ番目のタイムスロットのＰＤＣＣＨ中で搬送されるＤＣＩを取得し、Ｎ番目のタイムスロットのＰＤＣＣＨ中で搬送されるＤＣＩから周波数領域制御指示情報を取得することがある。
【０１４６】
好ましくは、基地局は、複数のユーザ機器に１つの共通の共通Ｃ−ＲＮＴＩを割り当て、共通Ｃ−ＲＮＴＩを使用して、かつＮ番目のタイムスロットのＰＤＣＣＨ中で搬送されるダウンリンク制御インジケータ（Ｄｏｗｎｌｉｎｋ  Ｃｏｎｔｒｏｌ  Ｉｎｄｉｃａｔｏｒ、ＤＣＩ）を使用して、それらのユーザ機器に周波数領域制御指示情報を送信することがある。
【０１４７】
それに対応して、ユーザ機器は、基地局によって割り当てられた共通Ｃ−ＲＮＴＩを使用して、Ｎ番目のタイムスロットの制御エリアから、基地局から送信されるＮ番目のタイムスロットのＰＤＣＣＨを検出して、Ｎ番目のタイムスロットのＰＤＣＣＨ中で搬送されるＤＣＩを取得し、Ｎ番目のタイムスロットのＰＤＣＣＨ中で搬送されるＤＣＩから周波数領域制御指示情報を取得することがある。
【０１４８】
基地局が複数のユーザ機器に１つの共通のＣ−ＲＮＴＩを割り当てる場合には、１つの０．５ｍｓＴＴＩのユーザ機器について、一方を専用Ｃ−ＲＮＴＩ、他方を共通Ｃ−ＲＮＴＩとして、２つのＣ−ＲＮＴＩが同時に構成され得ることに留意されたい。ユーザ機器は、専用Ｃ−ＲＮＴＩを使用してＮ番目のタイムスロットの第１のＰＤＣＣＨを検出する。ここで、第１のＰＤＣＣＨは、Ｎ番目のタイムスロットのＰＤＳＣＨを復調するために使用される指示情報、またはＮ番目のタイムスロット後のｋ番目のタイムスロットのＰＵＳＣＨを示すために使用される再送指示ＨＡＲＱ情報を搬送する。同時に、ユーザ機器は、共通Ｃ−ＲＮＴＩを使用してＮ番目のタイムスロットの第２のＰＤＣＣＨを検出する。ここで、第２のＰＤＣＣＨは、本実施形態で説明される（Ｎ＋１）番目のタイムスロットの制御エリア指示情報を搬送する。
【０１４９】
（Ｎ＋１）番目のタイムスロットの物理制御チャネル、（Ｎ＋１）番目のタイムスロットの物理データチャネル、および（Ｎ＋１＋ｋ）番目のタイムスロット（ｋ≧４）の物理データチャネルの詳細な内容については、本発明の別の実施形態の関連する記述を参照してよく、本実施形態のここでは詳細について説明しないことに留意されたい。
【０１５０】
本発明の本実施形態のＮ番目のタイムスロット、（Ｎ＋１）番目のタイムスロット、およびＮの詳細な説明については、本発明の別の実施形態の関連する内容を参照してよく、本実施形態のここでは詳細について説明しないことに留意されたい。
【０１５１】
本発明の本実施形態によるダウンリンク制御チャネルを伝送する方法では、従来技術と比較して、この解決策では、基地局は、Ｎ番目のタイムスロットの制御エリアにおいて、Ｎ番目のタイムスロットの物理制御チャネルを使用してユーザ機器に（Ｎ＋１）番目のタイムスロットの制御エリア指示情報を送信することがあり、ここで、（Ｎ＋１）番目のタイムスロットの制御エリア指示情報は、（Ｎ＋１）番目のタイムスロット中の（Ｎ＋１）番目のタイムスロットの制御エリアによって占められる時間領域リソースおよび周波数領域リソースを示すために使用される、すなわち、Ｎ番目のタイムスロットの制御エリアは、（Ｎ＋１）番目のタイムスロット中の（Ｎ＋１）番目のタイムスロットの制御エリアによって占められる時間領域リソースおよび周波数領域リソースをユーザ機器に対して示すために使用され、基地局は、次いで、（Ｎ＋１）番目のタイムスロットの制御エリア指示情報によって示される制御エリアにおいて、（Ｎ＋１）番目のタイムスロットの物理制御チャネルをユーザ機器に送信することがある。次いで、ユーザ機器は、Ｎ番目のタイムスロットの制御エリアから、（Ｎ＋１）番目のタイムスロット中の（Ｎ＋１）番目のタイムスロットの制御エリアによって占められる時間領域リソースおよび周波数領域リソースを決定し、決定された時間領域リソースおよび周波数領域リソース上で（Ｎ＋１）番目のタイムスロットの物理制御チャネルを受信することがある。すなわち、基地局は、（Ｎ＋１）番目のタイムスロット（Ｓ−ＴＴＩ−１に対応するタイムスロット）の制御エリアをユーザ機器に対して示して、（Ｎ＋１）番目のタイムスロットの物理制御チャネルが（Ｎ＋１）番目のタイムスロットの制御エリアを使用して伝送されて、（Ｎ＋１）番目のタイムスロットの物理データチャネルを伝送するようにすることがある。
【０１５２】
さらに、この解決策では、Ｎ番目のタイムスロット（第１のＴＴＩに対応するタイムスロット、すなわちＳ−ＴＴＩ−０に対応するタイムスロット）の制御エリアは、Ｎ−ＴＴＩの制御エリアである、すなわち、Ｎ−ＴＴＩの制御エリアが、依然として第１のＴＴＩのために再使用される。すなわち、この解決策では、基地局は、Ｎ−ＴＴＩの制御エリアを使用して、（Ｎ＋１）番目のタイムスロット（第２のＴＴＩに対応するタイムスロット、すなわち、Ｓ−ＴＴＩ−１の制御エリアに対応するタイムスロット）をユーザ機器に対して示すことがある。すなわち、この解決策により、１ｍｓＮ−ＴＴＩと０．５ｍｓＳ−ＴＴＩの間の互換性が実施され得、（Ｎ＋１）番目のタイムスロットの制御エリアの伝送が１ｍｓＮ−ＴＴＩの物理データチャネルの伝送に影響を及ぼすことが回避され得る。
【０１５３】
本発明の実施形態は、ダウンリンク制御チャネルを伝送する方法を提供する。このダウンリンク制御チャネルを伝送する方法では、図３ａまたは図３ｂに示されるように、サブフレームは、Ｎ番目のタイムスロットおよび（Ｎ＋１）番目のタイムスロットを含み、Ｎ番目のタイムスロットは、第１のＴＴＩに対応し、（Ｎ＋１）番目のタイムスロットは、第２のＴＴＩに対応する。図１１に示されるように、このダウンリンク制御チャネルを伝送する方法は、以下のステップを含む。
【０１５４】
Ｓ４０１：基地局が、（Ｎ＋１）番目のタイムスロットの２次物理制御フォーマットインジケータチャネル（Ｓｅｃｏｎｄａｒｙ−Ｐｈｙｓｉｃａｌ  Ｃｏｎｔｒｏｌ  Ｆｏｒｍａｔ  Ｉｎｄｉｃａｔｏｒ  Ｃｈａｎｎｅｌ、Ｓ−ＰＣＦＩＣＨ）をユーザ機器に送信して、ユーザ機器が（Ｎ＋１）番目のタイムスロットのＳ−ＰＣＦＩＣＨおよびＳ−ＰＣＦＩＣＨのリソース要素位置情報に従って（Ｎ＋１）番目のタイムスロットの制御エリア指示情報を決定するようにする。ここで、制御エリア指示情報は、周波数領域制御指示情報および時間領域制御指示情報を含む。
【０１５５】
周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用され、リソース要素位置情報は、予め規定される、または上位レイヤシグナリングを使用して基地局からユーザ機器に送信される。
【０１５６】
Ｓ４０２：基地局が、（Ｎ＋１）番目のタイムスロットの制御エリアにおいて、（Ｎ＋１）番目のタイムスロットの物理制御チャネルをユーザ機器に送信して、ユーザ機器が、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにする。ここで、ｋ≧４である。
【０１５７】
本実施形態の（Ｎ＋１）番目のタイムスロットの物理制御チャネル、（Ｎ＋１）番目のタイムスロットの物理データチャネル、（Ｎ＋１＋ｋ）番目のタイムスロット（ｋ≧４）の物理データチャネル、Ｎ番目のタイムスロット、（Ｎ＋１）番目のタイムスロット、およびＮの詳細な内容については、本発明の別の実施形態の関連する記述を参照してよく、本実施形態のここでは詳細について説明しないことに留意されたい。
【０１５８】
本発明の本実施形態によるダウンリンク制御チャネルを伝送する方法では、従来技術と比較して、この解決策では、基地局は、（Ｎ＋１）番目のタイムスロットのＳ−ＰＣＦＩＣＨおよび（Ｎ＋１）番目のタイムスロットのＳ−ＰＣＦＩＣＨのリソース要素位置情報を使用して、（Ｎ＋１）番目のタイムスロット中の（Ｎ＋１）番目のタイムスロットの制御エリアによって占められる時間領域リソースおよび周波数領域リソースの（Ｎ＋１）番目のタイムスロットの制御エリア指示情報をユーザ機器に対して示し、次いで、（Ｎ＋１）番目のタイムスロットの制御エリア指示情報によって示される制御エリアにおいて、（Ｎ＋１）番目のタイムスロットの物理制御チャネルをユーザ機器に送信することがある。すなわち、基地局は、（Ｎ＋１）番目のタイムスロット（Ｓ−ＴＴＩ−１に対応するタイムスロット）の制御エリアをユーザ機器に対して示し、さらに、（Ｎ＋１）番目のタイムスロットの制御エリアを使用して（Ｎ＋１）番目のタイムスロットの物理制御チャネルをユーザ機器に送信して、（Ｎ＋１）番目のタイムスロットの物理データチャネルが送信され得るようにすることがある。
【０１５９】
本発明の別の実施形態は、ダウンリンク制御チャネルを伝送する方法を提供する。このダウンリンク制御チャネルを伝送する方法では、図３ａまたは図３ｂに示されるように、サブフレームは、Ｎ番目のタイムスロットおよび（Ｎ＋１）番目のタイムスロットを含み、Ｎ番目のタイムスロットは、第１のＴＴＩに対応し、（Ｎ＋１）番目のタイムスロットは、第２のＴＴＩに対応する。図１２に示されるように、このダウンリンク制御チャネルを伝送する方法は、以下のステップを含む。
【０１６０】
Ｓ５０１：ユーザ機器が、上位レイヤシグナリングまたは予め規定された方法を使用して（Ｎ＋１）番目のタイムスロットの２次物理制御フォーマットインジケータチャネルＳ−ＰＣＦＩＣＨのリソース要素位置情報を決定する。
【０１６１】
Ｓ５０２：ユーザ機器が、（Ｎ＋１）番目のタイムスロットのＳ−ＰＣＦＩＣＨのリソース要素位置情報によって示されるリソース要素位置で、（Ｎ＋１）番目のタイムスロットのＳ−ＰＣＦＩＣＨチャネルを受信する。
【０１６２】
Ｓ５０３：ユーザ機器が、（Ｎ＋１）番目のタイムスロットのＳ−ＰＣＦＩＣＨのリソース要素位置情報および（Ｎ＋１）番目のタイムスロットのＳ−ＰＣＦＩＣＨに従って、（Ｎ＋１）番目のタイムスロットの制御エリア指示情報を決定する。ここで、制御エリア指示情報は、周波数領域制御指示情報および時間領域制御指示情報を含む。
【０１６３】
Ｓ５０４：ユーザ機器が、（Ｎ＋１）番目のタイムスロットの制御エリア指示情報に従って（Ｎ＋１）番目のタイムスロットの制御エリアを決定する。
【０１６４】
Ｓ５０５：ユーザ機器が、（Ｎ＋１）番目のタイムスロットの制御エリアにおいて、（Ｎ＋１）番目のタイムスロットの物理制御チャネルを受信して、（Ｎ＋１）番目のタイムスロットの物理制御チャネルに従って、（Ｎ＋１）番目のタイムスロットの物理データチャネルまたは（Ｎ＋１＋ｋ）番目のタイムスロットの物理データチャネルを決定する。ここで、ｋ≧４である。
【０１６５】
本実施形態の（Ｎ＋１）番目のタイムスロットの物理制御チャネル、（Ｎ＋１）番目のタイムスロットの物理データチャネル、（Ｎ＋１＋ｋ）番目のタイムスロット（ｋ≧４）の物理データチャネル、Ｎ番目のタイムスロット、（Ｎ＋１）番目のタイムスロット、およびＮの詳細な内容については、本発明の別の実施形態の関連する記述を参照してよく、本実施形態のここでは詳細について説明しないことに留意されたい。
【０１６６】
本発明の本実施形態によるダウンリンク制御チャネルを伝送する方法では、従来技術と比較して、この解決策では、ユーザ機器は、（Ｎ＋１）番目のタイムスロットのＳ−ＰＣＦＩＣＨのリソース要素位置情報によって示されるリソース要素位置で（Ｎ＋１）番目のタイムスロットのＳ−ＰＣＦＩＣＨチャネルを受信し、（Ｎ＋１）番目のタイムスロットのＳ−ＰＣＦＩＣＨのリソース要素位置情報および（Ｎ＋１）番目のタイムスロットのＳ−ＰＣＦＩＣＨに従って（Ｎ＋１）番目のタイムスロットの制御エリア指示情報を決定し、次いで（Ｎ＋１）番目のタイムスロットの制御エリア指示情報に従って（Ｎ＋１）番目のタイムスロットの制御エリアを決定し、（Ｎ＋１）番目のタイムスロットの制御エリアにおいて、（Ｎ＋１）番目のタイムスロットの物理制御チャネルを受信することがある。すなわち、ユーザ機器は、基地局の指示に従って（Ｎ＋１）番目のタイムスロット（Ｓ−ＴＴＩ−１に対応するタイムスロット）の制御エリアを決定し、（Ｎ＋１）番目のタイムスロットの制御エリアを使用して基地局から送信される（Ｎ＋１）番目のタイムスロットの物理制御チャネルを受信して、（Ｎ＋１）番目のタイムスロットの物理データチャネルが伝送され得るようにすることがある。
【０１６７】
本発明の別の実施形態は、ダウンリンク制御チャネルを伝送する方法を提供する。このダウンリンク制御チャネルを伝送する方法では、図３ａまたは図３ｂに示されるように、サブフレームは、Ｎ番目のタイムスロットおよび（Ｎ＋１）番目のタイムスロットを含み、Ｎ番目のタイムスロットは、第１のＴＴＩに対応し、（Ｎ＋１）番目のタイムスロットは、第２のＴＴＩに対応する。図１３に示されるように、このダウンリンク制御チャネルを伝送する方法は、以下のステップを含む。
【０１６８】
Ｓ６０１：基地局が、（Ｎ＋１）番目のタイムスロットのＳ−ＰＣＦＩＣＨのリソース要素位置情報をユーザ機器に対して示す。
【０１６９】
例えば、本発明の本実施形態では、基地局は、上位レイヤシグナリングを使用して、（Ｎ＋１）番目のタイムスロットのＳ−ＰＣＦＩＣＨのリソース要素位置情報をユーザ機器に送信することがある。
【０１７０】
本発明の本実施形態の上位レイヤシグナリングは、無線リソース制御（Ｒａｄｉｏ  Ｒｅｓｏｕｒｃｅ  Ｃｏｎｔｒｏｌ、ＲＲＣ）構成シグナリング、または媒体アクセス制御（Ｍｅｄｉｕｍ  Ａｃｃｅｓｓ  Ｃｏｎｔｒｏｌ、ＭＡＣ）レイヤ構成シグナリングであることがある。
【０１７１】
Ｓ６０２：基地局が、（Ｎ＋１）番目のタイムスロットのＳ−ＰＣＦＩＣＨのリソース要素位置情報によって示されるリソース要素位置で、（Ｎ＋１）番目のタイムスロットのＳ−ＰＣＦＩＣＨをユーザ機器に送信する。
【０１７２】
（Ｎ＋１）番目のタイムスロットのＳ−ＰＣＦＩＣＨのリソース要素位置情報は、（Ｎ＋１）番目のタイムスロットのＳ−ＰＣＦＩＣＨを伝送するために使用されるリソース要素を示す位置情報であることがある。例えば、リソース要素位置情報は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置、（Ｎ＋１）番目のタイムスロット中の（Ｎ＋１）番目のタイムスロットのＳ−ＰＣＦＩＣＨによって占められる周波数領域リソースブロックエリアの長さ、および（Ｎ＋１）番目のタイムスロット中の（Ｎ＋１）番目のタイムスロットのＳ−ＰＣＦＩＣＨによって占められる時間領域時間単位エリアを含むことがある。
【０１７３】
任意選択で、本実施形態の第１の適用シナリオでは、（Ｎ＋１）番目のタイムスロットのＳ−ＰＣＦＩＣＨは、時間領域制御指示情報を搬送する。
【０１７４】
さらに任意選択で、本実施形態の第２の適用シナリオでは、（Ｎ＋１）番目のタイムスロットのＳ−ＰＣＦＩＣＨは、周波数領域リソース長情報および時間領域制御指示情報を搬送する。周波数領域リソース長情報は、（Ｎ＋１）番目のタイムスロット中の（Ｎ＋１）番目のタイムスロットの制御エリアによって占められる周波数領域リソースブロックエリアの長さを示すために使用される。
【０１７５】
Ｓ６０３：基地局が、（Ｎ＋１）番目のタイムスロットの制御エリアにおいて、（Ｎ＋１）番目のタイムスロットの物理制御チャネルをユーザ機器に送信する。
【０１７６】
Ｓ６０４：ユーザ機器が、（Ｎ＋１）番目のタイムスロットのＳ−ＰＣＦＩＣＨのリソース要素位置情報を決定する。
【０１７７】
例えば、本発明の本実施形態では、ユーザ機器は、上位レイヤシグナリングまたは予め規定された方法を使用して、（Ｎ＋１）番目のタイムスロットのＳ−ＰＣＦＩＣＨのリソース要素位置情報を決定することがある。
【０１７８】
ユーザ機器が予め規定された方法を使用して（Ｎ＋１）番目のタイムスロットのＳ−ＰＣＦＩＣＨのリソース要素位置情報を決定するとき、すなわち（Ｎ＋１）番目のタイムスロットのＳ−ＰＣＦＩＣＨのリソース要素位置情報がユーザ機器で予め規定されているときには、Ｓ６０１は、スキップされることがある。すなわち、基地局は、（Ｎ＋１）番目のタイムスロットのＳ−ＰＣＦＩＣＨのリソース要素位置情報によって示されるリソース要素位置で、（Ｎ＋１）番目のタイムスロットのＳ−ＰＣＦＩＣＨをユーザ機器に直ちに送信することがある（すなわち、Ｓ６０２が直ちに実行される）。
【０１７９】
Ｓ６０５：ユーザ機器が、（Ｎ＋１）番目のタイムスロットのＳ−ＰＣＦＩＣＨのリソース要素位置情報によって示されるリソース要素位置で、（Ｎ＋１）番目のタイムスロットのＳ−ＰＣＦＩＣＨチャネルを受信する。
【０１８０】
Ｓ６０６：ユーザ機器が、（Ｎ＋１）番目のタイムスロットのＳ−ＰＣＦＩＣＨのリソース要素位置情報および（Ｎ＋１）番目のタイムスロットのＳ−ＰＣＦＩＣＨに従って、（Ｎ＋１）番目のタイムスロットの制御エリア指示情報を決定する。
【０１８１】
制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用される。
【０１８２】
例えば、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置、および（Ｎ＋１）番目のタイムスロット中の（Ｎ＋１）番目のタイムスロットの制御エリアによって占められる周波数領域リソースブロックエリアの長さを含むことがあり、ここで、ＲＢまたはＲＢＧが、周波数領域リソースブロックエリアの長さの単位として使用される。
【０１８３】
本実施形態の第１の適用シナリオでは、（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じである。（Ｎ＋１）番目のタイムスロット中の（Ｎ＋１）番目のタイムスロットの制御エリアによって占められる周波数領域リソースブロックエリアの長さは、Ｌに（Ｎ＋１）番目のタイムスロットのＳ−ＰＣＦＩＣＨが位置する（Ｎ＋１）番目のタイムスロット中の周波数領域リソースブロックエリアの長さを足したものに等しく、Ｌは、０以上の整数である。（Ｎ＋１）番目のタイムスロットのＳ−ＰＣＦＩＣＨは、時間領域制御指示情報を搬送する。図１４に示されるように、第１の適用シナリオでは、Ｓ６０６がＳ６０６ａおよびＳ６０６ｂを含むことがある。
【０１８４】
Ｓ６０６ａ：ユーザ機器が、（Ｎ＋１）番目のタイムスロットのＳ−ＰＣＦＩＣＨのリソース要素位置情報に従って周波数領域制御指示情報を決定する。
【０１８５】
詳細には、ユーザ機器は、（Ｎ＋１）番目のタイムスロット中の（Ｎ＋１）番目のタイムスロットのＳ−ＰＣＦＩＣＨによって占められる周波数領域リソースブロックエリアのものであり、かつリソース要素位置情報に含まれる周波数領域リソースブロック開始位置に従って、（Ｎ＋１）番目のタイムスロット中の（Ｎ＋１）番目のタイムスロットの制御エリアによって占められる周波数領域リソースブロックエリアの周波数領域リソースブロック開始位置を決定することがある。ここで、（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じである。
【０１８６】
例えば、ＲＢが周波数領域リソースブロックエリアの長さの単位として使用されるものと仮定する。図１６に示されるように、例えば、図１６の周波数領域中の１つのセルが、ＲＢとして使用される。周波数領域制御指示情報が、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置が太字のセルで表されるＲＢであることを示す場合には、（Ｎ＋１）番目のタイムスロット中の（Ｎ＋１）番目のタイムスロットの制御エリアによって占められる周波数領域リソースブロックエリアの周波数領域リソースブロック開始位置が（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じであるので、（Ｎ＋１）番目のタイムスロット中の（Ｎ＋１）番目のタイムスロットの制御エリアによって占められる周波数領域リソースブロックエリアの周波数領域リソースブロック開始位置も、太字のセルで表されるＲＢである。
【０１８７】
ユーザ機器は、（Ｎ＋１）番目のタイムスロットのＳ−ＰＣＦＩＣＨが位置する（Ｎ＋１）番目のタイムスロット中の周波数領域リソースブロックエリアの長さに従って、（Ｎ＋１）番目のタイムスロット中の（Ｎ＋１）番目のタイムスロットの制御エリアによって占められる周波数領域リソースブロックエリアの長さを決定することがある。ここで、（Ｎ＋１）番目のタイムスロット中の（Ｎ＋１）番目のタイムスロットの制御エリアによって占められる周波数領域リソースブロックエリアの長さは、Ｌに（Ｎ＋１）番目のタイムスロットのＳ−ＰＣＦＩＣＨが位置する（Ｎ＋１）番目のタイムスロット中の周波数領域リソースブロックエリアの長さを加えたものに等しく、Ｌは、０以上の整数である。
【０１８８】
例えば、図１６に示されるように、（Ｎ＋１）番目のタイムスロットのＳ−ＰＣＦＩＣＨが位置する（Ｎ＋１）番目のタイムスロット中の周波数領域リソースブロックエリアの長さが５つのＲＢ（５つのセルで表される周波数領域リソースブロックエリア、すなわち図１６に太字の丸で示される周波数領域リソースブロックエリアの長さ）であることが分かることがある。（Ｎ＋１）番目のタイムスロット中の（Ｎ＋１）番目のタイムスロットの制御エリアによって占められる周波数領域リソースブロックエリアの長さは、Ｌに（Ｎ＋１）番目のタイムスロットのＳ−ＰＣＦＩＣＨが位置する（Ｎ＋１）番目のタイムスロット中の周波数領域リソースブロックエリアの長さを加えたものに等しく、ここで、Ｌ≧０である。したがって、（Ｎ＋１）番目のタイムスロット中の（Ｎ＋１）番目のタイムスロットの制御エリアによって占められる周波数領域リソースブロックエリアの長さは、少なくとも５つのＲＢ（すなわち、６個のセルで表される周波数領域リソースブロックエリアの長さ）であることがある。
【０１８９】
Ｓ６０６ｂ：ユーザ機器が、（Ｎ＋１）番目のタイムスロットのＳ−ＰＣＦＩＣＨ中で搬送される２次制御フォーマットインジケータ情報（Ｓｅｃｏｎｄａｒｙ−Ｃｏｎｔｒｏｌ  Ｆｏｒｍａｔ  Ｉｎｄｉｃａｔｏｒ、Ｓ−ＣＦＩ）に従って、時間領域制御指示情報を決定する。
【０１９０】
（Ｎ＋１）番目のタイムスロットのＳ−ＰＣＦＩＣＨ中で搬送されるＳ−ＣＦＩは、（Ｎ＋１）番目のタイムスロット中の（Ｎ＋１）番目のタイムスロットの制御エリアによって占められる時間領域時間単位エリアを示すために使用される時間領域制御指示情報を含むことがある。
【０１９１】
本実施形態の第２の適用シナリオでは、（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じである。ただし、本実施形態の第１の適用シナリオとの違いは、基地局が、（Ｎ＋１）番目のタイムスロット中の（Ｎ＋１）番目のタイムスロットの制御エリアによって占められる周波数領域リソースブロックエリアの長さを、（Ｎ＋１）番目のタイムスロットのＳ−ＰＣＦＩＣＨ中で搬送される周波数領域リソース長情報を使用してユーザ機器に対して示すことにある。第２の適用シナリオでは、図１５に示されるように、Ｓ６０６がＳ６０６ｃを含むことがある。
【０１９２】
Ｓ６０６ｃ：ユーザ機器が、（Ｎ＋１）番目のタイムスロットのＳ−ＰＣＦＩＣＨのリソース要素位置情報に従って、（Ｎ＋１）番目のタイムスロット中の（Ｎ＋１）番目のタイムスロットの制御エリアによって占められる周波数領域リソースブロックエリアの周波数領域リソースブロック開始位置を決定する。
【０１９３】
（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じである。
【０１９４】
Ｓ６０６ｄ：ユーザ機器が、（Ｎ＋１）番目のタイムスロットのＳ−ＰＣＦＩＣＨ中で搬送されるＳ−ＣＦＩに従って、（Ｎ＋１）番目のタイムスロット中の（Ｎ＋１）番目のタイムスロットの制御エリアによって占められる周波数領域リソースブロックエリアの長さおよび時間領域制御指示情報を決定する。
【０１９５】
（Ｎ＋１）番目のタイムスロットのＳ−ＰＣＦＩＣＨ中で搬送されるＳ−ＣＦＩは、時間領域制御指示情報、および（Ｎ＋１）番目のタイムスロット中の（Ｎ＋１）番目のタイムスロットの制御エリアによって占められる周波数領域リソースブロックエリアの長さの指示情報を含むことがある。
【０１９６】
Ｓ６０７：ユーザ機器が、（Ｎ＋１）番目のタイムスロットの制御エリア指示情報に従って、（Ｎ＋１）番目のタイムスロットの制御エリアを決定する。
【０１９７】
Ｓ６０８：ユーザ機器が、（Ｎ＋１）番目のタイムスロットの制御エリアにおいて、（Ｎ＋１）番目のタイムスロットの物理制御チャネルを受信して、（Ｎ＋１）番目のタイムスロットの物理制御チャネルに従って、（Ｎ＋１）番目のタイムスロットの物理データチャネルまたは（Ｎ＋１＋ｋ）番目のタイムスロットの物理データチャネルを決定する。ここで、ｋ≧４である。
【０１９８】
本実施形態の（Ｎ＋１）番目のタイムスロットの物理制御チャネル、（Ｎ＋１）番目のタイムスロットの物理データチャネル、（Ｎ＋１＋ｋ）番目のタイムスロット（ｋ≧４）の物理データチャネル、Ｎ番目のタイムスロット、（Ｎ＋１）番目のタイムスロット、およびＮの詳細な内容については、本発明の別の実施形態の関連する記述を参照してよく、本実施形態のここでは詳細について説明しないことに留意されたい。
【０１９９】
本発明の本実施形態によるダウンリンク制御チャネルを伝送する方法では、従来技術と比較して、この解決策では、基地局は、（Ｎ＋１）番目のタイムスロットのＳ−ＰＣＦＩＣＨおよび（Ｎ＋１）番目のタイムスロットのＳ−ＰＣＦＩＣＨのリソース要素位置情報を使用して、（Ｎ＋１）番目のタイムスロット中の（Ｎ＋１）番目のタイムスロットの制御エリアによって占められる時間領域リソースおよび周波数領域リソースの（Ｎ＋１）番目のタイムスロットの制御エリア指示情報をユーザ機器に対して示し、次いで、（Ｎ＋１）番目のタイムスロットの制御エリア指示情報によって示される制御エリアにおいて、（Ｎ＋１）番目のタイムスロットの物理制御チャネルをユーザ機器に送信することがある。すなわち、基地局は、（Ｎ＋１）番目のタイムスロット（Ｓ−ＴＴＩ−１に対応するタイムスロット）の制御エリアをユーザ機器に対して示して、（Ｎ＋１）番目のタイムスロットの物理制御チャネルが（Ｎ＋１）番目のタイムスロットの制御エリアを使用して伝送されて、（Ｎ＋１）番目のタイムスロットの物理データチャネルを伝送するようにすることがある。
【０２００】
さらに、この解決策では、Ｎ番目のタイムスロット（第１のＴＴＩに対応するタイムスロット、すなわちＳ−ＴＴＩ−０に対応するタイムスロット）の制御エリアは、Ｎ−ＴＴＩの制御エリアである、すなわち、Ｎ−ＴＴＩの制御エリアが、依然として第１のＴＴＩのために再使用される。すなわち、この解決策では、基地局は、Ｎ−ＴＴＩの制御エリアを使用して、（Ｎ＋１）番目のタイムスロット（第２のＴＴＩに対応するタイムスロット、すなわち、Ｓ−ＴＴＩ−１の制御エリアに対応するタイムスロット）をユーザ機器に対して示すことがある。すなわち、この解決策により、１ｍｓＮ−ＴＴＩと０．５ｍｓＳ−ＴＴＩの間の互換性が実施され得、（Ｎ＋１）番目のタイムスロットの制御エリアの伝送が１ｍｓＮ−ＴＴＩの物理データチャネルの伝送に影響を及ぼすことが回避され得る。
【０２０１】
本発明の実施形態は、ダウンリンク制御チャネルを伝送する方法を提供する。このダウンリンク制御チャネルを伝送する方法では、図３ａまたは図３ｂに示されるように、サブフレームは、Ｎ番目のタイムスロットおよび（Ｎ＋１）番目のタイムスロットを含み、Ｎ番目のタイムスロットは、第１のＴＴＩに対応し、（Ｎ＋１）番目のタイムスロットは、第２のＴＴＩに対応する。図１７に示されるように、このダウンリンク制御チャネルを伝送する方法は、以下のステップを含む。
【０２０２】
Ｓ７０１：基地局が、Ｎ番目のタイムスロットの制御エリアにおいて上位レイヤシグナリング、または上位レイヤシグナリングおよびＮ番目のタイムスロットの物理制御チャネルを使用して、（Ｎ＋１）番目のタイムスロットの制御エリア指示情報をユーザ機器に送信する。ここで、制御エリア指示情報は、周波数領域制御指示情報および時間領域制御指示情報を含む。
【０２０３】
周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用され、（Ｎ＋１）番目のタイムスロットの制御エリアは、（Ｎ＋１）番目のタイムスロットの物理制御チャネルを伝送するために使用される。
【０２０４】
任意選択で、基地局が、Ｎ番目のタイムスロットの制御エリアにおいて上位レイヤシグナリングおよびＮ番目のタイムスロットの物理制御チャネルを使用して（Ｎ＋１）番目のタイムスロットの制御エリア指示情報をユーザ機器に送信する方法は、
基地局が、上位レイヤシグナリングを使用して周波数領域制御指示情報をユーザ機器に送信し、基地局が、Ｎ番目のタイムスロットの制御エリアにおいてＮ番目のタイムスロットの物理制御チャネルを使用して時間領域制御指示情報をユーザ機器に送信すること、または
基地局が、Ｎ番目のタイムスロットの制御エリアにおいてＮ番目のタイムスロットの物理制御チャネルを使用して周波数領域制御指示情報をユーザ機器に送信し、基地局が、上位レイヤシグナリングを使用して時間領域制御指示情報をユーザ機器に送信すること、を含むことがある。
【０２０５】
任意選択で、基地局が、Ｎ番目のタイムスロットの制御エリアにおいて上位レイヤシグナリングおよびＮ番目のタイムスロットの物理制御チャネルを使用して（Ｎ＋１）番目のタイムスロットの制御エリア指示情報をユーザ機器に送信する方法は、
基地局が、Ｎ番目のタイムスロットの制御エリアにおいてＮ番目のタイムスロットの物理制御チャネルを使用して、（Ｎ＋１）番目のタイムスロット中の（Ｎ＋１）番目のタイムスロットの制御エリアによって占められる周波数領域リソースブロックエリアの周波数領域リソースブロック開始位置を送信し、基地局が、上位レイヤシグナリングを使用して、（Ｎ＋１）番目のタイムスロット中の（Ｎ＋１）番目のタイムスロットの制御エリアによって占められる周波数領域リソースブロックエリアの長さをユーザ機器に送信し、基地局が、Ｎ番目のタイムスロットの制御エリアにおいてＮ番目のタイムスロットの物理制御チャネルを使用して時間領域制御指示情報をユーザ機器に送信すること、または
基地局が、上位レイヤシグナリングを使用して、（Ｎ＋１）番目のタイムスロット中の（Ｎ＋１）番目のタイムスロットの制御エリアによって占められる周波数領域リソースブロックエリアの周波数領域リソースブロック開始位置をユーザ機器に送信し、基地局が、Ｎ番目のタイムスロットの制御エリアにおいてＮ番目のタイムスロットの物理制御チャネルを使用して、（Ｎ＋１）番目のタイムスロット中の（Ｎ＋１）番目のタイムスロットの制御エリアによって占められる周波数領域リソースブロックエリアの長さをユーザ機器に送信し、基地局が、Ｎ番目のタイムスロットの制御エリアにおいてＮ番目のタイムスロットの物理制御チャネルを使用して時間領域制御指示情報をユーザ機器に送信すること、または
基地局が、Ｎ番目のタイムスロットの制御エリアにおいてＮ番目のタイムスロットの物理制御チャネルを使用して、（Ｎ＋１）番目のタイムスロット中の（Ｎ＋１）番目のタイムスロットの制御エリアによって占められる周波数領域リソースブロックエリアの周波数領域リソースブロック開始位置をユーザ機器に送信し、基地局が、上位レイヤシグナリングを使用して、（Ｎ＋１）番目のタイムスロット中の（Ｎ＋１）番目のタイムスロットの制御エリアによって占められる周波数領域リソースブロックエリアの長さをユーザ機器に送信し、基地局が、上位レイヤシグナリングを使用して、時間領域制御指示情報をユーザ機器に送信すること、または
基地局が、上位レイヤシグナリングを使用して、（Ｎ＋１）番目のタイムスロット中の（Ｎ＋１）番目のタイムスロットの制御エリアによって占められる周波数領域リソースブロックエリアの周波数領域リソースブロック開始位置をユーザ機器に送信し、基地局が、Ｎ番目のタイムスロットの制御エリアにおいてＮ番目のタイムスロットの物理制御チャネルを使用して、（Ｎ＋１）番目のタイムスロット中の（Ｎ＋１）番目のタイムスロットの制御エリアによって占められる周波数領域リソースブロックエリアの長さをユーザ機器に送信し、基地局が、上位レイヤシグナリングを使用して、時間領域制御指示情報をユーザ機器に送信すること、を含むことがある。
【０２０６】
Ｓ７０２：基地局が、（Ｎ＋１）番目のタイムスロットの制御エリアにおいて、（Ｎ＋１）番目のタイムスロットの物理制御チャネルをユーザ機器に送信して、ユーザ機器が（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにする。ここで、ｋ≧４である。
【０２０７】
上位レイヤシグナリングは、ＲＲＣ構成シグナリングまたはＭＡＣレイヤ構成シグナリングである。
【０２０８】
本実施形態の（Ｎ＋１）番目のタイムスロットの物理制御チャネル、（Ｎ＋１）番目のタイムスロットの物理データチャネル、（Ｎ＋１＋ｋ）番目のタイムスロット（ｋ≧４）の物理データチャネル、Ｎ番目のタイムスロット、（Ｎ＋１）番目のタイムスロット、およびＮの詳細な内容については、本発明の別の実施形態の関連する記述を参照してよく、本実施形態のここでは詳細について説明しないことに留意されたい。
【０２０９】
本実施形態の周波数領域制御指示情報の詳細な内容については、本発明の別の実施形態の関連する記述を参照してよく、本実施形態のここでは詳細について説明しないことに留意されたい。
【０２１０】
本発明の本実施形態によるダウンリンク制御チャネルを伝送する方法では、従来技術と比較して、この解決策では、基地局は、Ｎ番目のタイムスロットの制御エリアにおいて上位レイヤシグナリング、または上位レイヤシグナリングおよびＮ番目のタイムスロットの物理制御チャネルを使用して、（Ｎ＋１）番目のタイムスロットの制御エリア指示情報をユーザ機器に送信し、（Ｎ＋１）番目のタイムスロットの制御エリアにおいて、（Ｎ＋１）番目のタイムスロットの物理制御チャネルをユーザ機器に送信することがある。すなわち、基地局は、（Ｎ＋１）番目のタイムスロット（Ｓ−ＴＴＩ−１に対応するタイムスロット）の制御エリアをユーザ機器に対して示すことがあり、さらに、（Ｎ＋１）番目のタイムスロットの制御エリアを使用して（Ｎ＋１）番目のタイムスロットの物理制御チャネルをユーザ機器に送信して、（Ｎ＋１）番目のタイムスロットの物理データチャネルが伝送され得るようにすることがある。
【０２１１】
本発明の別の実施形態は、ダウンリンク制御チャネルを伝送する方法を提供する。このダウンリンク制御チャネルを伝送する方法では、図３ａまたは図３ｂに示されるように、サブフレームは、Ｎ番目のタイムスロットおよび（Ｎ＋１）番目のタイムスロットを含み、Ｎ番目のタイムスロットは、第１のＴＴＩに対応し、（Ｎ＋１）番目のタイムスロットは、第２のＴＴＩに対応する。図１８に示されるように、このダウンリンク制御チャネルを伝送する方法は、以下のステップを含む。
【０２１２】
Ｓ８０１：ユーザ機器が、基地局からＮ番目のタイムスロットの制御エリアにおいて上位レイヤシグナリング、または上位レイヤシグナリングおよびＮ番目のタイムスロットの物理制御チャネルを使用して送信される（Ｎ＋１）番目のタイムスロットの制御エリア指示情報を受信する。
【０２１３】
任意選択で、Ｎ番目のタイムスロットの制御エリアにおいて上位レイヤシグナリング、または上位レイヤシグナリングおよびＮ番目のタイムスロットの物理制御チャネルを使用して基地局から送信される（Ｎ＋１）番目のタイムスロットの制御エリア指示情報をユーザ機器が受信する方法は、
ユーザ機器が、上位レイヤシグナリングを使用して基地局から送信される周波数領域制御指示情報を受信し、ユーザ機器が、Ｎ番目のタイムスロットの制御エリアにおいてＮ番目のタイムスロットの物理制御チャネルを使用して基地局から送信される時間領域制御指示情報を受信すること、または
ユーザ機器が、Ｎ番目のタイムスロットの制御エリアにおいてＮ番目のタイムスロットの物理制御チャネルを使用して基地局から送信される周波数領域制御指示情報を受信し、ユーザ機器が、上位レイヤシグナリングを使用して基地局から送信される時間領域制御指示情報を受信すること、を含むことがある。
【０２１４】
任意選択で、Ｎ番目のタイムスロットの制御エリアにおいて上位レイヤシグナリング、または上位レイヤシグナリングおよびＮ番目のタイムスロットの物理制御チャネルを使用して基地局から送信される（Ｎ＋１）番目のタイムスロットの制御エリア指示情報をユーザ機器が受信する方法は、
ユーザ機器が、（Ｎ＋１）番目のタイムスロット中の（Ｎ＋１）番目のタイムスロットの制御エリアによって占められる周波数領域リソースブロックエリアのものであり、かつＮ番目のタイムスロットの制御エリアにおいてＮ番目のタイムスロットの物理制御チャネルを使用して基地局から送信される周波数領域リソースブロック開始位置を受信し、ユーザ機器が、（Ｎ＋１）番目のタイムスロット中の（Ｎ＋１）番目のタイムスロットの制御エリアによって占められる周波数領域リソースブロックエリアのものであり、かつ上位レイヤシグナリングを使用して基地局から送信される長さを受信し、ユーザ機器が、Ｎ番目のタイムスロットの制御エリアにおいてＮ番目のタイムスロットの物理制御チャネルを使用して基地局から送信される時間領域制御指示情報を受信すること、または
ユーザ機器が、（Ｎ＋１）番目のタイムスロット中の（Ｎ＋１）番目のタイムスロットの制御エリアによって占められる周波数領域リソースブロックエリアのものであり、かつ上位レイヤシグナリングを使用して基地局から送信される周波数領域リソースブロック開始位置を受信し、ユーザ機器が、（Ｎ＋１）番目のタイムスロット中の（Ｎ＋１）番目のタイムスロットの制御エリアによって占められる周波数領域リソースブロックエリアのものであり、かつＮ番目のタイムスロットの制御エリアにおいてＮ番目のタイムスロットの物理制御チャネルを使用して基地局から送信される長さを受信し、ユーザ機器が、Ｎ番目のタイムスロットの制御エリアにおいてＮ番目のタイムスロットの物理制御チャネルを使用して基地局から送信される時間領域制御指示情報を受信すること、または
ユーザ機器が、（Ｎ＋１）番目のタイムスロット中の（Ｎ＋１）番目のタイムスロットの制御エリアによって占められる周波数領域リソースブロックエリアのものであり、かつＮ番目のタイムスロットの制御エリアにおいてＮ番目のタイムスロットの物理制御チャネルを使用して基地局から送信される周波数領域リソースブロック開始位置を受信し、ユーザ機器が、（Ｎ＋１）番目のタイムスロット中の（Ｎ＋１）番目のタイムスロットの制御エリアによって占められる周波数領域リソースブロックエリアのものであり、かつ上位レイヤシグナリングを使用して基地局から送信される長さを受信し、ユーザ機器が、上位レイヤシグナリングを使用して基地局から送信される時間領域制御指示情報を受信すること、または
ユーザ機器が、（Ｎ＋１）番目のタイムスロット中の（Ｎ＋１）番目のタイムスロットの制御エリアによって占められる周波数領域リソースブロックエリアのものであり、かつ上位レイヤシグナリングを使用して基地局から送信される周波数領域リソースブロック開始位置を受信し、ユーザ機器が、（Ｎ＋１）番目のタイムスロット中の（Ｎ＋１）番目のタイムスロットの制御エリアによって占められる周波数領域リソースブロックエリアのものであり、かつＮ番目のタイムスロットの制御エリアにおいてＮ番目のタイムスロットの物理制御チャネルを使用して基地局から送信される長さを受信し、ユーザ機器が、上位レイヤシグナリングを使用して基地局から送信される時間領域制御指示情報を受信すること、を含むことがある。
【０２１５】
Ｓ８０２：ユーザ機器が、（Ｎ＋１）番目のタイムスロットの制御エリア指示情報に従って（Ｎ＋１）番目のタイムスロットの制御エリアを決定する。
【０２１６】
Ｓ８０３：ユーザ機器が、（Ｎ＋１）番目のタイムスロットの制御エリアにおいて（Ｎ＋１）番目のタイムスロットの物理制御チャネルを受信して、（Ｎ＋１）番目のタイムスロットの物理制御チャネルに従って、（Ｎ＋１）番目のタイムスロットの物理データチャネルまたは（Ｎ＋１＋ｋ）番目のタイムスロットの物理データチャネルを決定する。ここで、ｋ≧４である。
【０２１７】
上位レイヤシグナリングは、ＲＲＣ構成シグナリングまたはＭＡＣレイヤ構成シグナリングである。
【０２１８】
本実施形態の（Ｎ＋１）番目のタイムスロットの物理制御チャネル、（Ｎ＋１）番目のタイムスロットの物理データチャネル、（Ｎ＋１＋ｋ）番目のタイムスロット（ｋ≧４）の物理データチャネル、Ｎ番目のタイムスロット、（Ｎ＋１）番目のタイムスロット、およびＮの詳細な内容については、本発明の別の実施形態の関連する記述を参照してよく、本実施形態のここでは詳細について説明しないことに留意されたい。
【０２１９】
本発明の本実施形態によるダウンリンク制御チャネルを伝送する方法では、従来技術と比較して、この解決策では、ユーザ機器は、Ｎ番目のタイムスロットの制御エリアにおいて上位レイヤシグナリング、または上位レイヤシグナリングおよびＮ番目のタイムスロットの物理制御チャネルを使用して基地局から送信される（Ｎ＋１）番目のタイムスロットの制御エリア指示情報を受信し、（Ｎ＋１）番目のタイムスロットの制御エリア指示情報に従って（Ｎ＋１）番目のタイムスロットの制御エリアを決定し、次いで、（Ｎ＋１）番目のタイムスロットの制御エリアにおいて（Ｎ＋１）番目のタイムスロットの物理制御チャネルを受信することがある。すなわち、ユーザ機器は、基地局の指示に従って（Ｎ＋１）番目のタイムスロット（Ｓ−ＴＴＩ−１に対応するタイムスロット）の制御エリアを決定し、（Ｎ＋１）番目のタイムスロットの制御エリアを使用して基地局から送信される（Ｎ＋１）番目のタイムスロットの物理制御チャネルを受信して、（Ｎ＋１）番目のタイムスロットの物理データチャネルが伝送され得るようにすることがある。
【０２２０】
本発明の別の実施形態は、基地局を提供する。図３ａまたは図３ｂに示されるように、サブフレームは、Ｎ番目のタイムスロットおよび（Ｎ＋１）番目のタイムスロットを含み、Ｎ番目のタイムスロットは、第１のＴＴＩに対応し、（Ｎ＋１）番目のタイムスロットは、第２のＴＴＩに対応する。図１９に示されるように、この基地局は、第１の送信ユニットａ１および第２の送信ユニットａ２を含む。
【０２２１】
第１の送信ユニットａ１は、Ｎ番目のタイムスロットの制御エリアにおいてＮ番目のタイムスロットの物理制御チャネルを使用して、（Ｎ＋１）番目のタイムスロットの制御エリア指示情報をユーザ機器に送信するように構成される。ここで、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用される。
【０２２２】
第２の送信ユニットａ２は、第１の送信ユニットａ１から送信される（Ｎ＋１）番目のタイムスロットの制御エリア指示情報によって示される（Ｎ＋１）番目のタイムスロットの制御エリアで送信し、（Ｎ＋１）番目のタイムスロットの物理制御チャネルをユーザ機器に送信して、ユーザ機器が（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにさらに構成される。ここで、ｋ≧４である。
【０２２３】
任意選択で、第１の適用シナリオでは、Ｎ番目のタイムスロットの物理制御チャネルは、Ｎ番目のタイムスロットの物理ダウンリンク制御チャネルＰＤＣＣＨである。
【０２２４】
第１の適用シナリオでは、第１の送信ユニットａ１は、Ｎ番目のタイムスロットの制御エリアにおいてＮ番目のタイムスロットのＰＤＣＣＨ中で搬送されるダウンリンク制御インジケータＤＣＩを使用して、周波数領域制御指示情報および時間領域制御指示情報をユーザ機器に送信するように特に構成される。
【０２２５】
さらに、任意選択で、第２の適用シナリオでは、Ｎ番目のタイムスロットの物理制御チャネルは、Ｎ番目のタイムスロットのＰＤＣＣＨおよびＮ番目のタイムスロットの物理制御フォーマットインジケータチャネルＰＣＦＩＣＨを含む。
【０２２６】
第２の適用シナリオでは、第１の送信ユニットａ１は、
Ｎ番目のタイムスロットの制御エリアにおいてＮ番目のタイムスロットのＰＤＣＣＨ中で搬送されるＤＣＩを使用してユーザ機器に周波数領域制御指示情報を送信し、
Ｎ番目のタイムスロットの制御エリアにおいてＮ番目のタイムスロットのＰＣＦＩＣＨ中で搬送される制御フォーマットインジケータＣＦＩを使用してユーザ機器に時間領域制御指示情報を送信する
ように特に構成される。
【０２２７】
Ｎ番目のタイムスロットのＰＣＦＩＣＨ中で搬送されるＣＦＩは、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる時間領域時間単位エリアは、Ｎ番目のタイムスロット中のＮ番目のタイムスロットの制御エリアによって占められる時間領域時間単位エリアと同じである。
【０２２８】
さらに、任意選択で、第３の適用シナリオでは、Ｎ番目のタイムスロットの物理制御チャネルは、Ｎ番目のタイムスロットのＰＤＣＣＨおよびＮ番目のタイムスロットのＰＣＦＩＣＨを含む。
【０２２９】
第３の適用シナリオでは、第１の送信ユニットａ１は、
Ｎ番目のタイムスロットの制御エリアにおいてＮ番目のタイムスロットのＰＤＣＣＨ中で搬送されるＤＣＩを使用してユーザ機器に周波数領域制御指示情報を通知し、
Ｎ番目のタイムスロットの制御エリアにおいてＮ番目のタイムスロットのＰＤＣＣＨ中で搬送されるＤＣＩ、およびＮ番目のタイムスロットのＰＣＦＩＣＨ中で搬送されるＣＦＩを使用して、ユーザ機器に時間領域制御指示情報を送信し、ここで、Ｎ番目のタイムスロットのＰＣＦＩＣＨ中で搬送されるＣＦＩは、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる参照時間領域時間単位エリアは、Ｎ番目のタイムスロット中のＮ番目のタイムスロットの制御エリアによって占められる時間領域時間単位エリアと同じであり、Ｎ番目のタイムスロットのＰＤＣＣＨ中で搬送されるＤＣＩは、（Ｎ＋１）番目のタイムスロットの制御エリアの時間単位エリアオフセット指示情報を含み、ユーザ機器が、（Ｎ＋１）番目のタイムスロットの制御エリアの時間単位エリアオフセット指示情報、および（Ｎ＋１）番目のタイムスロット中の（Ｎ＋１）番目のタイムスロットの制御エリアによって占められる参照時間領域時間単位エリアに従って（Ｎ＋１）番目のタイムスロットの制御エリアの時間領域時間単位エリアを決定するように特に構成される。
【０２３０】
本発明の本実施形態では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含む。
【０２３１】
リソースブロックＲＢまたはリソースブロックグループＲＢＧは、周波数領域リソースブロックエリアの長さの単位として使用される。
【０２３２】
さらに、前述の３つの適用シナリオでは、第１の送信ユニットａ１は、ユーザ機器に割り当てられたセル無線ネットワーク一時識別子Ｃ−ＲＮＴＩを使用して、かつＮ番目のタイムスロットの制御エリアにおいてＮ番目のタイムスロットのＰＤＣＣＨ中で搬送されるＤＣＩを使用してユーザ機器に周波数領域制御指示情報を送信するように特に構成される。
【０２３３】
さらに、第１の送信ユニットａ１は、異なるユーザ機器に割り当てられた１つの共通の共通Ｃ−ＲＮＴＩを使用し、Ｎ番目のタイムスロットの制御エリアで伝送され、かつその制御エリアでＮ番目のタイムスロットのＰＤＣＣＨ中で搬送されるＤＣＩを使用して、ユーザ機器に周波数領域制御指示情報を送信するように特に構成される。
【０２３４】
ハードウェア実施態様では、本実施形態の様々なユニットは、ハードウェアの形態で基地局のプロセッサに内蔵されることも、またはそれから独立していることもあり、あるいはソフトウェアの形態で基地局のメモリに記憶されて、プロセッサがそれらの様々なユニットを呼び出して、それらの様々なユニットに対応する動作を実行することもある。プロセッサは、中央処理装置（ＣＰＵ）、マイクロプロセッサ、シングルチップマイクロコンピュータなどであることがある。図２０に示されるように、基地局は、メモリＡ１および伝送器Ａ２を含む。
【０２３５】
メモリＡ１は、プログラムコードのグループを記憶するように構成され、ここで、メモリＡ１は、基地局のコンピュータ記憶媒体であり、コンピュータ記憶媒体は、不揮発性記憶媒体を含む。
【０２３６】
伝送器Ａ２は、メモリＡ１に記憶されたプログラムコードに従って以下の動作を実行するように構成される。
Ｎ番目のタイムスロットの制御エリアにおいてＮ番目のタイムスロットの物理制御チャネルを使用して（Ｎ＋１）番目のタイムスロットの制御エリア指示情報をユーザ機器に送信する。ここで、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用される。
（Ｎ＋１）番目のタイムスロットの制御エリアにおいて、（Ｎ＋１）番目のタイムスロットの物理制御チャネルをユーザ機器に送信して、ユーザ機器が（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにする。ここで、ｋ≧４である。
【０２３７】
任意選択で、第１の適用シナリオでは、Ｎ番目のタイムスロットの物理制御チャネルは、Ｎ番目のタイムスロットの物理ダウンリンク制御チャネルＰＤＣＣＨである。
【０２３８】
第１の適用シナリオでは、伝送器は、Ｎ番目のタイムスロットの制御エリアでＮ番目のタイムスロットのＰＤＣＣＨ中で搬送されるダウンリンク制御インジケータＤＣＩを使用して、周波数領域制御指示情報および時間領域制御指示情報をユーザ機器に送信するように特に構成される。
【０２３９】
さらに、任意選択で、第２の適用シナリオでは、Ｎ番目のタイムスロットの物理制御チャネルは、Ｎ番目のタイムスロットのＰＤＣＣＨおよびＮ番目のタイムスロットの物理制御フォーマットインジケータチャネルＰＣＦＩＣＨを含む。
【０２４０】
第２の適用シナリオでは、伝送器Ａ２は、
Ｎ番目のタイムスロットの制御エリアでＮ番目のタイムスロットのＰＤＣＣＨ中で搬送されるＤＣＩを使用して周波数領域制御指示情報をユーザ機器に送信し、
Ｎ番目のタイムスロットの制御エリアでＮ番目のタイムスロットのＰＣＦＩＣＨ中で搬送される制御フォーマットインジケータＣＦＩを使用して時間領域制御指示情報をユーザ機器に送信するように特に構成され、ここで、Ｎ番目のタイムスロットのＰＣＦＩＣＨ中で搬送されるＣＦＩは、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる時間領域時間単位エリアは、Ｎ番目のタイムスロット中のＮ番目のタイムスロットの制御エリアによって占められる時間領域時間単位エリアと同じである。
【０２４１】
さらに、任意選択で、第３の適用シナリオでは、Ｎ番目のタイムスロットの物理制御チャネルは、Ｎ番目のタイムスロットのＰＤＣＣＨおよびＮ番目のタイムスロットのＰＣＦＩＣＨを含む。
【０２４２】
伝送器Ａ２は、
Ｎ番目のタイムスロットの制御エリアでＮ番目のタイムスロットのＰＤＣＣＨ中で搬送されるＤＣＩを使用してユーザ機器に周波数領域制御指示情報を通知し、
Ｎ番目のタイムスロットの制御エリアでＮ番目のタイムスロットのＰＤＣＣＨ中で搬送されるＤＣＩおよびＮ番目のタイムスロットのＰＣＦＩＣＨ中で搬送されるＣＦＩを使用して時間領域制御指示情報をユーザ機器に送信し、ここで、Ｎ番目のタイムスロットのＰＣＦＩＣＨ中で搬送されるＣＦＩは、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる参照時間領域時間単位エリアは、Ｎ番目のタイムスロット中のＮ番目のタイムスロットの制御エリアによって占められる時間領域時間単位エリアと同じであり、Ｎ番目のタイムスロットのＰＤＣＣＨ中で搬送されるＤＣＩは、（Ｎ＋１）番目のタイムスロットの制御エリアの時間単位エリアオフセット指示情報を含み、ユーザ機器が、（Ｎ＋１）番目のタイムスロットの制御エリアの時間単位エリアオフセット指示情報および（Ｎ＋１）番目のタイムスロット中の（Ｎ＋１）番目のタイムスロットの制御エリアによって占められる参照時間領域時間単位エリアに従って（Ｎ＋１）番目のタイムスロットの制御エリアの時間領域時間単位エリアを決定するように特に構成される。
【０２４３】
本発明の本実施形態では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置、および（Ｎ＋１）番目のタイムスロット中の（Ｎ＋１）番目のタイムスロットの制御エリアによって占められる周波数領域リソースブロックエリアの長さを含むことに留意されたい。
【０２４４】
リソースブロックＲＢまたはリソースブロックグループＲＢＧは、周波数領域リソースブロックエリアの長さの単位として使用される。
【０２４５】
さらに、伝送器は、ユーザ機器に割り当てられたセル無線ネットワーク一時識別子Ｃ−ＲＮＴＩを使用して、かつＮ番目のタイムスロットの制御エリアでＮ番目のタイムスロットのＰＤＣＣＨ中で搬送されるＤＣＩを使用して、周波数領域制御指示情報をユーザ機器に送信するように特に構成される。
【０２４６】
さらに、伝送器は、異なるユーザ機器に割り当てられた１つの共通の共通Ｃ−ＲＮＴＩを使用して、かつＮ番目のタイムスロットの制御エリアで伝送され、その制御エリアでＮ番目のタイムスロットのＰＤＣＣＨ中で搬送されるＤＣＩを使用して、周波数領域制御指示情報をユーザ機器に送信するように特に構成される。
【０２４７】
本発明の本実施形態による基地局の機能モジュールのうちのいくつかの詳細な説明については、方法の実施形態の対応する内容を参照してよく、本実施形態のここでは詳細について説明しないことに留意されたい。
【０２４８】
本発明の本実施形態による基地局では、従来技術と比較して、この解決策では、基地局は、Ｎ番目のタイムスロットの制御エリアにおいてＮ番目のタイムスロットの物理制御チャネルを使用して、（Ｎ＋１）番目のタイムスロットの制御エリア指示情報をユーザ機器に送信することがあり、ここで、（Ｎ＋１）番目のタイムスロットの制御エリア指示情報は、（Ｎ＋１）番目のタイムスロット中の（Ｎ＋１）番目のタイムスロットの制御エリアによって占められる時間領域リソースおよび周波数領域リソースを示すために使用される、すなわち、Ｎ番目のタイムスロットの制御エリアは、（Ｎ＋１）番目のタイムスロット中の（Ｎ＋１）番目のタイムスロットの制御エリアによって占められる時間領域リソースおよび周波数領域リソースをユーザ機器に対して示すために使用され、基地局は、次いで、（Ｎ＋１）番目のタイムスロットの制御エリア指示情報によって示される制御エリアにおいて、（Ｎ＋１）番目のタイムスロットの物理制御チャネルをユーザ機器に送信することがある。すなわち、基地局は、（Ｎ＋１）番目のタイムスロット（Ｓ−ＴＴＩ−１に対応するタイムスロット）の制御エリアをユーザ機器に対して示すことがあり、さらに、（Ｎ＋１）番目のタイムスロットの制御エリアを使用して（Ｎ＋１）番目のタイムスロットの物理制御チャネルをユーザ機器に送信して、（Ｎ＋１）番目のタイムスロットの物理データチャネルが伝送され得るようにすることがある。
【０２４９】
本発明の別の実施形態は、ユーザ機器を提供する。図３ａまたは図３ｂに示されるように、サブフレームは、Ｎ番目のタイムスロットおよび（Ｎ＋１）番目のタイムスロットを含み、Ｎ番目のタイムスロットは、第１のＴＴＩに対応し、（Ｎ＋１）番目のタイムスロットは、第２のＴＴＩに対応する。図２１に示されるように、このユーザ機器は、第１の受信ユニットｂ１、決定ユニットｂ２、および第２の受信ユニットｂ３を含む。
【０２５０】
第１の受信ユニットｂ１は、Ｎ番目のタイムスロットの制御エリアにおいてＮ番目のタイムスロットの物理制御チャネルを使用して（Ｎ＋１）番目のタイムスロットの制御エリア指示情報を受信するように構成される。ここで、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用される。
【０２５１】
決定ユニットｂ２は、第１の受信ユニットｂ１によって受信される（Ｎ＋１）番目のタイムスロットの制御エリア指示情報に従って（Ｎ＋１）番目のタイムスロットの制御エリアを決定するように構成される。
【０２５２】
第２の受信ユニットｂ３は、決定ユニットｂ２によって決定された（Ｎ＋１）番目のタイムスロットの制御エリアにおいて、（Ｎ＋１）番目のタイムスロットの物理制御チャネルを受信して、（Ｎ＋１）番目のタイムスロットの物理制御チャネルに従って、（Ｎ＋１）番目のタイムスロットの物理データチャネルまたは（Ｎ＋１＋ｋ）番目のタイムスロットの物理データチャネルを決定するように構成される。ここで、ｋ≧４である。
【０２５３】
任意選択で、第１の適用シナリオでは、Ｎ番目のタイムスロットの物理制御チャネルは、Ｎ番目のタイムスロットの物理ダウンリンク制御チャネルＰＤＣＣＨである。
【０２５４】
第１の適用シナリオでは、第１の受信ユニットｂ１は、Ｎ番目のタイムスロットの制御エリアでＮ番目のタイムスロットのＰＤＣＣＨ中で搬送されるダウンリンク制御インジケータＤＣＩを使用して、周波数領域制御指示情報および時間領域制御指示情報を受信するように特に構成される。
【０２５５】
さらに、任意選択で、第２の適用シナリオでは、Ｎ番目のタイムスロットの物理制御チャネルは、Ｎ番目のタイムスロットのＰＤＣＣＨおよびＮ番目のタイムスロットの物理制御フォーマットインジケータチャネルＰＣＦＩＣＨを含む。
【０２５６】
第２の適用シナリオでは、第１の受信ユニットｂ１は、
Ｎ番目のタイムスロットの制御エリアでＮ番目のタイムスロットのＰＤＣＣＨ中で搬送されるＤＣＩを使用して周波数領域制御指示情報を受信し、
Ｎ番目のタイムスロットの制御エリアでＮ番目のタイムスロットのＰＣＦＩＣＨ中で搬送される制御フォーマットインジケータＣＦＩを使用して時間領域制御指示情報を受信する
ように特に構成される。
【０２５７】
Ｎ番目のタイムスロットのＰＣＦＩＣＨ中で搬送されるＣＦＩは、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる時間領域時間単位エリアは、Ｎ番目のタイムスロット中のＮ番目のタイムスロットの制御エリアによって占められる時間領域時間単位エリアと同じである。
【０２５８】
さらに、任意選択で、第３の適用シナリオでは、Ｎ番目のタイムスロットの物理制御チャネルは、Ｎ番目のタイムスロットのＰＤＣＣＨおよびＮ番目のタイムスロットのＰＣＦＩＣＨを含む。
【０２５９】
第３の適用シナリオでは、第１の受信ユニットｂ１は、
Ｎ番目のタイムスロットの制御エリアでＮ番目のタイムスロットのＰＤＣＣＨ中で搬送されるＤＣＩを使用して周波数領域制御指示情報を受信し、
Ｎ番目のタイムスロットの制御エリアでＮ番目のタイムスロットのＰＤＣＣＨ中で搬送されるＤＣＩ、およびＮ番目のタイムスロットのＰＣＦＩＣＨ中で搬送されるＣＦＩを使用して時間領域制御指示情報を受信するように特に構成される。
【０２６０】
Ｎ番目のタイムスロットのＰＣＦＩＣＨで搬送されるＣＦＩは、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる参照時間領域時間単位エリアは、Ｎ番目のタイムスロット中のＮ番目のタイムスロットの制御エリアによって占められる時間領域時間単位エリアと同じであり、Ｎ番目のタイムスロットのＰＤＣＣＨ中で搬送されるＤＣＩは、（Ｎ＋１）番目のタイムスロットの制御エリアの時間単位エリアオフセット指示情報を含む。
【０２６１】
前述の３つの適用シナリオでは、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含むことに留意されたい。
【０２６２】
リソースブロックＲＢまたはリソースブロックグループＲＢＧは、周波数領域リソースブロックエリアの長さの単位として使用される。
【０２６３】
さらに、第１の受信ユニットｂ１は、共通の共通セル無線ネットワーク一時識別子Ｃ−ＲＮＴＩを使用し、かつＮ番目のタイムスロットの制御エリアでＮ番目のタイムスロットのＰＤＣＣＨ中で搬送されるＤＣＩを使用して、周波数領域制御指示情報を受信するように特に構成される。
【０２６４】
ハードウェア実施態様では、本実施形態の様々なユニットは、ハードウェアの形態でユーザ機器のプロセッサに内蔵されることも、またはそれから独立していることもあり、あるいはソフトウェアの形態でユーザ機器のメモリに記憶されて、プロセッサがそれらの様々なユニットを呼び出して、それらの様々なユニットに対応する動作を実行することもある。プロセッサは、中央処理装置（ＣＰＵ）、マイクロプロセッサ、シングルチップマイクロコンピュータなどであることがある。図２２に示されるように、ユーザ機器は、受信機Ｂ１およびプロセッサＢ２を含む。
【０２６５】
受信機Ｂ１は、Ｎ番目のタイムスロットの制御エリアにおいてＮ番目のタイムスロットの物理制御チャネルを使用して（Ｎ＋１）番目のタイムスロットの制御エリア指示情報を受信するように構成される。ここで、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用される。
【０２６６】
プロセッサＢ２は、受信機Ｂ１によって受信される（Ｎ＋１）番目のタイムスロットの制御エリア指示情報に従って（Ｎ＋１）番目のタイムスロットの制御エリアを決定するように構成される。
【０２６７】
受信機Ｂ１は、プロセッサＢ２によって決定される（Ｎ＋１）番目のタイムスロットの制御エリアで、（Ｎ＋１）番目のタイムスロットの物理制御チャネルを受信して、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにさらに構成される。ここで、ｋ≧４である。
【０２６８】
任意選択で、第１の適用シナリオでは、Ｎ番目のタイムスロットの物理制御チャネルは、Ｎ番目のタイムスロットの物理ダウンリンク制御チャネルＰＤＣＣＨである。
【０２６９】
第１の適用シナリオでは、受信機Ｂ１は、Ｎ番目のタイムスロットの制御エリアでＮ番目のタイムスロットのＰＤＣＣＨ中で搬送されるダウンリンク制御インジケータＤＣＩを使用して、周波数領域制御指示情報および時間領域制御指示情報を受信するようにさらに構成される。
【０２７０】
さらに、任意選択で、第２の適用シナリオでは、Ｎ番目のタイムスロットの物理制御チャネルは、Ｎ番目のタイムスロットのＰＤＣＣＨおよびＮ番目のタイムスロットの物理制御フォーマットインジケータチャネルＰＣＦＩＣＨを含む。
【０２７１】
第２の適用シナリオでは、受信機Ｂ１は、Ｎ番目のタイムスロットの制御エリアでＮ番目のタイムスロットのＰＤＣＣＨ中で搬送されるＤＣＩを使用して周波数領域制御指示情報を受信し、Ｎ番目のタイムスロットの制御エリアでＮ番目のタイムスロットのＰＣＦＩＣＨ中で搬送される制御フォーマットインジケータＣＦＩを使用して時間領域制御指示情報を受信するようにさらに構成される。
【０２７２】
Ｎ番目のタイムスロットのＰＣＦＩＣＨ中で搬送されるＣＦＩは、Ｎ番目のタイムスロット中のＮ番目のタイムスロットの制御エリアによって占められる時間領域時間単位エリアを示す指示情報を含み、（Ｎ＋１）番目のタイムスロット中の（Ｎ＋１）番目のタイムスロットの制御エリアによって占められる時間領域時間単位エリアは、Ｎ番目のタイムスロット中のＮ番目のタイムスロットの制御エリアによって占められる時間領域時間単位エリアと同じである。
【０２７３】
さらに、任意選択で、第３の適用シナリオでは、Ｎ番目のタイムスロットの物理制御チャネルは、Ｎ番目のタイムスロットのＰＤＣＣＨおよびＮ番目のタイムスロットのＰＣＦＩＣＨを含む。
【０２７４】
第３の適用シナリオでは、受信機Ｂ１は、Ｎ番目のタイムスロットの制御エリアでＮ番目のタイムスロットのＰＤＣＣＨ中で搬送されるＤＣＩを使用して周波数領域制御指示情報を受信し、Ｎ番目のタイムスロットの制御エリアでＮ番目のタイムスロットのＰＤＣＣＨ中で搬送されるＤＣＩおよびＮ番目のタイムスロットのＰＣＦＩＣＨ中で搬送されるＣＦＩを使用して時間領域制御指示情報を受信するようにさらに構成される。
【０２７５】
Ｎ番目のタイムスロットのＰＣＦＩＣＨ中で搬送されるＣＦＩは、Ｎ番目のタイムスロット中のＮ番目のタイムスロットの制御エリアによって占められる時間領域時間単位エリアの指示情報を含む。
【０２７６】
プロセッサＢ２は、受信機Ｂ１によって受信される時間領域制御指示情報に従って（Ｎ＋１）番目のタイムスロットの制御エリアの時間領域時間単位エリアを決定するようにさらに構成され、ここで、（Ｎ＋１）番目のタイムスロット中の（Ｎ＋１）番目のタイムスロットの制御エリアによって占められる参照時間領域時間単位エリアは、Ｎ番目のタイムスロット中のＮ番目のタイムスロットの制御エリアによって占められる時間領域時間単位エリアと同じであり、Ｎ番目のタイムスロットのＰＤＣＣＨ中で搬送されるＤＣＩは、（Ｎ＋１）番目のタイムスロットの制御エリアの時間単位エリアオフセット指示情報を含む。
【０２７７】
本発明の本実施形態では、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置、および（Ｎ＋１）番目のタイムスロット中の（Ｎ＋１）番目のタイムスロットの制御エリアによって占められる周波数領域リソースブロックエリアの長さを含むことに留意されたい。
【０２７８】
リソースブロックＲＢまたはリソースブロックグループＲＢＧは、周波数領域リソースブロックエリアの長さの単位として使用される。
【０２７９】
さらに、受信機Ｂ１は、共通の共通セル無線ネットワーク一時識別子Ｃ−ＲＮＴＩを使用して、かつＮ番目のタイムスロットの制御エリアでＮ番目のタイムスロットのＰＤＣＣＨ中で搬送されるＤＣＩを使用して、周波数領域制御指示情報を受信するようにさらに構成される。
【０２８０】
本発明の本実施形態によるユーザ機器の機能モジュールのうちのいくつかの詳細な説明については、方法の実施形態の対応する内容を参照してよく、本実施形態のここでは詳細について説明しないことに留意されたい。
【０２８１】
本発明の本実施形態によるユーザ機器では、従来技術と比較して、この解決策では、ユーザ機器は、Ｎ番目のタイムスロットの制御エリアから、（Ｎ＋１）番目のタイムスロット中の（Ｎ＋１）番目のタイムスロットの制御エリアによって占められる時間領域リソースおよび周波数領域リソースを決定し、決定された時間領域リソースおよび周波数領域リソース上で、（Ｎ＋１）番目のタイムスロットの物理制御チャネルを受信することがある。すなわち、ユーザ機器は、基地局の指示に従って（Ｎ＋１）番目のタイムスロット（Ｓ−ＴＴＩ−１に対応するタイムスロット）の制御エリアを決定することがあり、（Ｎ＋１）番目のタイムスロットの制御エリアを使用して基地局から送信される（Ｎ＋１）番目のタイムスロットの物理制御チャネルを受信して、（Ｎ＋１）番目のタイムスロットの物理データチャネルが伝送され得るようにすることがある。
【０２８２】
本発明の別の実施形態は、基地局を提供する。図３ａまたは図３ｂに示されるように、サブフレームは、Ｎ番目のタイムスロットおよび（Ｎ＋１）番目のタイムスロットを含み、Ｎ番目のタイムスロットは、第１のＴＴＩに対応し、（Ｎ＋１）番目のタイムスロットは、第２のＴＴＩに対応する。図２３に示されるように、この基地局は、第１の送信ユニットｃ１および第２の送信ユニットｃ２を含む。
【０２８３】
第１の送信ユニットｃ１は、（Ｎ＋１）番目のタイムスロットの２次物理制御フォーマットインジケータチャネルＳ−ＰＣＦＩＣＨをユーザ機器に送信して、ユーザ機器が（Ｎ＋１）番目のタイムスロットのＳ−ＰＣＦＩＣＨおよび（Ｎ＋１）番目のタイムスロットのＳ−ＰＣＦＩＣＨのリソース要素位置情報に従って（Ｎ＋１）番目のタイムスロットの制御エリア指示情報を決定するように構成され、ここで、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用され、リソース要素位置情報は、予め規定される、または上位レイヤシグナリングを使用して基地局からユーザ機器に送信される。
【０２８４】
第２の送信ユニットｃ２は、第１の送信ユニットｃ１から送信される制御エリア指示情報によって示される（Ｎ＋１）番目のタイムスロットの制御エリアにおいて、（Ｎ＋１）番目のタイムスロットの物理制御チャネルをユーザ機器に送信して、ユーザ機器が、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するように構成される。ここで、ｋ≧４である。
【０２８５】
さらに、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含む。
【０２８６】
リソースブロックＲＢまたはリソースブロックグループＲＢＧは、周波数領域リソースブロックエリアの長さの単位として使用される。
【０２８７】
任意選択で、適用シナリオでは、第１の送信ユニットｃ１は、リソース要素位置情報によって示されるリソース要素位置で、（Ｎ＋１）番目のタイムスロットのＳ−ＰＣＦＩＣＨをユーザ機器に送信するように特に構成され、ここで、（Ｎ＋１）番目のタイムスロットのＳ−ＰＣＦＩＣＨは、時間領域制御指示情報を搬送する。
【０２８８】
リソース要素位置情報は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と、（Ｎ＋１）番目のタイムスロット中の（Ｎ＋１）番目のタイムスロットのＳ−ＰＣＦＩＣＨによって占められる周波数領域リソースブロックエリアの長さとを含む。
【０２８９】
（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じであり、（Ｎ＋１）番目のタイムスロット中の（Ｎ＋１）番目のタイムスロットの制御エリアによって占められる周波数領域リソースブロックエリアの長さは、Ｌに（Ｎ＋１）番目のタイムスロットのＳ−ＰＣＦＩＣＨが位置する（Ｎ＋１）番目のタイムスロット中の周波数領域リソースブロックエリアの長さを加えたものに等しく、Ｌは、０以上の整数である。
【０２９０】
さらに、任意選択で、別の適用シナリオでは、第１の送信ユニットｃ１は、リソース要素位置情報によって示されるリソース要素位置で（Ｎ＋１）番目のタイムスロットのＳ−ＰＣＦＩＣＨをユーザ機器に送信するように特に構成され、（Ｎ＋１）番目のタイムスロットのＳ−ＰＣＦＩＣＨは、周波数領域リソース長情報および時間領域制御指示情報を搬送する。
【０２９１】
周波数領域リソース長情報は、（Ｎ＋１）番目のタイムスロット中の（Ｎ＋１）番目のタイムスロットの制御エリアによって占められる周波数領域リソースブロックエリアの長さを示すために使用され、リソース要素位置情報は、（Ｎ＋１）番目のタイムスロット中の（Ｎ＋１）番目のタイムスロットのＳ−ＰＣＦＩＣＨの周波数領域リソースブロック開始位置を含み、（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じである。
【０２９２】
ハードウェア実施態様では、本実施形態の様々なユニットは、ハードウェアの形態で基地局のプロセッサに内蔵されることも、またはそれから独立していることもあり、あるいはソフトウェアの形態で基地局のメモリに記憶されて、プロセッサがそれらの様々なユニットを呼び出して、それらの様々なユニットに対応する動作を実行することもある。プロセッサは、中央処理装置（ＣＰＵ）、マイクロプロセッサ、シングルチップマイクロコンピュータなどであることがある。図２４に示されるように、基地局は、メモリＣ１および伝送器Ｃ２を含む。
【０２９３】
メモリＣ１は、プログラムコードのグループを記憶するように構成され、ここで、メモリＣ１は、基地局のコンピュータ記憶媒体であり、コンピュータ記憶媒体は、不揮発性記憶媒体を含む。
【０２９４】
伝送器Ｃ２は、メモリＣ１に記憶されたプログラムコードに従って以下の動作を実行するように構成される。
（Ｎ＋１）番目のタイムスロットの２次物理制御フォーマットインジケータチャネルＳ−ＰＣＦＩＣＨをユーザ機器に送信して、ユーザ機器が（Ｎ＋１）番目のタイムスロットのＳ−ＰＣＦＩＣＨおよび（Ｎ＋１）番目のタイムスロットのＳ−ＰＣＦＩＣＨのリソース要素位置情報に従って（Ｎ＋１）番目のタイムスロットの制御エリア指示情報を決定するようにする。ここで、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用され、リソース要素位置情報は、予め規定される、または上位レイヤシグナリングを使用して基地局からユーザ機器に送信される。
（Ｎ＋１）番目のタイムスロットの制御エリアにおいて、（Ｎ＋１）番目のタイムスロットの物理制御チャネルをユーザ機器に送信して、ユーザ機器が（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにする。ここで、ｋ≧４である。
【０２９５】
さらに、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含む。
【０２９６】
リソースブロックＲＢまたはリソースブロックグループＲＢＧは、周波数領域リソースブロックエリアの長さの単位として使用される。
【０２９７】
さらに、伝送器Ｃ２は、リソース要素位置情報によって示されるリソース要素位置で（Ｎ＋１）番目のタイムスロットのＳ−ＰＣＦＩＣＨをユーザ機器に送信するようにさらに構成され、ここで、（Ｎ＋１）番目のタイムスロットのＳ−ＰＣＦＩＣＨは、時間領域制御指示情報を搬送する。
【０２９８】
リソース要素位置情報は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と、（Ｎ＋１）番目のタイムスロット中の（Ｎ＋１）番目のタイムスロットのＳ−ＰＣＦＩＣＨによって占められる周波数領域リソースブロックエリアの長さとを含む。
【０２９９】
（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じであり、（Ｎ＋１）番目のタイムスロット中の（Ｎ＋１）番目のタイムスロットの制御エリアによって占められる周波数領域リソースブロックエリアの長さは、Ｌに（Ｎ＋１）番目のタイムスロットのＳ−ＰＣＦＩＣＨが位置する（Ｎ＋１）番目のタイムスロット中の周波数領域リソースブロックエリアの長さを加えたものに等しく、ここで、Ｌは０以上の整数である。
【０３００】
さらに、伝送器Ｃ２は、リソース要素位置情報によって示されるリソース要素位置で（Ｎ＋１）番目のタイムスロットのＳ−ＰＣＦＩＣＨをユーザ機器に送信するようにさらに構成され、ここで、（Ｎ＋１）番目のタイムスロットのＳ−ＰＣＦＩＣＨは、周波数領域リソース長情報および時間領域制御指示情報を搬送する。
【０３０１】
周波数領域リソース長情報は、（Ｎ＋１）番目のタイムスロット中の（Ｎ＋１）番目のタイムスロットの制御エリアによって占められる周波数領域リソースブロックエリアの長さを示すために使用され、リソース要素位置情報は、（Ｎ＋１）番目のタイムスロット中の（Ｎ＋１）番目のタイムスロットのＳ−ＰＣＦＩＣＨの周波数領域リソースブロック開始位置を含み、（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じである。
【０３０２】
本発明の本実施形態による基地局の機能モジュールのうちのいくつかの詳細な説明については、方法の実施形態の対応する内容を参照してよく、本実施形態のここでは詳細について説明しないことに留意されたい。
【０３０３】
本発明の本実施形態による基地局では、従来技術と比較して、この解決策では、基地局は、（Ｎ＋１）番目のタイムスロットのＳ−ＰＣＦＩＣＨおよび（Ｎ＋１）番目のタイムスロットのＳ−ＰＣＦＩＣＨのリソース要素位置情報を使用して、（Ｎ＋１）番目のタイムスロット中の（Ｎ＋１）番目のタイムスロットの制御エリアによって占められる時間領域リソースおよび周波数領域リソースの（Ｎ＋１）番目のタイムスロットの制御エリア指示情報をユーザ機器に対して示し、次いで、（Ｎ＋１）番目のタイムスロットの制御エリア指示情報によって示される制御エリアにおいて、（Ｎ＋１）番目のタイムスロットの物理制御チャネルをユーザ機器に送信することがある。すなわち、基地局は、（Ｎ＋１）番目のタイムスロット（Ｓ−ＴＴＩ−１に対応するタイムスロット）の制御エリアをユーザ機器に対して示すことがあり、さらに、（Ｎ＋１）番目のタイムスロットの制御エリアを使用して（Ｎ＋１）番目のタイムスロットの物理制御チャネルをユーザ機器に送信して、（Ｎ＋１）番目のタイムスロットの物理データチャネルが伝送され得るようにすることがある。
【０３０４】
本発明の別の実施形態は、ユーザ機器を提供する。図３ａまたは図３ｂに示されるように、サブフレームは、Ｎ番目のタイムスロットおよび（Ｎ＋１）番目のタイムスロットを含み、Ｎ番目のタイムスロットは、第１のＴＴＩに対応し、（Ｎ＋１）番目のタイムスロットは、第２のＴＴＩに対応する。図２５に示されるように、このユーザ機器は、第１の決定ユニットｄ１、第１の受信ユニットｄ２、第２の決定ユニットｄ３、第３の決定ユニットｄ４、および第２の受信ユニットｄ５を含む。
【０３０５】
第１の決定ユニットｄ１は、上位レイヤシグナリングまたは予め規定された方法を使用して（Ｎ＋１）番目のタイムスロットの２次物理制御フォーマットインジケータチャネルＳ−ＰＣＦＩＣＨのリソース要素位置情報を決定するように構成される。
【０３０６】
第１の受信ユニットｄ２は、第１の決定ユニットｄ１によって決定される（Ｎ＋１）番目のタイムスロットのＳ−ＰＣＦＩＣＨのリソース要素位置情報によって示されるリソース要素位置で、（Ｎ＋１）番目のタイムスロットのＳ−ＰＣＦＩＣＨチャネルを受信するように構成される。
【０３０７】
第２の決定ユニットｄ３は、第１の決定ユニットｄ１によって決定される（Ｎ＋１）番目のタイムスロットのＳ−ＰＣＦＩＣＨのリソース要素位置情報および第１の受信ユニットｄ２によって受信される（Ｎ＋１）番目のタイムスロットのＳ−ＰＣＦＩＣＨに従って、（Ｎ＋１）番目のタイムスロットの制御エリア指示情報を決定するように構成され、ここで、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用される。
【０３０８】
第３の決定ユニットｄ４は、第２の決定ユニットｄ３によって決定される（Ｎ＋１）番目のタイムスロットの制御エリア指示情報に従って、（Ｎ＋１）番目のタイムスロットの制御エリアを決定するように構成される。
【０３０９】
第２の受信ユニットｄ５は、第３の決定ユニットｄ４によって決定される（Ｎ＋１）番目のタイムスロットの制御エリアにおいて（Ｎ＋１）番目のタイムスロットの物理制御チャネルを受信して、（Ｎ＋１）番目のタイムスロットの物理データチャネルまたは（Ｎ＋１）番目のタイムスロットの物理制御チャネルに従って（Ｎ＋１＋ｋ）番目のタイムスロットの物理データチャネルを決定するように構成される。ここで、ｋ≧４である。
【０３１０】
さらに、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含む。
【０３１１】
リソースブロックＲＢまたはリソースブロックグループＲＢＧは、周波数領域リソースブロックエリアの長さの単位として使用される。
【０３１２】
さらに、第２の決定ユニットｄ３は、
リソース要素位置情報に従って周波数領域制御指示情報を決定するように特に構成され、ここで、リソース要素位置情報は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と、（Ｎ＋１）番目のタイムスロット中の（Ｎ＋１）番目のタイムスロットのＳ−ＰＣＦＩＣＨによって占められる周波数領域リソースブロックエリアの長さとを含み、（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じであり、（Ｎ＋１）番目のタイムスロット中の（Ｎ＋１）番目のタイムスロットの制御エリアによって占められる周波数領域リソースブロックエリアの長さは、Ｌに（Ｎ＋１）番目のタイムスロットのＳ−ＰＣＦＩＣＨが位置する（Ｎ＋１）番目のタイムスロット中の周波数領域リソースブロックエリアの長さを加えたものに等しく、Ｌは、０以上の整数である。
【０３１３】
さらに、第２の決定ユニットｄ３は、
リソース要素位置情報に従って、（Ｎ＋１）番目のタイムスロット中の（Ｎ＋１）番目のタイムスロットの制御エリアによって占められる周波数領域リソースブロックエリアの周波数領域リソースブロック開始位置を決定し、ここで、リソース要素位置情報は、（Ｎ＋１）番目のタイムスロット中の（Ｎ＋１）番目のタイムスロットのＳ−ＰＣＦＩＣＨの周波数領域リソースブロック開始位置を含み、（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じであり、
（Ｎ＋１）番目のタイムスロットのＳ−ＰＣＦＩＣＨ中で搬送されるＳ−ＣＦＩに従って、（Ｎ＋１）番目のタイムスロット中の（Ｎ＋１）番目のタイムスロットの制御エリアによって占められる周波数領域リソースブロックエリアの長さおよび時間領域制御指示情報を決定するように特に構成される。
【０３１４】
ハードウェア実施態様では、本実施形態の様々なユニットは、ハードウェアの形態でユーザ機器のプロセッサに内蔵されることも、またはそれから独立していることもあり、あるいはソフトウェアの形態でユーザ機器のメモリに記憶されて、プロセッサがそれらの様々なユニットを呼び出して、それらの様々なユニットに対応する動作を実行することもある。プロセッサは、中央処理装置（ＣＰＵ）、マイクロプロセッサ、シングルチップマイクロコンピュータなどであることがある。図２６に示されるように、ユーザ機器は、プロセッサＤ１および受信機Ｄ２を含む。
【０３１５】
プロセッサＤ１は、上位レイヤシグナリングまたは予め規定された方法を使用して、（Ｎ＋１）番目のタイムスロットの２次物理制御フォーマットインジケータチャネルＳ−ＰＣＦＩＣＨのリソース要素位置情報を決定するように構成される。
【０３１６】
受信機Ｄ２は、プロセッサＤ１によって決定される（Ｎ＋１）番目のタイムスロットのＳ−ＰＣＦＩＣＨのリソース要素位置情報および（Ｎ＋１）番目のタイムスロットのＳ−ＰＣＦＩＣＨに従って、（Ｎ＋１）番目のタイムスロットの制御エリア指示情報を決定するように構成され、ここで、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用される。
【０３１７】
プロセッサＤ１は、受信機Ｄ２によって受信される（Ｎ＋１）番目のタイムスロットの制御エリア指示情報に従って（Ｎ＋１）番目のタイムスロットの制御エリアを決定するようにさらに構成される。
【０３１８】
受信機Ｄ２は、プロセッサＤ１によって決定される（Ｎ＋１）番目のタイムスロットの制御エリアで（Ｎ＋１）番目のタイムスロットの物理制御チャネルを受信して、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにさらに構成される。ここで、ｋ≧４である。
【０３１９】
さらに、周波数領域制御指示情報は、（Ｎ＋１）番目のタイムスロット中の（Ｎ＋１）番目のタイムスロットの制御エリアによって占められる周波数領域リソースブロックエリアの周波数領域リソースブロック開始位置と、（Ｎ＋１）番目のタイムスロット中の（Ｎ＋１）番目のタイムスロットの制御エリアによって占められる周波数領域リソースブロックエリアの長さとを含む。
【０３２０】
リソースブロックＲＢまたはリソースブロックグループＲＢＧは、周波数領域リソースブロックエリアの長さの単位として使用される。
【０３２１】
さらに、プロセッサＤ１は、
リソース要素位置情報に従って周波数領域制御指示情報を決定し、ここで、リソース要素位置情報は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と、（Ｎ＋１）番目のタイムスロット中の（Ｎ＋１）番目のタイムスロットのＳ−ＰＣＦＩＣＨによって占められる周波数領域リソースブロックエリアの長さとを含み、（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じであり、（Ｎ＋１）番目のタイムスロット中の（Ｎ＋１）番目のタイムスロットの制御エリアによって占められる周波数領域リソースブロックエリアの長さは、Ｌに（Ｎ＋１）番目のタイムスロットのＳ−ＰＣＦＩＣＨが位置する（Ｎ＋１）番目のタイムスロット中の周波数領域リソースブロックエリアの長さを加えたものに等しく、Ｌは、０以上の整数であり、
（Ｎ＋１）番目のタイムスロットのＳ−ＰＣＦＩＣＨ中で搬送される２次制御フォーマットインジケータ情報Ｓ−ＣＦＩに従って時間領域制御指示情報を決定するようにさらに構成される。
【０３２２】
さらに、プロセッサＤ１は、
リソース要素位置情報に従って、（Ｎ＋１）番目のタイムスロット中の（Ｎ＋１）番目のタイムスロットの制御エリアによって占められる周波数領域リソースブロックエリアの周波数領域リソースブロック開始位置を決定し、ここで、リソース要素位置情報は、（Ｎ＋１）番目のタイムスロット中の（Ｎ＋１）番目のタイムスロットのＳ−ＰＣＦＩＣＨの周波数領域リソースブロック開始位置を含み、（Ｎ＋１）番目のタイムスロット中の（Ｎ＋１）番目のタイムスロットの制御エリアによって占められる周波数領域リソースブロックエリアの周波数領域リソースブロック開始位置は、（Ｎ＋１）番目のタイムスロット中の（Ｎ＋１）番目のタイムスロットのＳ−ＰＣＦＩＣＨによって占められる周波数領域リソースブロックエリアの周波数領域リソースブロック開始位置と同じであり、
（Ｎ＋１）番目のタイムスロットのＳ−ＰＣＦＩＣＨ中で搬送されるＳ−ＣＦＩに従って、（Ｎ＋１）番目のタイムスロット中の（Ｎ＋１）番目のタイムスロットの制御エリアによって占められる周波数領域リソースブロックエリアの長さおよび時間領域制御指示情報を決定するようにさらに構成される。
【０３２３】
本発明の本実施形態によるユーザ機器の機能モジュールのうちのいくつかの詳細な説明については、方法の実施形態の対応する内容を参照してよく、本実施形態のここでは詳細について説明しないことに留意されたい。
【０３２４】
本発明の本実施形態によるユーザ機器では、従来技術と比較して、この解決策では、ユーザ機器は、（Ｎ＋１）番目のタイムスロットのＳ−ＰＣＦＩＣＨのリソース要素位置情報によって示されるリソース要素位置で、（Ｎ＋１）番目のタイムスロットのＳ−ＰＣＦＩＣＨチャネルを受信し、（Ｎ＋１）番目のタイムスロットのＳ−ＰＣＦＩＣＨのリソース要素位置情報および（Ｎ＋１）番目のタイムスロットのＳ−ＰＣＦＩＣＨに従って（Ｎ＋１）番目のタイムスロットの制御エリア指示情報を決定し、次いで、（Ｎ＋１）番目のタイムスロットの制御エリア指示情報に従って（Ｎ＋１）番目のタイムスロットの制御エリアを決定し、（Ｎ＋１）番目のタイムスロットのその制御エリアで（Ｎ＋１）番目のタイムスロットの物理制御チャネルを受信することがある。すなわち、ユーザ機器は、基地局の指示に従って（Ｎ＋１）番目のタイムスロット（Ｓ−ＴＴＩ−１に対応するタイムスロット）の制御エリアを決定することがあり、基地局から（Ｎ＋１）番目のタイムスロットの制御エリアを使用して送信される（Ｎ＋１）番目のタイムスロットの物理制御チャネルを受信して、（Ｎ＋１）番目のタイムスロットの物理データチャネルが伝送され得るようにすることがある。
【０３２５】
本発明の別の実施形態は、基地局を提供する。図３ａまたは図３ｂに示されるように、サブフレームは、Ｎ番目のタイムスロットおよび（Ｎ＋１）番目のタイムスロットを含み、Ｎ番目のタイムスロットは、第１のＴＴＩに対応し、（Ｎ＋１）番目のタイムスロットは、第２のＴＴＩに対応する。図２７に示されるように、この基地局は、第１の送信ユニットｅ１および第２の送信ユニットｅ２を含む。
【０３２６】
第１の送信ユニットｅ１は、Ｎ番目のタイムスロットの制御エリアにおいて上位レイヤシグナリング、または上位レイヤシグナリングおよびＮ番目のタイムスロットの物理制御チャネルを使用して（Ｎ＋１）番目のタイムスロットの制御エリア指示情報をユーザ機器に送信するように構成され、ここで、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用され、（Ｎ＋１）番目のタイムスロットの制御エリアは、（Ｎ＋１）番目のタイムスロットの物理制御チャネルを伝送するために使用される。
【０３２７】
第２の送信ユニットｅ２は、第１の送信ユニットｅ１から送信される制御エリア指示情報によって示される（Ｎ＋１）番目のタイムスロットの制御エリアで、（Ｎ＋１）番目のタイムスロットの物理制御チャネルをユーザ機器に送信して、ユーザ機器が（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するように構成される。ここで、ｋ≧４である。
【０３２８】
上位レイヤシグナリングは、無線リソース制御ＲＲＣ構成シグナリングまたは媒体アクセス制御ＭＡＣレイヤ構成シグナリングである。
【０３２９】
ハードウェア実施態様では、本実施形態の様々なユニットは、ハードウェアの形態で基地局のプロセッサに内蔵されることも、またはそれから独立していることもあり、あるいはソフトウェアの形態で基地局のメモリに記憶されて、プロセッサがそれらの様々なユニットを呼び出して、それらの様々なユニットに対応する動作を実行することもある。プロセッサは、中央処理装置（ＣＰＵ）、マイクロプロセッサ、シングルチップマイクロコンピュータなどであることがある。図２８に示されるように、基地局は、メモリＥ１および伝送器Ｅ２を含む。
【０３３０】
メモリＥ１は、プログラムコードのグループを記憶するように構成され、ここで、メモリＥ１は、基地局のコンピュータ記憶媒体であり、コンピュータ記憶媒体は、不揮発性記憶媒体を含む。
【０３３１】
伝送器Ｅ２は、メモリＥ１に記憶されたプログラムコードに従って以下の動作を実行するように構成される。
Ｎ番目のタイムスロットの制御エリアにおいて上位レイヤシグナリング、または上位レイヤシグナリングおよびＮ番目のタイムスロットの物理制御チャネルを使用して（Ｎ＋１）番目のタイムスロットの制御エリア指示情報をユーザ機器に送信し、ここで、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用され、（Ｎ＋１）番目のタイムスロットの制御エリアは、（Ｎ＋１）番目のタイムスロットの物理制御チャネルを伝送するために使用される。
（Ｎ＋１）番目のタイムスロットの制御エリアにおいて、（Ｎ＋１）番目のタイムスロットの物理制御チャネルをユーザ機器に送信して、ユーザ機器が（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにする。ここで、ｋ≧４である。
【０３３２】
上位レイヤシグナリングは、無線リソース制御ＲＲＣ構成シグナリングまたは媒体アクセス制御ＭＡＣレイヤ構成シグナリングである。
【０３３３】
本発明の本実施形態による基地局の機能モジュールのうちのいくつかの詳細な説明については、方法の実施形態の対応する内容を参照してよく、本実施形態のここでは詳細について説明しないことに留意されたい。
【０３３４】
本発明の本実施形態による基地局では、従来技術と比較して、この解決策では、基地局は、Ｎ番目のタイムスロットの制御エリアで上位レイヤシグナリング、または上位レイヤシグナリングおよびＮ番目のタイムスロットの物理制御チャネルを使用して、（Ｎ＋１）番目のタイムスロットの制御エリア指示情報をユーザ機器に送信し、（Ｎ＋１）番目のタイムスロットの制御エリアで、（Ｎ＋１）番目のタイムスロットの物理制御チャネルをユーザ機器に送信することがある。すなわち、基地局は、（Ｎ＋１）番目のタイムスロット（Ｓ−ＴＴＩ−１に対応するタイムスロット）の制御エリアをユーザ機器に対して示すことがあり、さらに、（Ｎ＋１）番目のタイムスロットの制御エリアを使用して（Ｎ＋１）番目のタイムスロットの物理制御チャネルをユーザ機器に送信して、（Ｎ＋１）番目のタイムスロットの物理データチャネルが伝送され得るようにすることがある。
【０３３５】
本発明の別の実施形態は、ユーザ機器を提供する。図３ａまたは図３ｂに示されるように、サブフレームは、Ｎ番目のタイムスロットおよび（Ｎ＋１）番目のタイムスロットを含み、Ｎ番目のタイムスロットは、第１のＴＴＩに対応し、（Ｎ＋１）番目のタイムスロットは、第２のＴＴＩに対応する。図２９に示されるように、この基地局は、第１の受信ユニットｆ１、決定ユニットｆ２、および第２の受信ユニットｆ３を含む。
【０３３６】
第１の受信ユニットｆ１は、Ｎ番目のタイムスロットの制御エリアにおいて上位レイヤシグナリング、または上位レイヤシグナリングおよびＮ番目のタイムスロットの物理制御チャネルを使用して基地局から送信される（Ｎ＋１）番目のタイムスロットの制御エリア指示情報を受信するように構成され、ここで、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用され、（Ｎ＋１）番目のタイムスロットの制御エリアは、（Ｎ＋１）番目のタイムスロットの物理制御チャネルを伝送するために使用される。
【０３３７】
決定ユニットｆ２は、第１の受信ユニットｆ１によって受信される（Ｎ＋１）番目のタイムスロットの制御エリア指示情報に従って（Ｎ＋１）番目のタイムスロットの制御エリアを決定するように構成される。
【０３３８】
第２の受信ユニットｆ３は、決定ユニットｆ２によって決定される（Ｎ＋１）番目のタイムスロットの制御エリアで、（Ｎ＋１）番目のタイムスロットの物理制御チャネルを受信して、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するように構成される。ここで、ｋ≧４である。
【０３３９】
上位レイヤシグナリングは、無線リソース制御ＲＲＣ構成シグナリングまたは媒体アクセス制御ＭＡＣレイヤ構成シグナリングである。
【０３４０】
ハードウェア実施態様では、本実施形態の様々なユニットは、ハードウェアの形態でユーザ機器のプロセッサに内蔵されることも、またはそれから独立していることもあり、あるいはソフトウェアの形態でユーザ機器のメモリに記憶されて、プロセッサがそれらの様々なユニットを呼び出して、それらの様々なユニットに対応する動作を実行することもある。プロセッサは、中央処理装置（ＣＰＵ）、マイクロプロセッサ、シングルチップマイクロコンピュータなどであることがある。図３０に示されるように、ユーザ機器は、受信機Ｆ１およびプロセッサＦ２を含む。
【０３４１】
受信機Ｆ１は、Ｎ番目のタイムスロットの制御エリアにおいて上位レイヤシグナリング、または上位レイヤシグナリングおよびＮ番目のタイムスロットの物理制御チャネルを使用して基地局から送信される（Ｎ＋１）番目のタイムスロットの制御エリア指示情報を受信するように構成され、ここで、制御エリア指示情報は、周波数領域制御指示情報および時間領域制御指示情報を含み、周波数領域制御指示情報は、（Ｎ＋１）番目のタイムスロット中の（Ｎ＋１）番目のタイムスロットの制御エリアによって占められる周波数領域リソースブロックエリアを示すために使用され、時間領域制御指示情報は、（Ｎ＋１）番目のタイムスロット中の（Ｎ＋１）番目のタイムスロットの制御エリアによって占められる時間領域時間単位エリアを示すために使用され、（Ｎ＋１）番目のタイムスロットの制御エリアは、（Ｎ＋１）番目のタイムスロットの物理制御チャネルを伝送するために使用される。
【０３４２】
プロセッサＦ２は、受信機によって受信される（Ｎ＋１）番目のタイムスロットの制御エリア指示情報に従って（Ｎ＋１）番目のタイムスロットの制御エリアを決定するように構成される。
【０３４３】
受信機Ｆ１は、プロセッサＦ２によって決定される（Ｎ＋１）番目のタイムスロットの制御エリアにおいて、（Ｎ＋１）番目のタイムスロットの物理制御チャネルを受信して、（Ｎ＋１）番目のタイムスロットの物理制御チャネルに従って（Ｎ＋１）番目のタイムスロットの物理データチャネルまたは（Ｎ＋１＋ｋ）番目のタイムスロットの物理データチャネルを決定するようにさらに構成される。ここで、ｋ≧４である。
【０３４４】
上位レイヤシグナリングは、無線リソース制御ＲＲＣ構成シグナリングまたは媒体アクセス制御ＭＡＣレイヤ構成シグナリングである。
【０３４５】
本発明の本実施形態によるユーザ機器の機能モジュールのうちのいくつかの詳細な説明については、方法の実施形態の対応する内容を参照してよく、本実施形態のここでは詳細について説明しないことに留意されたい。
【０３４６】
本発明の本実施形態によるユーザ機器では、従来技術と比較して、この解決策では、基地局は、Ｎ番目のタイムスロットの制御エリアで上位レイヤシグナリング、または上位レイヤシグナリングおよびＮ番目のタイムスロットの物理制御チャネルを使用して基地局から送信される（Ｎ＋１）番目のタイムスロットの制御エリア指示情報を受信し、（Ｎ＋１）番目のタイムスロットの制御エリア指示情報に従って（Ｎ＋１）番目のタイムスロットの制御エリアを決定し、次いで（Ｎ＋１）番目のタイムスロットの制御エリアで（Ｎ＋１）番目のタイムスロットの物理制御チャネルを受信することがある。すなわち、ユーザ機器は、基地局の指示に従って（Ｎ＋１）番目のタイムスロット（Ｓ−ＴＴＩ−１に対応するタイムスロット）の制御エリアを決定することがあり、（Ｎ＋１）番目のタイムスロットの制御エリアを使用して基地局から送信される（Ｎ＋１）番目のタイムスロットの物理制御チャネルを受信して、（Ｎ＋１）番目のタイムスロットの物理データチャネルが伝送され得るようにすることがある。
【０３４７】
実施方法に関する以上の説明は、当業者が、上記の機能モジュールの区分が好都合かつ簡潔な説明のために説明のための例として行われたものであることを理解することを可能にする。実際の適用においては、上記の機能は、要件に応じて様々な機能に割り当てられて実施される可能性がある、すなわち、装置の内部構造が様々な機能モジュールに分割されて、上述の機能のうちの全てまたは一部を実施する。上記のシステム、装置、およびユニットの詳細な動作プロセスについては、上記の方法の実施形態における対応するプロセスを参照してよく、本明細書では詳細について重ねて説明することはしない。
【０３４８】
本願に提供されるいくつかの実施形態では、開示されるシステム、装置、および方法が、他の方法でも実施されることがあることを理解されたい。例えば、記載される装置の実施形態は、単なる例に過ぎない。例えば、モジュールまたはユニットの区分は、単に論理的な機能区分に過ぎず、実際の実施態様では他の区分であることもある。例えば、複数のユニットもしくは構成要素が別のシステムに結合もしくは統合されることもあり、またはいくつかの機構が無視される、もしくは実行されないこともある。さらに、示されている、もしくは論じられている相互の結合または直接的な結合もしくは通信接続は、いくつかのインタフェースを使用して実施されることもある。装置間またはユニット間の間接的な結合または通信接続は、電子的形態、機械的形態、またはその他の形態で実施されることがある。
【０３４９】
分離した部分として記載されているユニットは、物理的に分離していることも、物理的に分離していないこともあり、ユニットとして示されている部分は、物理的ユニットであることも、物理的ユニットではないこともあり、１つの位置に位置していることも、複数のネットワークユニットに分散していることもある。これらのユニットのうちの一部または全ては、実施形態の解決策の目的を達成するための実際の必要に応じて選択されることがある。
【０３５０】
さらに、本発明の実施形態における機能ユニットは、１つの処理ユニットに統合されることがあり、それらのユニットのそれぞれが物理的に独立して存在することがあり、または２つ以上のユニットが１つのユニットに統合されることがある。統合されたユニットがハードウェアの形態で実施されることがあり、またはソフトウェア機能ユニットの形態で実施されることがある。
【０３５１】
統合されたユニットがソフトウェア機能ユニットの形態で実施され、独立した製品として販売または使用されるときには、その統合されたユニットは、コンピュータ可読記憶媒体に記憶されることがある。このような理解に基づいて、本発明の技術的解決策は基本的に、あるいは従来技術に寄与する部分、またはこれらの技術的解決策の全てもしくは一部は、ソフトウェア製品の形態で実施されることがある。ソフトウェア製品は、記憶媒体に記憶され、コンピュータデバイス（パーソナルコンピュータ、サーバ、またはネットワークデバイスであることがある）またはプロセッサに本発明の実施形態で説明された方法のステップの全てまたは一部を実行するように命令するいくつかの命令を含む。上記の記憶媒体は、ＵＳＢフラッシュドライブ、取外し可能ハードディスク、読取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなど、プログラムコードを記憶することができる任意の媒体を含む。
【０３５２】
上記の説明は、単に本発明の具体的な実施方法に過ぎず、本発明の保護範囲を限定することが意図されているわけではない。本発明に開示される技術的範囲内で当業者によって容易に考案される任意の変形または置換が、本発明の保護範囲に入るものとする。したがって、本発明の保護範囲は、特許請求の範囲の保護範囲によって決まるものとする。
【図１】
0006542898.tif 000004
【図２】
0006542898.tif 000005
【図３ａ】
0006542898.tif 000006
【図３ｂ】
0006542898.tif 000007
【図４】
0006542898.tif 000008
【図５】
0006542898.tif 000009
【図６】
0006542898.tif 000010
【図７】
0006542898.tif 000011
【図８】
0006542898.tif 000012
【図９】
0006542898.tif 000013
【図１０ａ】
0006542898.tif 000014
【図１０ｂ】
0006542898.tif 000015
【図１１】
0006542898.tif 000016
【図１２】
0006542898.tif 000017
【図１３】
0006542898.tif 000018
【図１４】
0006542898.tif 000019
【図１５】
0006542898.tif 000020
【図１６】
0006542898.tif 000021
【図１７】
0006542898.tif 000022
【図１８】
0006542898.tif 000023
【図１９】
0006542898.tif 000024
【図２０】
0006542898.tif 000025
【図２１】
0006542898.tif 000026
【図２２】
0006542898.tif 000027
【図２３】
0006542898.tif 000028
【図２４】
0006542898.tif 000029
【図２５】
0006542898.tif 000030
【図２６】
0006542898.tif 000031
【図２７】
0006542898.tif 000032
【図２８】
0006542898.tif 000033
【図２９】
0006542898.tif 000034
【図３０】
0006542898.tif 000035